(57)【要約】【課題】遠隔的な見守られる人の状況判定について、複数の要因に基づき総合的な判定を行った結果を見守る人に提供できるようにする。【解決手段】ユーザ（見守られる人）により操作されるテレビジョン装置１０は、操作に関する情報を示す操作通知を出力してサーバ装置３０へ送る。家屋Ｈ１に設置された温度センサ２７及び湿度センサ２８は検知結果（温度、湿度）を出力してサーバ装置３０へ送る。サーバ装置３０は、操作通知及び検知結果を受信すると、操作通知に基づき操作通知判定レベルを特定すると共に、検知結果に基づき検知結果判定レベルを特定し、それぞれ特定した各判定レベルに基づき統合的にユーザの状況を判定する。サーバ装置３０は、見守りサービスに登録したユーザの各状況を判定すると、判定した結果に応じた内容をオペレータ端末に送信してオペレータ端末から出力する。【選択図】図１
2016085645.tif 000002
【特許請求の範囲】
【請求項１】
見守り対象となるユーザによるユーザ機器の操作の状況を判定して見守り通知情報を生成するサーバ装置と、前記サーバ装置から送信される見守り通知情報に基づく出力処理を行う通信端末とを備える見守りシステムにおいて、
前記サーバ装置は、
ユーザ機器の操作に係る内容を示す操作通知を受信する手段と、
ユーザの周囲環境の検知結果を受信する手段と、
受信した操作通知及び検知結果に基づき、ユーザの状況に係る危険度を判定する手段と、
判定した危険度ごとに相違する種類の出力処理を規定した見守り通知情報を生成する手段と
を備え、
前記通信端末は、
前記見守り通知情報を受信した場合、その見守り通知情報が規定した種類に応じた出力処理を行う手段を備えることを特徴とする見守りシステム。
【請求項２】
見守り対象となるユーザによるユーザ機器の操作の状況を判定して見守り通知情報を生成するサーバ装置と、前記サーバ装置から送信される見守り通知情報に基づき見守り通知を表示出力する通信端末とを備える見守りシステムにおいて、
前記サーバ装置は、
ユーザ機器の操作に係る内容を示す操作通知を受信する手段と、
ユーザの周囲環境の検知結果を受信する手段と、
受信した操作通知及び検知結果に基づき、ユーザの状況に係る危険度を判定する手段と、
判定した危険度ごとに相違する表示に係る内容を規定した見守り通知情報を生成する手段と
を備え、
前記通信端末は、
前記見守り通知情報を受信した場合、その見守り通知情報が規定した表示に係る内容を含む見守り通知の表示出力を行う手段を備えることを特徴とする見守りシステム。
【請求項３】
前記サーバ装置は、
複数のユーザに係る操作通知及び検知結果をそれぞれ受信するようにしてあり、
操作通知に応じた複数の操作判定レベルの中からいずれか一つの選択の受け付けが可能な操作判定レベル選択部、及び検知結果に応じた複数の検知判定レベルの中からいずれか一つの選択の受け付けが可能な検知判定レベル選択部を含む見守り通知情報を生成しており、
前記通信端末は、
前記見守り通知情報を受信して、その見守り通知情報に基づき、操作判定レベル選択部及び検知判定レベル選択部を含む見守り通知の表示出力を行う手段と、
操作判定レベル選択部で、いずれか一つの操作判定レベルの選択を受け付けると共に、検知判定レベル選択部で、いずれか一つの検知判定レベルの選択を受け付けた場合、選択を受け付けた操作判定レベル及び検知判定レベルを示すレベル通知情報を前記サーバ装置へ送信する手段と
を備え、
前記サーバ装置は更に、
レベル通知情報を受信した場合、受信したレベル通知情報に示される操作判定レベル及び検知判定レベルに合致するユーザ情報を含む見守り通知情報を生成して、前記通信端末へ送信する手段を備える請求項２に記載の見守りシステム。
【請求項４】
前記サーバ装置は、
前記見守り通知がバナーで表示出力されることを規定した見守り通知情報を生成する請求項２に記載の見守りシステム。
【請求項５】
前記サーバ装置は、
前記見守り通知がアイコンで表示出力されることを規定した見守り通知情報を生成する請求項２に記載の見守りシステム。
【請求項６】
前記サーバ装置は、
複数のユーザに係る操作通知及び検知結果をそれぞれ受信するようにしてあると共に、複数のユーザの状況について、操作通知及び検知結果に基づき危険度を示す複数の段階をそれぞれ判定するようにしてあり、
判定した中で、複数の段階で最も危険度が高いユーザに係る見守り通知情報を生成して、前記通信端末に送信する手段を備える請求項１乃至請求項５のいずれか１項に記載の見守りシステム。
【請求項７】
前記サーバ装置は、
ユーザ画面の要求操作の受け付けが可能な操作受付部を含む見守り通知情報を生成しており、
前記通信端末は、
前記見守り通知情報を受信して、その見守り通知情報に基づき操作受付部を含む見守り通知の表示出力を行う手段と、
操作受付部でユーザ画面の要求操作を受け付けた場合、ユーザ画面要求を前記サーバ装置へ送信する手段と
を備え、
前記サーバ装置は更に、
ユーザ画面要求を受信した場合、操作通知に係る内容及び検知結果に係る内容を含むユーザ画面に係るユーザ画面情報を生成して、前記通信端末に送信する手段を備え、
前記通信端末は更に、
ユーザ画面情報を受信した場合、そのユーザ画面情報に基づき、操作通知に係る内容及び検知結果に係る内容を含むユーザ画面を表示出力する手段を備える請求項２、３、又は６のいずれか１項に記載の見守りシステム。
【請求項８】
前記サーバ装置は、
判定したユーザの状況に応じた対応の仕方を特定する手段と、
特定した対応の仕方を含むユーザ画面に係るユーザ画面情報を生成する手段と
を備える請求項７に記載の見守りシステム。
【請求項９】
前記サーバ装置は、
対応が完了した旨の受け付けが可能な完了受付部を含むユーザ画面に係るユーザ画面情報を生成するようにしてある請求項７又は請求項８に記載の見守りシステム。
【請求項１０】
前記サーバ装置は、
対応を保留にする旨の受け付けが可能な保留受付部を含むユーザ画面に係るユーザ画面情報を生成するようにしてある請求項７乃至請求項９のいずれか１項に記載の見守りシステム。
【請求項１１】
前記サーバ装置は、
対応を行う者を変更する旨の受け付けが可能な変更受付部を含むユーザ画面に係るユーザ画面情報を生成するようにしてある請求項７乃至請求項１０のいずれか１項に記載の見守りシステム。
【請求項１２】
サーバ装置は、見守り対象となるユーザによるユーザ機器の操作の状況を判定して見守り通知情報を生成すると共に、その見守り通知情報を通信端末へ送信し、前記通信端末は、受信した見守り通知情報に基づく出力処理を行う見守り方法において、
前記サーバ装置は、
ユーザ機器の操作に係る内容を示す操作通知を受信するステップと、
ユーザの周囲環境の検知結果を受信するステップと、
受信した操作通知及び検知結果に基づき、ユーザの状況に係る危険度を判定するステップと、
判定した危険度ごとに相違する種類の出力処理を規定した見守り通知情報を生成するステップと
を備え、
前記通信端末は、
前記見守り通知情報を受信した場合、その見守り通知情報が規定した種類に応じた出力処理を行うステップを備えることを特徴とする見守り方法。
【請求項１３】
サーバ装置は、見守り対象となるユーザによるユーザ機器の操作の状況を判定して見守り通知情報を生成すると共に、その見守り通知情報を通信端末へ送信し、前記通信端末は、受信した見守り通知情報に基づき見守り通知を表示出力する見守り方法において、
前記サーバ装置は、
ユーザ機器の操作に係る内容を示す操作通知を受信するステップと、
ユーザの周囲環境の検知結果を受信するステップと、
受信した操作通知及び検知結果に基づき、ユーザの状況に係る危険度を判定するステップと、
判定した危険度ごとに相違する表示に係る内容を規定した見守り通知情報を生成するステップと
を備え、
前記通信端末は、
前記見守り通知情報を受信した場合、その見守り通知情報が規定した表示に係る内容を含む見守り通知の表示出力を行うステップを備えることを特徴とする見守り方法。
【請求項１４】
見守り対象となるユーザによるユーザ機器の操作の状況を判定して見守り通知情報を生成すると共に、その見守り通知情報に応じた出力処理を行うことが可能な外部の通信端末へ見守り通知情報を送信するサーバ装置において、
ユーザ機器の操作に係る内容を示す操作通知を受信する手段と、
ユーザの周囲環境の検知結果を受信する手段と、
受信した操作通知及び検知結果に基づき、ユーザの状況に係る危険度を判定する手段と、
判定した危険度ごとに相違する種類の出力処理を規定した見守り通知情報を生成する手段と
を備えることを特徴とするサーバ装置。
【請求項１５】
見守り対象となるユーザによるユーザ機器の操作の状況を判定して見守り通知情報を生成すると共に、その見守り通知情報に応じた見守り通知の表示出力を行うことが可能な外部の通信端末へ見守り通知情報を送信するサーバ装置において、
ユーザ機器の操作に係る内容を示す操作通知を受信する手段と、
ユーザの周囲環境の検知結果を受信する手段と、
受信した操作通知及び検知結果に基づき、ユーザの状況に係る危険度を判定する手段と、
判定した危険度ごとに相違する表示に係る内容を規定した見守り通知情報を生成する手段と
を備えることを特徴とするサーバ装置。
【請求項１６】
複数のユーザに係る操作通知及び検知結果をそれぞれ受信するようにしてあり、
操作通知に応じた複数の操作判定レベルの中からいずれか一つの選択の受け付けが可能な操作判定レベル選択部、及び検知結果に応じた複数の検知判定レベルの中からいずれか一つの選択の受け付けが可能な検知判定レベル選択部を含む見守り通知情報を生成しており、
見守り通知情報を外部の通信端末へ送信したことに応じて、選択を受け付けた操作判定レベル及び検知判定レベルを示すレベル通知情報を受信した場合、受信したレベル通知情報に示される操作判定レベル及び検知判定レベルに合致するユーザ情報を含む見守り通知情報を生成して、外部の通信端末へ送信する手段を備える請求項１５に記載のサーバ装置。
【請求項１７】
前記見守り通知がバナーで表示出力されることを規定した見守り通知情報を生成する請求項１５に記載のサーバ装置。
【請求項１８】
前記見守り通知がアイコンで表示出力されることを規定した見守り通知情報を生成する請求項１５に記載のサーバ装置。
【請求項１９】
複数のユーザに係る操作通知及び検知結果をそれぞれ受信するようにしてあると共に、複数のユーザの状況について、操作通知及び検知結果に基づき危険度を示す複数の段階をそれぞれ判定するようにしてあり、
判定した中で、複数の段階で最も危険度が高いユーザに係る見守り通知情報を生成して、外部の通信端末に送信する手段を備える請求項１４乃至請求項１８のいずれか１項に記載のサーバ装置。
【請求項２０】
ユーザ画面の要求操作の受け付けが可能な操作受付部を含む見守り通知情報を生成しており、
前記見守り通知情報を外部の通信端末へ送信したことに応じて、ユーザ画面要求を受信した場合、操作通知に係る内容及び検知結果に係る内容を含むユーザ画面に係るユーザ画面情報を生成して、外部の通信端末に送信する手段を備える請求項１５、１６、又は１８のいずれか１項に記載のサーバ装置。
【請求項２１】
見守り対象となるユーザによるユーザ機器の操作の状況に係る見守り通知情報を受信して、受信した見守り通知情報に基づく出力処理を行う通信端末において、
ユーザ機器の操作に係る内容を示す操作通知及びユーザの周囲環境の検知結果に基づき判定されたユーザ状況に応じた危険度ごとに相違する種類の出力処理が規定された見守り通知情報を受信する手段と、
受信した見守り通知情報の規定に応じた種類の出力処理を行う手段と
を備えることを特徴とする通信端末。
【請求項２２】
見守り対象となるユーザによるユーザ機器の操作の状況に係る見守り通知情報を受信して、受信した見守り通知情報に基づき見守り通知の表示出力を行う通信端末において、
ユーザ機器の操作に係る内容を示す操作通知及びユーザの周囲環境の検知結果に基づき判定されたユーザ状況に応じた危険度ごとに相違する形態にした部分を含む見守り通知情報を受信する手段と、
受信した見守り通知情報に基づき、その見守り通知情報が規定した表示に係る内容を含む見守り通知の表示出力を行う手段と
を備えることを特徴とする通信端末。
【請求項２３】
複数の操作判定レベルの中からいずれか一つの選択の受け付けが可能な操作判定レベル選択部及び複数の検知判定レベルの中からいずれか一つの選択の受け付けが可能な検知判定レベル選択部を含む見守り通知情報を受信する手段と、
受信した見守り通知情報に基づき、操作判定レベル選択部及び検知判定レベル選択部を含む見守り通知の表示出力を行う手段と
を備える請求項２２に記載の通信端末。
【請求項２４】
前記見守り通知を、バナーで表示出力する手段を備える請求項２２に記載の通信端末。
【請求項２５】
前記見守り通知を、アイコンで表示出力する手段を備える請求項２２に記載の通信端末。
【請求項２６】
ユーザ画面の要求操作の受け付けが可能な操作受付部を含む見守り通知情報を受信する手段と、
受信した見守り通知情報に基づき、操作受付部を含む見守り通知の表示出力を行う手段と、
表示出力された見守り通知が含む操作受付部で、ユーザ画面の要求操作を受け付けた場合、ユーザ画面要求を外部のサーバ装置へ送信する手段と、
ユーザ画面要求の送信に応じて、操作通知に係る内容及び検知結果に係る内容を含むユーザ画面に係るユーザ画面情報を受信した場合、受信したユーザ画面情報に基づき、操作通知に係る内容及び検知結果に係る内容を含むユーザ画面を表示出力する手段と
を備える請求項２２又は請求項２３に記載の通信端末。
【請求項２７】
ユーザの状況に応じた対応の仕方を含むユーザ画面に係るユーザ画面情報を受信する手段と、
受信したユーザ画面情報に基づき、ユーザの状況に応じた対応の仕方を含むユーザ画面の表示出力を行う手段と
を備える請求項２６に記載の通信端末。
【請求項２８】
対応が完了した旨の受け付けが可能な完了受付部を含むユーザ画面に係るユーザ画面情報を受信する手段と、
受信したユーザ画面情報に基づき、対応が完了した旨の受け付けが可能な完了受付部を含むユーザ画面の表示出力を行う手段と
を備える請求項２６又は請求項２７に記載の通信端末。
【請求項２９】
対応を保留にする旨の受け付けが可能な保留受付部を含むユーザ画面に係るユーザ画面情報を受信する手段と、
受信したユーザ画面情報に基づき、対応を保留にする旨の受け付けが可能な保留受付部を含むユーザ画面の表示出力を行う手段と
を備える請求項２６乃至請求項２８のいずれか１項に記載の通信端末。
【請求項３０】
対応を行う者を変更する旨の受け付けが可能な変更受付部を含むユーザ画面に係るユーザ画面情報を受信する手段と、
受信したユーザ画面情報に基づき、対応を行う者を変更する旨の受け付けが可能な変更受付部を含むユーザ画面の表示出力を行う手段と
を備える請求項２６乃至請求項２９のいずれか１項に記載の通信端末。
【請求項３１】
通信手段を有するサーバコンピュータに、見守り対象となるユーザによるユーザ機器の操作の状況を判定させて見守り通知情報を生成させると共に、その見守り通知情報に応じた出力処理を行うことが可能な外部の通信端末へ前記通信手段を用いて、見守り通知情報の送信処理を行わせるためのコンピュータプログラムにおいて、
前記サーバコンピュータに、
ユーザ機器の操作に係る内容を示す操作通知を、前記通信手段を用いて受信する処理を行うステップと、
ユーザの周囲環境の検知結果を、前記通信手段を用いて受信する処理を行うステップと、
操作通知及び検知結果に基づき、ユーザの状況に係る危険度を判定する処理を行うステップと、
判定した危険度ごとに相違する種類の出力処理を規定した見守り通知情報を生成する処理を行うステップと
を実行させることを特徴とするコンピュータプログラム。
【請求項３２】
通信手段を有するサーバコンピュータに、見守り対象となるユーザによるユーザ機器の操作の状況を判定させて見守り通知情報を生成させると共に、その見守り通知情報に基づく見守り通知の表示出力処理を行うことが可能な外部の通信端末へ前記通信手段を用いて、見守り通知情報の送信処理を行わせるためのコンピュータプログラムにおいて、
前記サーバコンピュータに、
ユーザ機器の操作に係る内容を示す操作通知を、前記通信手段を用いて受信する処理を行うステップと、
ユーザの周囲環境の検知結果を、前記通信手段を用いて受信する処理を行うステップと、
操作通知及び検知結果に基づき、ユーザの状況に係る危険度を判定する処理を行うステップと、
判定した危険度ごとに相違する表示に係る内容を規定した見守り通知情報を生成する処理を行うステップと
を実行させることを特徴とするコンピュータプログラム。
【請求項３３】
通信端末に、見守り対象となるユーザによるユーザ機器の操作の状況に係る見守り通知情報を受信させて、受信させた見守り通知情報に基づく出力処理を行わせるための端末プログラムにおいて、
前記通信端末に、
ユーザ機器の操作に係る内容を示す操作通知及びユーザの周囲環境の検知結果に基づき判定されたユーザ状況に応じた危険度ごとに相違する種類の出力処理が規定された見守り通知情報を受信する処理を行うステップと、
受信した見守り通知情報の規定に応じた種類の出力処理を行うステップと
を実行させることを特徴とする端末プログラム。
【請求項３４】
通信端末に、見守り対象となるユーザによるユーザ機器の操作の状況に係る見守り通知情報を受信させて、受信させた見守り通知情報に応じた見守り通知の表示出力処理を行わせるための端末プログラムにおいて、
前記通信端末に、
ユーザ機器の操作に係る内容を示す操作通知及びユーザの周囲環境の検知結果に基づき判定されたユーザ状況に応じた危険度ごとに相違する形態にした部分を含む見守り通知情報を受信する処理を行うステップと、
受信した見守り通知情報に基づき、その見守り通知情報が規定した表示に係る内容を含む見守り通知の表示出力処理を行うステップと
を実行させることを特徴とする端末プログラム。
【発明の詳細な説明】
【技術分野】
【０００１】
本発明は、見守り対象となるユーザによるユーザ機器の操作状況だけでなく、ユーザ周囲の環境を検知した検知結果も用いて、統合的にユーザの状況を判定した結果を見守る側が容易に把握できるようにした見守りシステム、見守り方法、サーバ装置、通信端末、コンピュータプログラム、及び端末プログラムに関する。
【背景技術】
【０００２】
従来、離れて暮らす人（見守られる人）の状況を遠隔的に見守れるようにした各種見守りサービスが存在する。従来の見守りサービスによる見守りの仕方の例としては、見守られる人の家屋内に設置されたテレビジョン装置の電源ボタン操作の操作状況を見守り側へ送信することで、見守り側はユーザの電源ボタン操作の有無により、ユーザがテレビを見ることができるほど元気であるか否か等を、遠隔的に見守り側で判定するものになっている（下記の特許文献１参照）。
【０００３】
また、下記の特許文献２でも、見守られる人による複数の電気機器の操作状況を見守り側へ送信することで、各電気機器の操作状況に基づき、ユーザの生活態様に異変が生じていないかを遠隔的に見守る内容が開示されている。
【０００４】
一方、下記の特許文献３では、見守られる人の体温、血圧、発汗、歩数、脈拍、脈派、血流、心電、筋電、体重等のバイタル情報をバイタルセンサにより取得して、ユーザの体調を遠隔的に見守ると共に、ガスセンサ、光量センサ、温湿度センサ、音圧センサ等によりユーザ周囲の環境を検知して、ユーザの生活環境の快適度を遠隔的に見守る側が把握できる内容が開示されている。なお、この特許文献３では、見守られる人が使用する携帯型通信端末のプッシュボタンを押した頻度、開閉頻度、メールや通話の時間等の携帯型通信端末の利用履歴を背景情報としてサーバに送信されることが記されているが、このような携帯型通信端末の利用履歴は、ユーザの体調及び周囲環境の快適度を判定することには利用されていない。
【先行技術文献】
【特許文献】
【０００５】
【特許文献１】特開２００７−１８０９８７号公報
【特許文献２】特開２００２−９２７６７号公報
【特許文献３】特開２００６−８５３９０号公報
【発明の概要】
【発明が解決しようとする課題】
【０００６】
上述した特許文献１、２で開示される電気機器の操作状況のみで、見守られる人の状況を判定するのでは、安心できる見守りが行えない場合がある。例えば、電気機器が操作されている状況が見守り側へ送信されていても、その電気機器が配置された部屋の室温が、高温であれば、見守られる人に熱中症のおそれが生じているので、電気機器の操作ができる状況であることは遠隔的に確認できても、このような熱中症の危険性が生じている状況までは遠隔的に確認できないという問題がある。
【０００７】
また、上述した特許文献３では、ユーザの体調はバイタルセンサの検知結果により遠隔的に監視できるが、周囲環境を検知する各種環境センサの検知結果は、ユーザの周囲環境の快適度を判定することに用いられるだけである。そのため、特許文献３の図１０では、変化のスピード（急激な変化、中程度に急な変化、穏やか変化）により、緊急度の高、中、低が判別される例が示されているが、その緊急度は、体調、生活環境等の種別ごとで、それぞれ別個に判定されるので、複数の要因に基づいて見守られる人の状況が総合的に、どの程度、緊急度を要するのかを正しく判定できないという問題がある。さらに、特許文献３で用いられるバイタルセンサは、見守られる人の身体に装着等する必要があり、見守られる人に対する負担が大きく実用的でないという問題もある。さらにまた、上述した各特許文献１乃至３では、見守られる人の状況を見守る側で把握しやすくすることまでは配慮されておらず、また、状況が判定された見守られる人への対応の仕方、詳しい状況等を個別に見守る側で確認しにくいという問題もある。
【０００８】
本発明は、斯かる事情に鑑みてなされたものであり、見守られる人により操作されるユーザ機器の操作状況、及び見守られる人の周囲環境の検知結果を複合的・統合的に判断することにより、バイタルセンサのような見守られる人に負担を大きいものを用いることなく、総合的にユーザの状況を精度良く判定した結果を見守る側で容易且つ素早く把握できるようにした見守りシステム、見守り方法、サーバ装置、通信端末、コンピュータプログラム、及び端末プログラムを提供することを目的とする。
【０００９】
また、本発明は、最初に見守る側へ通知する見守り通知と、ユーザの状況を個別に示すユーザ画面とを二段階で表示出力することで、見守られる人の状況の詳細、対応の仕方等を見守る側で確認しやすくした見守りシステム、見守り方法、サーバ装置、通信端末、コンピュータプログラム、及び端末プログラムを提供することを目的とする。
【課題を解決するための手段】
【００１０】
上記課題を解決するために本発明に係る見守りシステムは、見守り対象となるユーザによるユーザ機器の操作の状況を判定して見守り通知情報を生成するサーバ装置と、前記サーバ装置から送信される見守り通知情報に基づく出力処理を行う通信端末とを備える見守りシステムにおいて、前記サーバ装置は、ユーザ機器の操作に係る内容を示す操作通知を受信する手段と、ユーザの周囲環境の検知結果を受信する手段と、受信した操作通知及び検知結果に基づき、ユーザの状況に係る危険度を判定する手段と、判定した危険度ごとに相違する種類の出力処理を規定した見守り通知情報を生成する手段とを備え、前記通信端末は、前記見守り通知情報を受信した場合、その見守り通知情報が規定した種類に応じた出力処理を行う手段を備えることを特徴とする。
また、本発明に係る見守りシステムは、見守り対象となるユーザによるユーザ機器の操作の状況を判定して見守り通知情報を生成するサーバ装置と、前記サーバ装置から送信される見守り通知情報に基づき見守り通知を表示出力する通信端末とを備える見守りシステムにおいて、前記サーバ装置は、ユーザ機器の操作に係る内容を示す操作通知を受信する手段と、ユーザの周囲環境の検知結果を受信する手段と、受信した操作通知及び検知結果に基づき、ユーザの状況に係る危険度を判定する手段と、判定した危険度ごとに相違する形態にした部分を含む見守り通知に係る見守り通知情報を生成する手段とを備え、前記通信端末は、前記見守り通知情報を受信した場合、その見守り通知情報に基づいて、判定した危険度ごとに相違する形態にした部分を含む見守り通知の表示出力を行う手段を備えることを特徴とする。
【００１１】
本発明に係る見守りシステムは、前記サーバ装置が、複数のユーザに係る操作通知及び検知結果をそれぞれ受信するようにしてあり、操作通知に応じた複数の操作判定レベルの中からいずれか一つの選択の受け付けが可能な操作判定レベル選択部、及び検知結果に応じた複数の検知判定レベルの中からいずれか一つの選択の受け付けが可能な検知判定レベル選択部を含む見守り通知に係る見守り通知情報を生成しており、前記通信端末は、前記見守り通知情報を受信して、その見守り通知情報に基づき、操作判定レベル選択部及び検知判定レベル選択部を含む見守り通知の表示出力を行う手段と、操作判定レベル選択部で、いずれか一つの操作判定レベルの選択を受け付けると共に、検知判定レベル選択部で、いずれか一つの検知判定レベルの選択を受け付けた場合、選択を受け付けた操作判定レベル及び検知判定レベルを示すレベル通知情報を前記サーバ装置へ送信する手段とを備え、前記サーバ装置は更に、レベル通知情報を受信した場合、受信したレベル通知情報に示される操作判定レベル及び検知判定レベルに合致するユーザ情報を含む見守り通知に係る見守り通知情報を生成して、前記通信端末へ送信する手段を備えることを特徴とする。
【００１２】
本発明に係る見守りシステムは、前記サーバ装置が、前記見守り通知がバナーとして表示出力されるようにした見守り通知情報を生成することを特徴とする。
本発明に係る見守りシステムは、前記サーバ装置が、前記見守り通知がアイコンとして表示出力されるようにした見守り通知情報を生成することを特徴とする。
本発明に係る見守りシステムは、前記サーバ装置が、複数のユーザに係る操作通知及び検知結果をそれぞれ受信するようにしてあると共に、複数のユーザの状況について、操作通知及び検知結果に基づき危険度を示す複数の段階をそれぞれ判定するようにしてあり、判定した中で、複数の段階で最も危険度が高いユーザに係る見守り通知情報を生成して、前記通信端末に送信する手段を備えることを特徴とする。
また、本発明に係る見守りシステムは、前記サーバ装置が、ユーザ画面の要求操作の受け付けが可能な操作受付部を含む見守り通知に係る見守り通知情報を生成しており、前記通信端末は、前記見守り通知情報を受信して、その見守り通知情報に基づき操作受付部を含む見守り通知の表示出力を行う手段と、操作受付部でユーザ画面の要求操作を受け付けた場合、ユーザ画面要求を前記サーバ装置へ送信する手段とを備え、前記サーバ装置は更に、ユーザ画面要求を受信した場合、操作通知に係る内容及び検知結果に係る内容を含むユーザ画面に係るユーザ画面情報を生成して、前記通信端末に送信する手段を備え、前記通信端末は更に、ユーザ画面情報を受信した場合、そのユーザ画面情報に基づき、操作通知に係る内容及び検知結果に係る内容を含むユーザ画面を表示出力する手段を備えることを特徴とする。
【００１３】
本発明に係る見守りシステムは、前記サーバ装置が、判定したユーザの状況に応じた対応の仕方を特定する手段と、特定した対応の仕方を含むユーザ画面に係るユーザ画面情報を生成する手段とを備えることを特徴とする。
本発明に係る見守りシステムは、前記サーバ装置が、対応が完了した旨の受け付けが可能な完了受付部を含むユーザ画面に係るユーザ画面情報を生成するようにしてあることを特徴とする。
本発明に係る見守りシステムは、前記サーバ装置が、対応を保留にする旨の受け付けが可能な保留受付部を含むユーザ画面に係るユーザ画面情報を生成するようにしてあることを特徴とする。
本発明に係る見守りシステムは、前記サーバ装置が、対応を行う者を変更する旨の受け付けが可能な変更受付部を含むユーザ画面に係るユーザ画面情報を生成するようにしてあることを特徴とする。
【００１４】
本発明に係る見守り方法は、サーバ装置が、見守り対象となるユーザによるユーザ機器の操作の状況を判定して見守り通知情報を生成すると共に、その見守り通知情報を通信端末へ送信し、前記通信端末は、受信した見守り通知情報に基づく出力処理を行う見守り方法において、前記サーバ装置は、ユーザ機器の操作に係る内容を示す操作通知を受信するステップと、ユーザの周囲環境の検知結果を受信するステップと、受信した操作通知及び検知結果に基づき、ユーザの状況に係る危険度を判定するステップと、判定した危険度ごとに相違する種類の出力処理を規定した見守り通知情報を生成するステップとを備え、前記通信端末は、前記見守り通知情報を受信した場合、その見守り通知情報が規定した種類に応じた出力処理を行うステップを備えることを特徴とする。
また、本発明に係る見守り方法は、サーバ装置が、見守り対象となるユーザによるユーザ機器の操作の状況を判定して見守り通知情報を生成すると共に、その見守り通知情報を通信端末へ送信し、前記通信端末は、受信した見守り通知情報に基づき見守り通知を表示出力する見守り方法において、前記サーバ装置は、ユーザ機器の操作に係る内容を示す操作通知を受信するステップと、ユーザの周囲環境の検知結果を受信するステップと、受信した操作通知及び検知結果に基づき、ユーザの状況に係る危険度を判定するステップと、判定した危険度ごとに相違する形態にした部分を含む見守り通知に係る見守り通知情報を生成するステップとを備え、前記通信端末は、前記見守り通知情報を受信した場合、その見守り通知情報に基づいて、判定した危険度ごとに相違する形態にした部分を含む見守り通知の表示出力を行うステップを備えることを特徴とする。
【００１５】
本発明に係るサーバ装置は、見守り対象となるユーザによるユーザ機器の操作の状況を判定して見守り通知情報を生成すると共に、その見守り通知情報の出力処理を行うことが可能な外部の通信端末へ見守り通知情報を送信するサーバ装置において、ユーザ機器の操作に係る内容を示す操作通知を受信する手段と、ユーザの周囲環境の検知結果を受信する手段と、受信した操作通知及び検知結果に基づき、ユーザの状況に係る危険度を判定する手段と、判定した危険度ごとに相違する種類の出力処理を規定した見守り通知情報を生成する手段とを備えることを特徴とする。
また、本発明に係るサーバ装置は、見守り対象となるユーザによるユーザ機器の操作の状況を判定して見守り通知情報を生成すると共に、その見守り通知情報に基づき見守り通知の表示出力を行うことが可能な外部の通信端末へ見守り通知情報を送信するサーバ装置において、ユーザ機器の操作に係る内容を示す操作通知を受信する手段と、ユーザの周囲環境の検知結果を受信する手段と、受信した操作通知及び検知結果に基づき、ユーザの状況に係る危険度を判定する手段と、判定した危険度ごとに相違する形態にした部分を含む見守り通知に係る見守り通知情報を生成する手段とを備えることを特徴とする。
【００１６】
本発明に係るサーバ装置は、複数のユーザに係る操作通知及び検知結果をそれぞれ受信するようにしてあり、操作通知に応じた複数の操作判定レベルの中からいずれか一つの選択の受け付けが可能な操作判定レベル選択部、及び検知結果に応じた複数の検知判定レベルの中からいずれか一つの選択の受け付けが可能な検知判定レベル選択部を含む見守り通知に係る見守り通知情報を生成しており、見守り通知情報を外部の通信端末へ送信したことに応じて、選択を受け付けた操作判定レベル及び検知判定レベルを示すレベル通知情報を受信した場合、受信したレベル通知情報に示される操作判定レベル及び検知判定レベルに合致するユーザ情報を含む見守り通知に係る見守り通知情報を生成して、外部の通信端末へ送信する手段を備えることを特徴とする。
【００１７】
本発明に係るサーバ装置は、前記見守り通知がバナーとして表示出力されるようにした見守り通知情報を生成することを特徴とする。
本発明に係るサーバ装置は、前記見守り通知がアイコンとして表示出力されるようにした見守り通知情報を生成することを特徴とする。
本発明に係るサーバ装置は、複数のユーザに係る操作通知及び検知結果をそれぞれ受信するようにしてあると共に、複数のユーザの状況について、操作通知及び検知結果に基づき危険度を示す複数の段階をそれぞれ判定するようにしてあり、判定した中で、複数の段階で最も危険度が高いユーザに係る見守り通知情報を生成して、外部の通信端末に送信する手段を備えることを特徴とする。
本発明に係るサーバ装置は、ユーザ画面の要求操作の受け付けが可能な操作受付部を含む見守り通知に係る見守り通知情報を生成しており、前記見守り通知情報を外部の通信端末へ送信したことに応じて、ユーザ画面要求を受信した場合、操作通知に係る内容及び検知結果に係る内容を含むユーザ画面に係るユーザ画面情報を生成して、外部の通信端末に送信する手段を備えることを特徴とする。
【００１８】
本発明に係る通信端末は、見守り対象となるユーザによるユーザ機器の操作の状況に係る見守り通知情報を受信して、受信した見守り通知情報に基づく出力処理を行う通信端末において、ユーザ機器の操作に係る内容を示す操作通知及びユーザの周囲環境の検知結果に基づき判定されたユーザ状況に応じた危険度ごとに相違する種類の出力処理が規定された見守り通知情報を受信する手段と、受信した見守り通知情報の規定に応じた種類の出力処理を行う手段とを備えることを特徴とする。
本発明に係る通信端末は、見守り対象となるユーザによるユーザ機器の操作の状況に係る見守り通知情報を受信して、受信した見守り通知情報に基づき見守り通知の表示出力を行う通信端末において、ユーザ機器の操作に係る内容を示す操作通知及びユーザの周囲環境の検知結果に基づき判定されたユーザ状況に応じた危険度ごとに相違する形態にした部分を含む見守り通知に係る見守り通知情報を受信する手段と、受信した見守り通知情報に基づき、判定された危険度ごとに相違する形態にした部分を含む見守り通知の表示出力を行う手段とを備えることを特徴とする。
【００１９】
本発明に係る通信端末は、複数の操作判定レベルの中からいずれか一つの選択の受け付けが可能な操作判定レベル選択部及び複数の検知判定レベルの中からいずれか一つの選択の受け付けが可能な検知判定レベル選択部を含む見守り通知に係る見守り通知情報を受信する手段と、受信した見守り通知情報に基づき、操作判定レベル選択部及び検知判定レベル選択部を含む見守り通知の表示出力を行う手段とを備えることを特徴とする。
本発明に係る通信端末は、前記見守り通知を、バナーとして表示出力することを特徴とする。
本発明に係る通信端末は、前記見守り通知を、アイコンとして表示出力することを特徴とする。
本発明に係る通信端末は、ユーザ画面の要求操作の受け付けが可能な操作受付部を含む見守り通知に係る見守り通知情報を受信する手段と、受信した見守り通知情報に基づき、操作受付部を含む見守り通知の表示出力を行う手段と、表示出力された見守り通知が含む操作受付部で、ユーザ画面の要求操作を受け付けた場合、ユーザ画面要求を外部のサーバ装置へ送信する手段と、ユーザ画面要求の送信に応じて、操作通知に係る内容及び検知結果に係る内容を含むユーザ画面に係るユーザ画面情報を受信した場合、受信したユーザ画面情報に基づき、操作通知に係る内容及び検知結果に係る内容を含むユーザ画面を表示出力する手段とを備えることを特徴とする。
【００２０】
本発明に係る通信端末は、ユーザの状況に応じた対応の仕方を含むユーザ画面に係るユーザ画面情報を受信する手段と、受信したユーザ画面情報に基づき、ユーザの状況に応じた対応の仕方を含むユーザ画面の表示出力を行う手段とを備えることを特徴とする。
本発明に係る通信端末は、対応が完了した旨の受け付けが可能な完了受付部を含むユーザ画面に係るユーザ画面情報を受信する手段と、受信したユーザ画面情報に基づき、対応が完了した旨の受け付けが可能な完了受付部を含むユーザ画面の表示出力を行う手段とを備えることを特徴とする。
本発明に係る通信端末は、対応を保留にする旨の受け付けが可能な保留受付部を含むユーザ画面に係るユーザ画面情報を受信する手段と、受信したユーザ画面情報に基づき、対応を保留にする旨の受け付けが可能な保留受付部を含むユーザ画面の表示出力を行う手段とを備えることを特徴とする。
本発明に係る通信端末は、対応を行う者を変更する旨の受け付けが可能な変更受付部を含むユーザ画面に係るユーザ画面情報を受信する手段と、受信したユーザ画面情報に基づき、対応を行う者を変更する旨の受け付けが可能な変更受付部を含むユーザ画面の表示出力を行う手段とを備えることを特徴とする。
【００２１】
本発明に係るコンピュータプログラムは、通信手段を有するサーバコンピュータに、見守り対象となるユーザによるユーザ機器の操作の状況を判定させて見守り通知情報を生成させると共に、その見守り通知情報の出力処理を行う外部の通信端末へ前記通信手段を用いて、見守り通知情報の送信処理を行わせるためのコンピュータプログラムにおいて、前記サーバコンピュータに、ユーザ機器の操作に係る内容を示す操作通知を、前記通信手段を用いて受信する処理を行うステップと、ユーザの周囲環境の検知結果を、前記通信手段を用いて受信する処理を行うステップと、操作通知及び検知結果に基づき、ユーザの状況に係る危険度を判定する処理を行うステップと、判定した危険度ごとに相違する種類の出力処理を規定した見守り通知情報を生成する処理を行うステップとを実行させることを特徴とする。
また、本発明に係るコンピュータプログラムは、通信手段を有するサーバコンピュータに、見守り対象となるユーザによるユーザ機器の操作の状況を判定させて見守り通知情報を生成させると共に、その見守り通知情報に基づく見守り通知の表示出力処理を行うことが可能な外部の通信端末へ前記通信手段を用いて、見守り通知情報の送信処理を行わせるためのコンピュータプログラムにおいて、前記サーバコンピュータに、ユーザ機器の操作に係る内容を示す操作通知を、前記通信手段を用いて受信する処理を行うステップと、ユーザの周囲環境の検知結果を、前記通信手段を用いて受信する処理を行うステップと、操作通知及び検知結果に基づき、ユーザの状況に係る危険度を判定する処理を行うステップと、判定した危険度ごとに相違する表示に係る内容を規定した見守り通知情報を生成する処理を行うステップとを実行させることを特徴とする。
【００２２】
本発明に係る端末プログラムは、通信端末に、見守り対象となるユーザによるユーザ機器の操作の状況に係る見守り通知情報を受信させて、受信させた見守り通知情報に基づく出力処理を行わせるための端末プログラムにおいて、前記通信端末に、ユーザ機器の操作に係る内容を示す操作通知及びユーザの周囲環境の検知結果に基づき判定されたユーザ状況に応じた危険度ごとに相違する種類の出力処理が規定された見守り通知情報を受信する処理を行うステップと、受信した見守り通知情報の規定に応じた種類の出力処理を行うステップとを実行させることを特徴とする。
また、本発明に係る端末プログラムは、通信端末に、見守り対象となるユーザによるユーザ機器の操作の状況に係る見守り通知情報を受信させて、受信させた見守り通知情報に応じた見守り通知の表示出力処理を行わせるための端末プログラムにおいて、前記通信端末に、ユーザ機器の操作に係る内容を示す操作通知及びユーザの周囲環境の検知結果に基づき判定されたユーザ状況に応じた危険度ごとに相違する形態にした部分を含む見守り通知情報を受信する処理を行うステップと、受信した見守り通知情報に基づき、その見守り通知情報が規定した表示に係る内容を含む見守り通知の表示出力処理を行うステップとを実行させることを特徴とする。
【００２３】
本発明にあっては、ユーザ機器の操作に係る内容を示す操作通知と、ユーザの周囲環境の検知結果という複数の異なる要因でユーザの状況に係る危険度を判定するので、従来に比べて判定精度が向上し、また、判定した危険度ごとに相違する種類の出力処理が通信端末で行われるので、見守り側が出力の種類（出力される仕方）の違いで、ユーザの状況の危険度を容易且つ素早くに把握できるようになり、見守る側の対応も行いやすくなる。なお、通信端末における出力のパターンとしては、通信端末が具備する表示画面への表示出力、通信端末が具備するスピーカー等からの音出力、通信端末が具備する振動発生器からの振動出力、通信端末が具備する警告灯等からの光出力などがある。なお、本発明における通信端末としては、オペレータ又は見守る人が扱う端末が該当する（以下、同様）。
【００２４】
本発明にあっては、判定した危険度ごとに相違した部分を含む見守り通知を通信端末で表示出力するので、表示内容を見て危険度ごとに相違する部分を確認するだけで、ユーザの状況の危険度を容易且つ素早くに把握できるようになり、見守る側の対応も行いやすくなる。なお、見守り通知において、危険度ごとに相違させる部分としては、背景部分、通信端末における出力のパターンとしては、通信端末が具備する表示画面への表示出力、通信端末が具備するスピーカー等からの音出力、通信端末が具備する振動発生器からの振動出力、通信端末が具備する警告灯等からの光出力などがある。
【００２５】
本発明にあっては、操作判定レベル選択部及び検知判定レベル選択部を含む見守り通知を通信端末で表示出力すると共に、各レベル選択部で選択された判定レベルに合致したユーザ情報を含む見守り通知に係る見守り通知情報をサーバ装置が生成して通信端末へ送信するので、通信端末における見守り側で、確認したい判定レベルに応じた見守り通知の表示を、自由に切り替えることが可能となり、効率的な見守りに役立てられる。
本発明にあっては、見守り通知をバナーとして通信端末で表示出力するので、見守り側は、見守りについて何らかの通知があることを、バナーにより容易且つ素早く認識できるようになり、その後の対応等もスムーズに行いやすくなる。
【００２６】
本発明にあっては、見守り通知をアイコンとして通信端末で表示出力するので、見守り側は、見守りについて何らかの通知があることを、アイコンにより視覚的に確認でき、その後の対応等もスムーズに行いやすくなる。
本発明にあっては、最も危険度が高いユーザに係る見守り通知情報がサーバ装置で生成されて通信端末へ送信されるので、通信端末では、その時点において、最も危険度が高いユーザについての出力が行われることから、見守りに対する優先度の高いユーザから見守りに関する対応を行えるようになり、危険度の高いユーザに対して好適な見守りを効率良く行えるようになる。
【００２７】
本発明にあっては、見守り通知に操作受付部を設けて、その操作受付部でユーザ画面の要求操作を受け付けると、操作通知に係る内容及び操作通知に係る内容を含むユーザ画面に応じたユーザ画面情報をサーバ装置は生成して通信端末へ送信するので、通信端末における見守る側では、見守り通知からユーザ画面へ自由に表示内容を切り替えられようになると共に、そのユーザ画面を通じてユーザの操作状況及び周囲環境を確認できるようになり、ユーザの状況の詳細を個別に把握しやすくなる。
【００２８】
本発明にあっては、ユーザの状況に応じた対応の仕方を含むユーザ画面を通信端末で表示できるので、見守る側はユーザ画面に含まれる対応の仕方を行うことで、見守り対応をスムーズに且つ確実に行えるようになる。
本発明にあっては、ユーザ画面が、対応の完了した旨の受け付けが可能な完了受付部を含むので、通信端末に応じた見守る側から、ユーザへの見守り対応が完了した旨を入力できるようになり、この入力に基づき見守りが必要なユーザの対象管理等を効率良く行えるようになる。
【００２９】
本発明にあっては、ユーザ画面が、対応を保留にする旨の受け付けが可能な保留受付部を含むので、実際の見守り場面ではユーザに対する見守りを保留にすることなども生じるので、実際の状況に即した見守り管理を行いやすくなる。
【００３０】
本発明にあっては、ユーザ画面が、対応を行う者を変更する旨の受け付けが可能な変更受付部を含むので、見守る側のオペレータが何らかの事情により対応業務を行えない場合などに対しても、他のオペレータへの業務引き継ぎなどを行う際に、変更受付部で変更の旨を受け付けることをトリガーにしてスムーズに引き継ぎ等を行いやすくなる。
【発明の効果】
【００３１】
本発明にあっては、ユーザ機器の操作に係る内容を示す操作通知と、ユーザの周囲環境の検知結果という複数の異なる要因でユーザの状況に係る危険度を判定するので、従来に比べて判定精度を向上でき、また、判定した危険度ごとに相違する種類の出力処理が通信端末で行われるので、見守り側が出力の種類（出力される仕方）の違いで、ユーザの状況の危険度を容易且つ素早くに把握でき、見守る側の対応も行いやすくなる。
本発明にあっては、判定した危険度ごとに相違した部分を含む見守り通知を通信端末で表示出力するので、表示内容を見て危険度ごとに相違する部分を確認するだけで、ユーザの状況の危険度を容易且つ素早くに把握でき、見守る側の対応も行いやすくなる。
【００３２】
本発明にあっては、操作判定レベル選択部及び検知判定レベル選択部を含む見守り通知を通信端末で表示出力すると共に、各レベル選択部で選択された判定レベルに合致したユーザ情報を含む見守り通知に係る見守り通知情報をサーバ装置が生成して通信端末へ送信するので、通信端末における見守り側で、確認したい判定レベルに応じた見守り通知の表示を、自由に切り替えることができ、効率的な見守りを行える。
本発明にあっては、見守り通知をバナーとして通信端末で表示出力するので、見守り側は、見守りについて何らかの通知があることを、バナーにより容易且つ素早く認識でき、その後の対応等もスムーズに行える。
【００３３】
本発明にあっては、見守り通知をアイコンとして通信端末で表示出力するので、見守り側は、見守りについて何らかの通知があることを、アイコンにより視覚的に確認でき、その後の対応等もスムーズに行える。
本発明にあっては、最も危険度が高いユーザに係る見守り通知情報がサーバ装置で生成されて通信端末へ送信されるので、通信端末では、その時点において、最も危険度が高いユーザについての出力が行われることから、見守りに対する優先度の高いユーザから見守りに関する対応を行うことができ、危険度の高いユーザに対して好適な見守りを効率良く行える。
【００３４】
本発明にあっては、見守り通知に操作受付部を設けて、その操作受付部でユーザ画面の要求操作を受け付けると、操作通知に係る内容及び操作通知に係る内容を含むユーザ画面に応じたユーザ画面情報をサーバ装置は生成して通信端末へ送信するので、通信端末における見守る側では、見守り通知からユーザ画面へ自由に表示内容を切り替えることができ、そのユーザ画面を通じてユーザの操作状況及び周囲環境を確認でき、ユーザの状況の詳細を個別に把握しやすくなる。
【００３５】
本発明にあっては、ユーザの状況に応じた対応の仕方を含むユーザ画面を通信端末で表示できるので、見守る側はユーザ画面に含まれる対応の仕方を行うことで、見守り対応をスムーズに且つ確実に行うことができる。
本発明にあっては、ユーザ画面が、対応の完了した旨の受け付けが可能な完了受付部を含むので、通信端末に応じた見守る側から、ユーザへの見守り対応が完了した旨を入力でき、この入力に基づき見守りが必要なユーザの対象管理等を効率良く行うことができる。
【００３６】
本発明にあっては、ユーザ画面が、対応を保留にする旨の受け付けが可能な保留受付部を含むので、実際の見守り場面ではユーザに対する見守りを保留にすることなども生じるので、実際の状況に即した見守り管理を行うことができる。
【００３７】
本発明にあっては、ユーザ画面が、対応を行う者を変更する旨の受け付けが可能な変更受付部を含むので、見守る側のオペレータが何らかの事情により対応業務を行えない場合などに対しても、他のオペレータへの業務引き継ぎなどを行う際に、変更受付部で変更の旨を受け付けることをトリガーにしてスムーズに引き継ぎ等を行うことができる。
【図面の簡単な説明】
【００３８】
【図１】本発明の第１実施形態に係る見守りシステムの全体的な構成を示す概略図である。
【図２】テレビジョン装置の主要な内部構成を示すブロック図である。
【図３】見守り装置の主要な内部構成を示すブロック図である。
【図４】（ａ）はアンケート画面を示す概略図、（ｂ）は回答画面を示す概略図である。
【図５】（ａ）は自治体トップ画面を示す概略図、（ｂ）はくらし情報画面を示す概略図である。
【図６】サーバ装置の主要な内部構成を示すブロック図である。
【図７】ユーザＤＢの一例を示す図表である。
【図８】オペレータＤＢの一例を示す図表である。
【図９】（ａ）は操作判定テーブルの一例を示す図表であり、（ｂ）は環境判定テーブルの一例を示す図表である。
【図１０】統合判定テーブルの一例を示す図表である。
【図１１】日別回答ＤＢの一例を示す図表である。
【図１２】行政窓口テーブルの一例を示す図表である。
【図１３】トップページ画面の概要を示す概略図である。
【図１４】見守り通知画面の一例を示す概略図である。
【図１５】ユーザ画面の一例を示す概略図である。
【図１６】（ａ）はオペレータ変更メニューの概略図であり、（ｂ）は担当者変更ボタンの表記変更を示す概略図、（ｃ）は保留ボタンの表記変更を示す概略図である。
【図１７】見守り通知画面の他の例を示す概略図である。
【図１８】ユーザ画面の他の例を示す概略図である。
【図１９】オペレータ端末の主要な内部構成を示すブロック図である。
【図２０】見守り方法の処理手順を示す第１フローチャートである。
【図２１】見守り方法の処理手順を示す第２フローチャートである。
【図２２】見守り方法の処理手順を示す第３フローチャートである。
【図２３】見守り方法の処理手順を示す第４フローチャートである。
【図２４】見守り方法の処理手順を示す第５フローチャートである。
【図２５】見守り方法の処理手順を示す第６フローチャートである。
【図２６】見守り方法の処理手順を示す第７フローチャートである。
【図２７】見守り方法の処理手順を示す第８フローチャートである。
【図２８】本発明の第１実施形態の変形例に係る見守りシステムの全体的な構成を示す概略図である。
【図２９】携帯通信端末（スマートフォン）の主要な内部構成の一例を示すブロック図である。
【図３０】見守り通知画面の一例を示す概略図である。
【図３１】（ａ）は見守りウインドウの一例を示す概略図、（ｂ）は見守りバナーの一例を示す概略図、（ｃ）は見守りアイコンの一例を示す概略図である。
【図３２】見守り通知画面の他の例を示す概略図である。
【図３３】見守り通知画面の他の例を示す概略図である。
【図３４】見守り通知画面の他の例を示す概略図である。
【図３５】本発明の第２実施形態に係る見守りシステムにおける見守られる人側の機器構成を示す概略図である。
【図３６】本発明の第３実施形態に係る見守りシステムにおける見守られる人側の機器構成を示す概略図である。
【図３７】本発明の第４実施形態に係る見守りシステムにおける見守られる人側の機器構成を示す概略図である。
【発明を実施するための形態】
【実施例１】
【００３９】
図１は、本発明の第1実施形態に係る見守りシステム１の全体的な概要を示す。本実施形態の見守りシステム１により提供される見守りサービスは、家屋Ｈ１、Ｈ２・・・Ｈｎに居住する見守り対象となるユーザ（見守られる人Ｍ１、Ｍ２・・・Ｍｎ）の状況をサーバ措置３０が判定し、その判定結果をオペレータＯＰ１、ＯＰ２・・・ＯＰｎがオペレータ端末ｔ１、ｔ２・・・ｔｎでチェックすることで、ユーザを遠隔的に監視するようにしたものである。オペレータＯＰ１、ＯＰ２・・・ＯＰｎは、監視したユーザの状況を、ユーザの元へ実際に出向くこと等を行う監視者Ｋ１、Ｋ２・・・Ｋｎの携帯通信端末Ｄ１、Ｄ２・・・Ｄｎへ連絡する。このような監視者Ｋ１等としては、ユーザの近親者（家族、兄弟、親類等）、ユーザが居住する地区の自治体の担当者・職員（行政窓口）、ユーザが契約している警備会社等が該当する。
【００４０】
本発明では、ユーザの状況を遠隔的に監視できるようにするため、各家屋Ｈ１等にテレビジョン装置１０、温度センサ２７、湿度センサ２８、見守り装置５、及び通信接続装置２（例えば、ルータ）等を設置している。テレビジョン装置１０からはユーザ操作に係る内容を示す操作通知が出力され、温度センサ２７及び湿度センサ２８からはそれぞれ検知結果が出力される。これら操作通知及び検知結果は、見守り装置５を経由して通信接続装置２からネットワークを介し、サーバ装置３０へ送信されている。サーバ装置３０では送信されてきた内容（操作通知及び検知結果）に基づきユーザの状況を判定する。このように、本発明は、テレビジョン装置１０（ユーザ機器に相当）の操作状況だけでなく、ユーザ周囲の環境も加味して、複数の事由に基づき総合的にユーザの状況をサーバ装置３０が判定するようにしたことが特徴になっている。なお、図１において、見守りシステム１を端的に示すため、家屋Ｈ１以外の家屋Ｈ２等では、テレビジョン装置１０、温度センサ２７、湿度センサ２８、見守り装置５、及び通信接続装置２等の図示を省略している。
【００４１】
また、温度センサ２７及び湿度センサ２８（各センサ２７、２８は環境検知手段に相当）は、テレビジョン装置１０をユーザが視聴するときに、ユーザの周囲環境を検知するために、ユーザが位置する場所付近に設置することが好ましい。さらに、各センサ２７、２８から出力する検知結果の出力間隔は適宜、設定可能になっており、本実施形態では一例として５分間隔で検知結果が出力されるようになっているが、この時間に限定されるものではなく、より細かく周囲環境を検知するときなどは、５分間隔より短く設定することになり（例えば、３分間隔、１分間隔、３０秒間隔、間隔無し等）、一方、周囲環境の検知に係る処理負荷を低減するときなどには、５分間隔より長く設定することになる（例えば、１０分間隔、１５分間隔、２０分間隔等）。
【００４２】
本実施形態で用いるテレビジョン装置１０は、ユーザにより何らかの操作が行われると、そのユーザ操作に係る内容を示す操作通知を出力する仕様になっており、例えば、テレビジョン装置１０の電源ボタンがユーザにより押圧されて、電源オン操作又は電源オフ操作が行われると、電源オン操作が行われた旨を示す操作通知、又は電源オフ操作が行われた旨を示す操作通知がテレビジョン装置１０から出力される。
【００４３】
さらに、本実施形態のテレビジョン装置１０は、通常のテレビ放送の受信機能等に加えて、サーバ装置３０から配信される各種情報（生活に関する情報（天気予報、市及び町の情報、商店街の情報など）の表示出力を可能にしている。そして、サーバ装置３０が、ユーザの状況を確実に把握できるようにするため、テレビジョン装置１０等で表示出力が可能な各種情報の中に、ユーザの具合等を尋ねるためのアンケート（質問）を含ませており、このアンケート（質問）に対する回答操作をユーザが行うと、回答操作で指定された回答を示す内容も、上記の操作通知としてテレビジョン装置１０から出力されるようになっている。
【００４４】
また、本発明では、サーバ装置３０が判定したユーザの状況を、危険度に応じた判定レベルごとに纏めた画面として、オペレータ端末ｔ１、ｔ２・・・ｔｎで表示できるようにしており、このような画面を通じて、オペレータＯＰ１、ＯＰ２・・・ＯＰｎは、一目でユーザの状況を確認できると共に、行うべき対応業務も素早く把握可能にしている。
【００４５】
判定されたユーザ状況のレベルに応じてオペレータＯＰ１等が行う対応業務のパターンとしては、「駆けつけ依頼」、「電話依頼」、「メール依頼」等が存在する。「駆けつけ依頼」は、見守り状況レベルにおける危険度の度合い（レベル）が高いことから、直ちにユーザの元へ出向く必要があり、ユーザの元へ駆けつける人へ連絡することが、オペレータＯＰ１等の対応業務になる。実際にユーザの元へ駆けつける人は、各ユーザの事情等によりユーザごとに異なっており、ユーザごとに事前に登録された出向く人（上述した監視者Ｋ１等）へオペレータＯＰ１等が連絡を行う。なお、見守りサービスが中・小規模の場合、又はサービス内容等によっては、オペレータ自身が直接、ユーザの元へ駆けつけることもある。
【００４６】
また、「電話依頼」は直ちに、ユーザの元へ出向く必要は無いが、ユーザと会話して直接、ユーザから状況を確かめることが必要なため、ユーザへ電話するように、上述した監視者Ｋ１等へオペレータＯＰ１等が連絡する場合である。なお、この場合も、オペレータ自身が直接、ユーザの電話することもある。さらに、「メール依頼」は直ちに、ユーザの元へ出向く必要は無いが、ユーザの状況を問い合わせるため、ユーザへ電子メールを送信するように、上述した監視者Ｋ１等へオペレータＯＰ１等が連絡する場合である。なお、この場合も、オペレータ自身が直接、電子メールをユーザへ電話することもある。
【００４７】
オペレータＯＰ１、ＯＰ２・・・ＯＰｎが用いるオペレータ端末ｔ１、ｔ２・・・ｔｎとしては、通信機能を有するパーソナルコンピュータ、携帯型通信端末（通信機能を具備するノート型パソコン、タブレット、スマートフォン、通信機能付きＰＤＡ、携帯電話等）のようなコンピュータ端末を適用できる。また、監視者Ｋ１、Ｋ２・・・Ｋｎは、携帯通信端末Ｄ１、Ｄ２・・・Ｄｎを用いて、オペレータＯＰ１等からの連絡を受けられるようにしており、これら携帯通信端末Ｄ１、Ｄ２・・・Ｄｎとしては、有線又は無線による通信機能を具備するノート型パソコン、タブレット、スマートフォン、通信機能付きＰＤＡ、携帯電話等を適用できる。
【００４８】
なお、本発明は、ユーザ数が数十人から数百人程度の規模の小・中規模の見守りサービスから、ユーザ数が数百人のレベルを超える大規模の見守りサービスにまで適用可能である。また、本実施形態では、各ユーザ（見守られる人Ｍ１、Ｍ２・・・Ｍｎ）を複数のグループ（グループＡ、Ｂ、Ｃ等）に分けると共に、各グループを担当するオペレータＯＰ１、ＯＰ２・・・ＯＰｎを決めて、見守りが行われるようにしている。以下、本発明の詳細について説明していく。
【００４９】
図２は、ユーザの家屋Ｈ１等に設置されるユーザ機器であるテレビジョン装置１０の主要な内部構成の概要を示している。テレビジョン装置１０は、前処理部１１、デコード部１２、赤外線処理部１３、制御部１４、メモリ１５、操作部１６、外部接続部１７、表示出力処理部１８ａ、及び音声出力処理部１８ｂ等を内部接続線Ｌで接続した構成になっている。これらの各部１１等は、内部接続線Ｌを通じて制御部１４と信号の送受を行っており、各部１１等は現在の処理状況等を示す信号を制御部１４へ伝えると共に、制御部１４は各部１１等から伝えられた処理状況等により現在の処理状況を把握し、把握した状況に応じて次に行う処理を制御するための制御信号を各部１１等へ送っている。このようなテレビジョン装置１０の各部は、以下のようになっている。
【００５０】
前処理部１１は、チューナ部、Ａ／Ｄ変換部、直交検波部、ＦＦＴ部、及び復調部を含み、アンテナで取得されたＲＦ信号（デジタル放送信号）が入力されており、この入力信号に対し所定の処理を行ってトランスポートストリーム（ＴＳ）を復調し、次の処理を行うデコード部１２へ伝送する。デコード部１２は、前処理部１１で復調されたトランスポートストリームに対して、デコード処理を行い、映像、音声、その他データに分離し、分離した映像ストリームに対しては映像デコード処理を行って表示出力処理部１８ａへ出力すると共に、分離した音声ストリームに対しては音声デコード処理を行って音声出力処理部１８ｂへ出力する。
【００５１】
表示出力処理部１８ａは、所定の映像表示に必要な処理を行って映像信号を生成し、生成した映像信号を表示画面１０ａへ出力し、それにより表示画面１０ａには、放送番組等の放送映像が表示出力される。また、音声出力処理部１８ｂは、増幅等の音声出力に必要な所定の処理を行って音声信号を生成し、生成した音声信号をスピーカー１０ｂへ送り、スピーカー１０ｂから各種音声を出力する。
【００５２】
一方、ユーザとのインタフェース系に関する部分として、赤外線処理部１３は、周知の赤外線規格（例えば、IrDA系の各規格）に応じた通信処理（信号・データの送受処理）を行うものであり、基本的には、ユーザからの操作を受け付けるリモコン装置１９から発せられる操作信号を含む赤外線を受光して、制御部１４へ伝える処理を行う。なお、制御部１４は、テレビジョン装置１０が具備する各種機能を実行する際に中心的な役割を担うものであり、メモリ１５に記憶された基本プログラムＰ１に規定される様々な処理内容に基づき、各種処理（操作通知等の各種情報の出力処理等）を行う手段として機能する。
【００５３】
また、テレビジョン装置１０は、記憶媒体としてメモリ１５を具備している。メモリ１５に記憶されるものは、テレビジョン装置の基本機能に関するものであり、具体的には、基本プログラムＰ１、ＯＳＤ表示テーブルＴｂ１、及び装置識別情報Ｉ１等がある。
【００５４】
基本プログラムＰ１は、テレビジョン装置１０のファームウェア及びシステムプログラム等に相当するものであり、テレビジョン装置１０がテレビジョン装置としての各種機能（テレビジョン放送を視聴するための各種機能、操作通知等の各種情報の出力機能等）を働かせるために必要な制御部１４の各種処理を規定したものである。ＯＳＤ表示テーブルＴｂ１とは、各種メニュー又は警告等に用いる画像及びテキスト等を適宜ＯＳＤ表示するための複数の表示パーツデータを格納したテーブルである。装置識別情報Ｉ１とは、テレビジョン装置１０の識別コードを示す情報であり、他の装置等へ情報を出力する際に、テレビジョン装置１０を識別するために使用できる情報となっている。
【００５５】
操作部１６は、テレビジョン装置１０の筐体に設けられたユーザインタフェースであり、電源オン／オフの切替を行う電源ボタン１６ａの他に、音量切替ボタン、チャンネル切替ボタン、入力切替ボタン等を設けている。
【００５６】
また、外部接続部１７は外部装置との接続通信手段に相当し、周知の接続規格（例えば、HDMI（登録商標）接続端子、USB接続端子、IEEE1394系の接続端子等）に基づく接続処理を制御部１４の制御に従って行う。なお、本実施形態の外部接続部１７は、HDMI（登録商標）に基づくものであり、接続ケーブルにより見守り装置５と接続される。外部接続部１７は後述するように、見守り装置５から送られてきた表示パーツデータ（表示画面データ）を受信すると、制御部１４は、メモリ１５に記憶されているＯＳＤ表示テーブルＴｂ１の中の必要な表示パーツデータと合わせて、表示用の画面データを生成し、生成した画面データを表示出力処理部１８ａへ送る制御を行うことで、表示画面１０ａに、外部接続部１７で取得した表示画面データに基づく各種画面も表示出力できるようにしている。このように表示出力される各種画面の例としては、図４、５に示すものがあり、本実施形態のテレビジョン装置１０は、外部接続部１７で表示パーツデータを受信した場合、優先的に、受信した表示パーツデータに応じた画面を表示画面１０ａに表示するようになっている。
【００５７】
また、ユーザによりテレビジョン装置１０の遠隔操作を行うためのリモコン装置１９は、テレビジョン装置１０の電源オン／オフの切替を行う電源ボタンを有すると共に、計１２個のボタンからなる数字ボタン、上下左右キー、決定ボタン、音量調整キー、チャンネル切替キー、質問要求ボタン、戻るボタン、終了ボタン、メニューボタンに加えて、計４個のカラーボタン（青ボタン、赤ボタン、緑ボタン、黄ボタン）を有する。これらの各ボタン、スイッチでユーザからの操作を受け付けると、操作を受け付けた内容を示す赤外線がリモコン装置１９より発せられる。なお、上述した操作部１６の電源ボタン１６ａ又はリモコン装置の電源ボタンのいずれかがユーザにより操作されることで、電源オン操作又は電源オフ操作がなされる。
【００５８】
このようにユーザにより、電源オン操作、又は電源オフ操作がなされると、制御部１４は、基本プログラムＰ１の規定により、電源オン操作が有った旨を示す操作通知、又は電源オフ操作が有った旨を示す操作通知を、外部接続部１７から出力する制御を行うことになる。それにより、外部接続部１７に接続された外部の装置は、テレビジョン装置１０の電源オン操作、又は電源オフ操作が行われたことを把握できるようになる。なお、後述するように、制御部１４は、表示画面１０ａに表示出力されたアンケート（質問）に対する回答操作により指示された回答の内容を示す操作通知も外部接続部１７から出力する制御を行う。
【００５９】
図３は、上述したテレビジョン装置１０の外部接続部１７に接続される見守り装置５の主要な内部構成を示している。本実施形態の見守り装置５は一種のコンピュータ的な内部構成になっており、全体的な制御及び各種処理を行う制御部５ａに、各種デバイス等を内部接続線５ｉで接続したものになっており、各種デバイス等には、通信部５ｂ、ＲＯＭ５ｃ、ＲＡＭ５ｄ、外部機器接続部５ｅ、センサ接続部５ｆ、記憶部５ｇ等がある。
【００６０】
通信部５ｂは、広域ネットワークとの接続モジュールに相当する通信デバイスであり、所要の通信規格（例えば、IEEE等によるＬＡＮ規格、又はDLNA等による規格等）に応じた通信手段であり（例えばＬＡＮモジュール）、通信ケーブル（例えば、ＬＡＮケーブル）が接続可能になっている。この通信部５ｂは、通信ケーブル及び図１に示す通信接続装置２（例えば、ルータ）等を介して広域ネットワークと接続されており、見守り装置５がサーバ３０等と通信することを可能にしている。なお、通信部５ｂには各種無線通信規格に基づく無線通信を行う仕様を適用することも可能である。
【００６１】
ＲＯＭ５ｃは、制御部５ａの基本的な処理内容を規定したプログラム等を記憶するものである。ＲＡＭ５ｄは、制御部５ａの処理に伴う内容、ファイル等を一時的に記憶するものである。外部機器接続部５ｅは、外部機器との接続を行うインタフェースであり、本実施形態では、HDMI（登録商標）に応じた仕様になっており、上述したように、接続ケーブルを介してテレビジョン装置１０と接続されており、テレビジョン装置１０から出力されてくる各種情報（例えば、操作通知）を受信して取得すると共に、テレビジョン装置１０へもコマンド、表示コンテンツ等を送信するようになっている。なお、外部機器接続部５ｅで取得された各種情報は、ＲＡＭ５ｄで一時的に記憶されるものとする。
【００６２】
センサ接続部５ｆは、図１に示した温度センサ２７及び湿度センサ２８が、接続線を介して接続されるものであり、温度センサ２７から出力されてくる検知結果（検知された温度）と、湿度センサ２８から出力されてくる検知結果（検知された湿度）を、それぞれ受信して取得する処理を行う。なお、取得された検知結果は、外部機器接続部５ｅで取得された各種情報と同様に、ＲＡＭ５ｄに一時的に記憶されるものとする。
【００６３】
記憶部５ｇは、各種プログラム、テーブル、情報等を記憶するものであり、具体的には、システムプログラムＰ１０、見守りプログラムＰ１１、見守りサービス用表示テーブルＴｂ１０、ユーザ情報６、閾値時間７、装置ＩＤ８等を記憶している。
【００６４】
システムプログラムＰ１０は、オペレーティングシステムに相当するものであり、見守り装置５を一種のコンピュータとして機能させるために、制御部５ａが行う各種制御処理を規定したものであり、このシステムプログラムＰ１０の規定により、通信部５ｂを介した通信機能、記憶部５ｇ、ＲＡＭ５ｄへの記憶機能等が動作する。見守りプログラムＰ１１は、見守り装置５が本実施形態に応じた見守りに関する処理を行うための制御部５ａに関する制御内容を規定したものであり、詳細は後述する。
【００６５】
見守りサービス用表示テーブルＴｂ１０とは、見守りサービスに関する画面に係る画像及びテキスト等をテレビジョン装置１０の表示画面１０ａに表示するために用いられる各種表示パーツデータを格納したものであり、本実施形態では、図４、５等に示す各種画面に応じた表示パーツデータを含んでいる。
【００６６】
例えば、図４（ａ）に示すアンケート画面（質問画面）２１については、ユーザの体調等を問う内容の質問等を示すテキストと、その質問に対する複数の回答を示す選択肢として、「よい」に応じた第１ボタン２１ａ、「ふつう」に応じた第２ボタン２１ｂ、及び「わるい」に応じた第３ボタン２１ｃを含むと共に、回答以外の場合の「電話ほしい」に応じた第４ボタン２１ｄ、及び「外出予定」に応じた第５ボタン２１ｅを含んだ表示パーツデータになっている。なお、第１ボタン２１ａ〜第３ボタン２１ｃはユーザの回答操作を受け付ける手段に相当する。
【００６７】
テキストに含まれる「○○○さん」の部分には、後述するユーザ情報６に含まれるユーザ名称（又はニックネーム）等が記憶部５ｇより読み出されて、アンケート画面２１用のテキスト及び表示パーツデータ等と共に、見守り装置５からテレビジョン装置１０へ送られることで、「○○○さん」の部分にユーザ名称が配置された状態で、テレビジョン装置１０にて表示出力されることになる。
【００６８】
また、アンケート画面２１用のテキストに含まれる「おはようございます」という文言は、時間帯に応じた定型の挨拶文が、テレビジョン装置１０で表示される際に貼り付けられるようになっており、「こんにちは」、「こんばんは」というような他の挨拶文に応じたテキストが見守りサービス用表示テーブルＴｂ１０に含まれており、見守り装置５の制御部５ａが時間帯に応じた挨拶文を見守りサービス用表示テーブルＴｂ１０から読み出して、アンケート画面２１用のテキストに含ませてテレビジョン装置１０へ送っている。
【００６９】
また、表示パーツデータである第１ボタン２１ａ〜第５ボタン２１ｅは、図４（ａ）に示す状態で、テレビジョン装置１０の表示画面１０ａに表示されると、テレビジョン装置１０のリモコン装置１９に設けられた上下左右キー（カーソルキー）及び決定ボタンをユーザが適宜操作することで選択可能になっており（回答操作の受け付けに該当）、いずれかのボタンの回答操作をリモコン装置１９で受け付けると、受け付けた回答操作が指定する回答（例えば、第１ボタン２１ａが選択された場合は「よい」という回答。第２ボタン２１ｂが選択された場合は「ふつう」という回答）を示す操作通知が、テレビジョン装置１０の外部接続部１７から出力されて、見守り装置５へ送られることになる。
【００７０】
なお、「外出予定」に応じた第５ボタン２１ｅがユーザにより選択操作が行われて、操作通知が見守り装置５へ送られた場合は、見守り装置５の制御部５ａは、見守りサービス用表示テーブルＴｂ１０の中から、図示しない別の質問画面用の表示パーツデータを読み出して、テレビジョン装置１０へ送ることになる。それにより、テレビジョン装置１０には、外出予定の日数（１日、２日、３日等）」の選択可能な項目が含まれる質問画面が表示され、そして、そのような項目を選択する回答操作がユーザにより行われると、その選択された項目に応じた外出予定の日数を示す操作通知がサーバ装置３０へ送信されるようになっている。なお、見守り装置５では送られてきた外出予定の日数等を含む情報を一旦記憶部５ｇに記憶すると共に、サーバ装置３０へも通知するものとする。
【００７１】
図４（ｂ）に示す回答画面２２は、図４（ａ）に示すアンケート画面２１の次にテレビジョン装置１０で表示出力されるものであり、図４（ａ）のアンケート画面２１に対して、いずれかのボタン２１ａ〜２１ｅが選択されると、図４（ｂ）の回答画面２２に表示が切り替わる。回答画面２２は、中央部分を、サーバ装置３０から送信されてくる回答履歴情報２２ａが貼り付けられる箇所にしており、また、最上段の「くらしサポート」というテキスト、回答履歴情報２２ａの上部に配置されるテキスト及び最下段のバー状のテキスト（決定ボタンを押すと次の画面に切り替わります）に応じたパーツデータを見守りサービス用表示テーブルＴｂ１０から読み出して、見守り装置５は、回答履歴情報２２ａと共に、テレビジョン装置１０へ送っている。なお、回答履歴情報２２ａの上部のテキストに含まれる「○○○さん」の部分は、上記図４（ａ）と同様であり、「△△△」には、図４（ａ）で選択された回答の内容がテレビジョン装置１０で貼り付けられて、図４（ｂ）の回答画面２２が生成され、表示画面１０ａに表示される。
【００７２】
図５（ａ）に示す自治体トップ画面２３は、上述した図４（ｂ）の回答画面２２を表示していた状態でリモコン装置１９の決定ボタンが選択されると、回答画面２２から切り替わって、テレビジョン装置１０に表示されるものである。自治体トップ画面２３は、基本的に、ユーザの家屋が位置する自治体の自治体サービス提供システムが開設するウェブサイトのトップページを配置したものになっており、最上段の「くらしサポート」というテキスト及び最下段のバー状のテキスト（終了ボタンを押すとテレビ画面に切り替わります）の間の箇所に、ウェブサイトのトップページが配置されたものになっている。このような自治体に係るウェブサイトは、サーバ装置３０を介して配信されてくるようになっており、見守り装置５は、サーバ装置３０から自治体のウェブサイトのトップページデータを取得し、取得したトップページデータを配置した画面データをテレビジョン装置１０へ送ることで、テレビジョン装置１０の表示画面１０ａに、自治体トップ画面２３が表示される。
【００７３】
なお、自治体サービス提供システムのトップページを含む自治体トップ画面２３は、複数の選択欄２３ａ〜２３ｇを配置したものになっており、最上段のバー状の選択欄２３ｇは、リモコン装置１９の「１０」の数字ボタンに対応付けられると共に、最新情報を提供するウェブページ（例えば、放射能関連情報を提供するウェブサイト）へのリンクが付されており、「１０」の数字ボタンの押圧操作がなされると、ウェブサイトのリンクを示す操作通知がテレビジョン装置１０から見守り装置５へ送られ、見守り装置５は、送られてきたウェブサイトのリンクへアクセスして取得したウェブページ画面をテレビジョン装置１０へ送ることで、テレビジョン装置１０での表示が、リンク先の放射能関連情報を提供するウェブサイト画面に遷移することになる。
【００７４】
また、自治体トップ画面２３の上段左端の第１選択欄２３ａは、リモコン装置１９の「１」の数字ボタンに対応付けられると共に、天気予報を提供するウェブページへのリンクが付されており、「１」の数字ボタンの押圧操作がなされると、上述した「１０」の数字ボタンの場合と同様の処理が行われ、テレビジョン装置１０での表示が、リンク先の天気予報を提供するウェブサイト画面に遷移することになる。
【００７５】
自治体トップ画面２３の上段真ん中の第２選択肢２３ｂは、リモコン装置１９の「２」の数字ボタンに対応付けられると共に、自治会のくらしに関する情報を提供するページへのリンクが付されており、「２」の数字ボタンの押圧操作がなされると、上述した各数字ボタンの場合と同様の処理が行われ、テレビジョン装置１０での表示が、リンク先の図５（ｂ）のくらし情報（ごみ収集日）画面２４へと遷移する。
【００７６】
また、自治体トップ画面２３の上段右端の第３選択肢２３ｃは、リモコン装置１９の「３」の数字ボタンに対応付けられると共に、自治会情報を提供するページへのリンクが付されており、「３」の数字ボタンの押圧操作がなされると、上述した各数字ボタンの場合と同様の処理が行われ、テレビジョン装置１０での表示が、リンク先の町内会情報画面（町内会のお知らせを伝える画面）へ遷移する。
【００７７】
さらに、自治体トップ画面２３の下段左端の第４選択欄２３ｄは、リモコン装置１９の「４」の数字ボタンに対応付けられると共に、ユーザが居住する市の情報を提供するウェブページへのリンクが付されており、「４」の数字ボタンの押圧操作がなされると、上述した各数字ボタンの場合と同様の処理が行われ、テレビジョン装置１０での表示が、市の情報を提供するウェブサイト画面に遷移する。
【００７８】
さらにまた、自治体トップ画面２３の下段真ん中の第５選択肢２３ｅは、リモコン装置１９の「５」の数字ボタンに対応付けられると共に、商店街に関する情報を提供するページへのリンクが付されており、「５」の数字ボタンの押圧操作がなされると、上述した各数字ボタンの場合と同様の処理が行われ、テレビジョン装置１０での表示が、リンク先の商店街に関する情報を提供するウェブサイト画面へ遷移する。
【００７９】
そして、自治体トップ画面２３の下段右端の第６選択肢２３ｆは、リモコン装置１９の「６」の数字ボタンに対応付けられると共に、見守りサービスを運営する企業に関する情報を提供するページへのリンクが付されており、「６」の数字ボタンの押圧操作がなされると、上述した各数字ボタンの場合と同様の処理が行われ、テレビジョン装置１０での表示が、リンク先の見守りサービスを運営する企業に関する情報を提供するウェブサイト画面へ遷移する。
【００８０】
また、図３に示す見守り装置５の記憶部５ｇに記憶されているユーザ情報６とは、見守り装置５が接続されるテレビジョン装置１０を操作するユーザ（見守りサービスに登録している見守られる人Ｍ１）の情報であり、その中身としては、ユーザの氏名、ユーザを識別するための識別情報（ユーザＩＤ）等がある。このような中身のユーザ情報６は、見守りサービスへの契約・登録の際、ユーザから見守りサービスの運営会社へ提出された個人情報（氏名、住所、年齢、性別、見守る人の連絡先、ユーザパスワード等）、及びその他の情報（各見守り状況レベルにおける希望する対応の仕方）等の中のユーザに関連する情報が該当する。このような情報が見守りサービスの運営会社からサーバ装置３０を経由して見守り装置５へ送られてくるので、その送られてきた情報を、見守り装置５は、ユーザ情報６として記憶部５ｇに記憶している。
【００８１】
さらに、見守り装置５が記憶部５ｇに記憶する閾値時間７とは、後述する見守りプログラムＰ１１が規定する複数の処理の中の一つの処理で用いられるものであり、本実施形態では、デフォルトの値として３分が設定されているが、図示しない設定メニューにより、１０秒から１５分の間で、所望の値に設定可能となっている。さらにまた、見守り装置５が記憶部５ｇに記憶する装置ＩＤ８とは、見守り装置５を識別する識別情報であり、サーバ装置３０等と通信を行う際に、通信内容に付帯させて、通信の一方が見守り装置５であることを、通信の相手方に通知するものである。
【００８２】
また、見守り装置５が記憶部５ｇに記憶する見守りプログラムＰ１１は、本発明に係る見守りサービスを行う上で、見守られる側の処理を規定したアプリケーションプログラムに該当し、見守り装置５の記憶部５ｇにアプリとして適宜インストールされる（なお、見守り装置５の製造時に、記憶部５ｇへ予めインストールしておくことも可能である）。見守りプログラムＰ１１は、見守りサービスに関して、見守り装置５の制御部５が行う処理内容を規定したものであり、具体的には以下のような様々な処理内容を規定している。
【００８３】
見守りプログラムＰ１１が規定する処理内容の例としては、先ず、電源オン／オフ操作を示す操作通知に関するものがある。テレビジョン装置１０から出力されてきて受信した操作通知が、電源オン操作を示すものであるとき、又は、電源オフ操作を示すものであるとき、その受信した操作通知を、ユーザ情報６に含まれるユーザＩＤ及び装置ＩＤ８と共に、通信部５ｂを用いてサーバ装置３０へ送信する制御処理を制御部５ａが行うことを、見守りプログラムＰ１１は規定する。
【００８４】
また、見守りプログラムＰ１１は、電源オン操作を示す操作通知を受信した場合、図４（ａ）に示すアンケート画面２１をテレビジョン装置１０で表示するために、アンケート画面２１に応じた表示パーツデータ（表示画面データ）を、記憶部５ｇに記憶されている見守りサービス用表示テーブルＴｂ１０から読み出して、テレビジョン装置１０へ外部機器接続部５ｅから送信する制御を制御部５ａが行うことを規定している。そして、アンケート画面２１用の表示パーツデータを送信してから、アンケート画面２１に含まれる第１ボタン２１ａ〜第５ボタン２１ｅの選択による回答操作に応じた操作通知を、外部機器接続部５ｅで受信するまでの時間を計時（計測）する処理も制御部５ａが行うことを、見守りプログラムＰ１１は規定している。
【００８５】
さらに、見守りプログラムＰ１１は、計時した時間が、記憶部５ｇに記憶されている閾値時間Ｆを超過したか否かを制御部５ａが比較する処理を行うことも規定している。比較の結果、計測した時間が閾値時間Ｆを超過せず、その間に、第１ボタン２１ａ〜第５ボタン２１ｅのいずれか一つを選択した回答操作に応じた回答を示す操作通知を、外部機器接続部５ｅで受信した場合、その回答を示す操作通知を、装置ＩＤ８及びユーザＩＤと共にサーバ装置３０へ通信部５ｂを用いて送信する制御を制御部５ａが行うことを見守りプログラムＰ１１は規定している。さらに、第１ボタン２１ａ〜第５ボタン２１ｅのいずれかの選択に係る回答操作に応じた操作通知を受信しないで、比較の結果、計測した時間が閾値時間Ｆを超過した場合、アンケート画面２１の回答操作無しという旨を示す操作通知を、装置ＩＤ８及びユーザＩＤと共にサーバ装置３０へ通信部５ｂを用いて送信する制御を制御部５ａが行うことを見守りプログラムＰ１１は規定する。
【００８６】
なお、見守りプログラムＰ１１は、図４（ａ）のアンケート画面２１で第１ボタン２１ａ〜第４ボタン２１ｄの選択に応じた回答操作の操作通知を外部機器接続部５ｅで受け付けた場合、図４（ｂ）の回答画面２２に応じた表示パーツデータ（表示画面データ）を外部機器接続部５ｅから送信して、テレビジョン装置１０に回答画面２２を表示させる制御を制御部５ａが行うことを規定しており、また、第５ボタン２１ｅの選択に応じた回答操作の操作通知を外部機器接続部５ｅで受け付けた場合、上述したように、外出予定日数を尋ねる質問画面（図示せず）に応じた表示パーツデータ（表示画面データ）を外部機器接続部５ｅから送信して、その質問画面をテレビジョン装置１０に表示させる制御を制御部５ａが行うことを規定している。
【００８７】
また、図４（ｂ）の回答画面２２が表示された状態で、リモコン装置１９の決定ボタンが操作された旨の操作通知を外部機器接続部５ｅで受け付けた場合、図５（ａ）の自治体トップ画面２３に応じた表示パーツデータ（表示画面データ）を外部機器接続部５ｅから送信して、テレビジョン装置１０に自治体トップ画面２３を表示させる制御を制御部５ａが行うことを規定している。
【００８８】
そして、図５（ａ）の自治体トップ画面２３が表示された場合、上述したようにリモコン装置１９の「１」〜「６」及び「１０」の数字ボタンが操作された旨の操作通知を外部機器接続部５ｅで受け付けた場合、見守り装置５（制御部５ａ）は、操作された数字ボタンにリンクされたＵＲＬのウェブサイトへアクセスし、所定のウェブサイト画面を取得して、取得したウェブサイト画面に応じた表示画面データ（例えば、図５（ｂ）のくらし情報画面２４に応じた表示画面データ）を外部機器接続部５ｅからテレビジョン装置１０へ送信して、テレビジョン装置１０で各ウェブページに応じた画面を表示させる制御を制御部５ａが行うことを見守りプログラムＰ１１は規定する。
【００８９】
また、図５（ａ）の自治体トップ画面２３で終了ボタンが操作されることで、終了ボタンが操作された旨の操作通知を外部機器接続部５ｅで受け付けた場合、外部機器接続部５ｅからの表示画面データの送信を終了することを見守りプログラムＰ１１は規定する。なお、このように外部機器接続部５ｅからの表示画面データが途絶えた場合、テレビジョン装置１０では、ラストチャンネル機能に基づくチャンネル又はデフォルトで指定されるチャンネルのテレビジョン放送の画面に表示を切り替えることになる。
【００９０】
一方、センサ接続部５ｆで各センサ２７、２８の検知結果（温度、湿度）を受信した場合、受信した検知結果をＲＡＭ５ｄに一時的に記憶すると共に、記憶部５ｇに記憶されたユーザＩＤ及び装置ＩＤ８を読み出して、ＲＡＭ５ｄに記憶された検知結果に付帯させ、ユーザＩＤ及び装置ＩＤ８が付帯した状態で検知結果を通信部５ｂを用いてサーバ装置３０へ送信する制御処理を制御部５ａが行うことを、見守りプログラムＰ１１は規定している。次に、見守り装置５と通信を行うサーバ装置３０について説明する。
【００９１】
図６は、見守りサービス（見守りシステム１）のサーバ装置３０の主要な内部構成を示している。本実施形態のサーバ装置３０には一般的なサーバコンピュータ（ウェブサーバ機能を有するコンピュータ）を適用しており、全体的な制御及び各種処理を行うＭＰＵ３０ａ（制御部３０ａ）に、各種デバイス等を内部接続線３０ｈで接続したものになっており、各種デバイス等には、通信モジュール３０ｂ、ＲＡＭ３０ｃ、ＲＯＭ３０ｄ、入力インタフェース３０ｅ、出力インタフェース３０ｆ、大容量記憶システム（ＨＤＤシステム）３０ｇ等がある。
【００９２】
通信モジュール３０ｂは通信手段に相当し、広域ネットワークとの接続モジュールに相当する通信デバイスであり、所要の通信規格に応じたものである（例えばＬＡＮモジュール）。通信モジュール３０ｂは、所要の通信機器（図示は省略。例えばルータ等が該当）を介して広域ネットワークと接続されており、図１に示すように、各見守られる人の家屋Ｈ１等に設置された見守り装置５、オペレータ端末ｔ１、ｔ２・・・ｔｎ、監視者Ｋ１、Ｋ２・・・Ｋｎの携帯通信端末Ｄ１、Ｄ２・・・Ｄｎ等との通信を可能にしている。
【００９３】
ＲＡＭ３０ｃは、ＭＰＵ３０ａの処理に伴う内容、ファイル等を一時的に記憶するものであり、ＲＯＭ３０ｄは、ＭＰＵ３０ａの基本的な処理内容を規定したプログラム等を記憶するものである。入力インタフェース３０ｅは、見守りサービスの運営会社のシステム管理者等からの操作指示等を受け付けるキーボード３０ｉ、マウス等が接続されるものであり、システム管理者等から受け付けた操作指示等をＭＰＵ３０ａへ伝える。出力インタフェース３０ｆは、ディスプレイ３０ｊ（表示出力装置）が接続されるものであり、ＭＰＵ３０ａの処理に伴う内容をディスプレイ３０ｊへ出力し、システム管理者等が現在の処理内容等を確認できるようにしている。
【００９４】
大容量記憶システム３０ｇ（記憶デバイスに相当）は、各種データベース（ＤＢ）、テーブル及びプログラム等を記憶するものであり、具体的には、基本プログラムＰ２０、見守りシステムプログラム３１（コンピュータプログラムに相当）、ユーザＤＢ３２、オペレータテーブル３３、操作判定テーブル３４、環境判定テーブル３５、統合判定テーブル３６、回答ＤＢ３７、行政窓口テーブル３８、ウェブサイトテーブル３９等を記憶している。
【００９５】
基本プログラムＰ２０は、サーバ用のオペレーションシステムに応じた各種処理を規定したものであり、この規定内容に基づいた処理をＭＰＵ３０ａが行うことで、サーバ装置３０はサーバコンピュータとしての基本的な機能を果たす。見守りシステムプログラム３１の説明は後述し、先に、ユーザＤＢ３２等の説明を行う。
【００９６】
図７は、ユーザＤＢ３２の中身の概要を示している。ユーザＤＢ３２は、見守りサービスを利用するユーザの個人情報を格納したデータベースであり、ユーザＩＤに対応付けて、ユーザの氏名、住所、電話番号、メールアドレス、ユーザが属するグループ、及び非常時連絡先等を格納したものになっている。非常時の連絡先は、複数の連絡先の登録が可能であり、登録される連絡先としては、図１における監視者Ｋ１等が該当し、具体的にはユーザの家族又は親族の電話番号・電子メールアドレス、ユーザが駆けつけを依頼する警備会社又はデイサービス等と契約している場合は、警備会社又はデイサービス等の電話番号・電子メールアドレス等、ユーザが自治体の行政窓口に訪問等を依頼している場合は、行政窓口の電話番号・電子メールアドレス等が格納される。また、これらの連絡先には、連絡する相手の氏名（担当者）及びユーザとの関係等も対応付けて記憶される。さらに、連絡先が複数登録されている場合は、優先順位も格納される（表中に（１）、（２）等で示す）。なお、ユーザＤＢ３２に格納される個人情報は、見守りサービスの契約時等に運営会社へユーザが提出した内容に該当するものであり、見守りサービスへ新たにユーザが加入又は見守りサーバからユーザが抜けるごとに随時、ユーザＤＢ３２の中身は更新される。
【００９７】
図８は、大容量記憶システム３０ｇに記憶されるオペレータテーブル３３の中身の概要を示している。オペレータテーブル３３は、見守りサービスにおいて、ユーザ状況のチェックを行うために登録されているオペレータＯＰ１、ＯＰ２・・・ＯＰｎに関する情報を格納したものである。なお、オペレータテーブル３３の中身は、新たなオペレータが採用された場合、又は勤務していたオペレータが外れた場合などに更新される。
【００９８】
オペレータテーブル３３の中のオペレータＩＤとは、見守りサービスを運営する上で、見守り業務に従事するオペレータＯＰ１、ＯＰ２・・・ＯＰｎを識別するための識別情報（識別番号）であり、見守りサービスの運営会社から各オペレータに付与されるものである。オペレータテーブル３３の中のオペレータ名には、各オペレータの氏名が格納されており、担当グループには、各オペレータが担当するグループ名が格納されており（オペレータには、担当する見守り対象となるグループが予め割り当てられる。）、パスワードには、各オペレータがログインする際に必要なパスワードが格納されている。また、オペレータ連絡先の欄には、各オペレータへの電話番号及び電子メールアドレスが格納される。
【００９９】
本実施形態では、上述したオペレータテーブル３３で設定された内容に基づき、各オペレータがオペレータ業務を行い、個々のオペレータの業務対象は、担当が割り当てられたグループに限定され、担当外のグループに属するユーザについては基本的に業務に関する操作を行えないようになっているが、他のオペレータの業務を引き継ぐ場合、一時的に手伝うときなどには、担当のグループを超えて、他のグループに属する情報等も確認できる。また、オペレータの中にリーダ的なオペレータ・熟練したオペレータ等が存在することもあり、このようなオペレータは状況に応じて、全てのグループの見守りを行う場合があることから、全てのグループの見守りに対応したマスターＩＤが付与されることがある。
【０１００】
図９（ａ）は、操作判定テーブル３４の中身を示しており、操作通知判定レベルに応じた複数の判定レベルごとに、操作通知の内容（操作状態）を対応づけたものになっている。具体的には、最も危険度の高い「緊急」という判定レベルには、「（テレビジョン装置１０が）７２時間以上電源オフ」及び「（テレビジョン装置１０が）２４時間以上電源オン」という内容が対応づけられている。これはテレビジョン装置１０が継続して７２時間以上、電源オフである場合、又は、テレビジョン装置１０が継続して２４時間以上、電源オンである場合、ユーザ（見守られる人）が怪我又は病気等により倒れたり、気を失ったり等の危険な状態である可能性が高いため、最も危険度の高い「緊急」という判定レベルが対応づけられている。
【０１０１】
また、二番目に危険度の高い「警告」という判定レベルには、「（テレビジョン装置１０が）４８時間以上電源オフ」という内容が対応づけられている。これはテレビジョン装置１０が継続して４８時間以上、電源オフである場合、二日間以上、ユーザ（見守られる人）がテレビを視聴していないことから、何らかの異常が発生している可能性が高いため、二番目に危険度の高い「警告」という判定レベルが対応づけられている。
【０１０２】
さらに、三番目に危険度の高い「注意」という判定レベルには、図４（ｂ）に示すアンケート画面２１の回答が「わるい」の場合、及びアンケート画面２１に対する回答操作が無くて閾値時間を超過したとき「回答操作なし」の場合が対応付けられている。これは、ユーザ自身、体調が「わるい」と申告しており、また、「回答操作なし」であれば、何らかの事情がユーザに存在することから、一定の注意をユーザに払う必要があるため、三番目に危険度の高い「注意」という判定レベルが対応づけられている。
【０１０３】
さらにまた、特に危険は生じていない「問題なし」という判定レベルには、「（テレビジョン装置１０が）４８時間未満電源オフ」という内容、「（テレビジョン装置１０が）２４時間未満電源オン」という内容、並びにアンケート画面２１の回答が「よい」及び「ふつう」の場合が対応づけられている。なお、アンケート画面２１の回答が「電話ほしい」の場合は、オペレータ又は監視者が見守られる人へ電話をかけて直接、状況を尋ねることになるので、判定処理から除外されており、同様に、アンケート画面２１の回答が「外出予定」の場合も、ユーザは外出することから、判定処理から除外される。
【０１０４】
図９（ｂ）は、検知結果判定テーブルに相当する環境判定テーブル３５の中身を示しており、検知結果判定レベルに応じた複数の判定レベルごとに、温度センサ２７の検知結果（温度）及び湿度センサ２８の検知結果（湿度）の組合せ内容を対応づけたものになっており、特に、本実施形態では６月〜１０月と、１１月〜５月という二つの期間に分けて、各センサ２７、２８の検知結果の組合せ内容を対応づけたものになっている。
【０１０５】
６月〜１０月に応じた各センサ２７、２８の検知結果の組合せ内容は、主に熱中症を対象にしたものになっており、両センサ２７、２８の検知結果を組み合わせた内容ごとに、熱中症にかかりやすい危険度を示す「緊急（最も危険度高い）」、「警告（二番目に危険度高い）」、「注意（三番目に危険度高い）」及び「問題なし」の各判定レベルを対応づけている。また、１１月〜５月に応じた各センサ２７、２８の検知結果の組合せ内容は、主に低体温症を対象にしたものになっており、両センサ２７、２８の検知結果の各数値に対して、低体温症にかかりやすい危険度を表すように、「緊急（最も危険度高い）」、「警告（二番目に危険度高い）」、「注意（三番目に危険度高い）」及び「問題なし」の判定レベルを対応づけている。なお、上述した操作判定テーブル３４及び環境判定テーブル３５の中身は一例であり、他の内容を設定することは勿論可能である。
【０１０６】
図１０は、統合判定テーブル３６の中身を示している。この統合判定テーブル３６は、垂直側（タテ側）に上述した操作判定テーブル３４に基づき判定された操作通知判定レベル（「緊急」、「警告」、「注意」、「問題なし」のいずれか）を配置すると共に、水平側（ヨコ側）に環境判定テーブル３５に基づき判定された検知結果判定レベル（「緊急」、「警告」、「注意」、「問題なし」のいずれか）を配置した行列的（マトリックス的な）な判定テーブルになっており、両方の判定レベルをそれぞれ掛け合わせた箇所（組み合わせた箇所）に、両方の判定レベルから総合的に危険度を複数の段階で判定されるユーザ状況を示している。さらに本実施形態の統合判定テーブル３６は、ユーザ状況と共に、オペレータへの指示内容も明記したことが特徴になっている。
【０１０７】
例えば、操作判定テーブル３４に基づき「緊急」と判定されると共に、環境判定テーブル３５に基づき「緊急」と判定された場合、統合判定テーブル３６に基づき、ユーザの状況は「今すぐ安否確認は必要な状態」と判定されると共に、オペレータへの指示内容として、「本人が無事でも注意を促す」という事項が示される。また、他の例としては、操作判定テーブル３４に基づき「注意」と判定されると共に、環境判定テーブル３５に基づき「警告」と判定された場合、統合判定テーブル３６に基づき、ユーザの状況は「室内が危険な状態である可能性がある」と判定されると共に、オペレータへの指示内容として、「今日中に本人に連絡して注意を促す」という事項が示される。
【０１０８】
この統合判定テーブル３６は、操作判定テーブル３４に基づく判定が「緊急」であり且つ環境判定テーブル３５に基づく判定が「緊急」である組合せのときが最も危険度の高いユーザ状況のレベル（段階）を表す（図１０中、（１）で示す掛け合わせ箇所）。一方の判定が「緊急」であり他方の判定が「警告」である組合せのときは二番目に危険度の高いユーザ状況のレベル（段階）を表す（図１０中、（２）で示す掛け合わせ箇所）。両方の判定が「警告」の組合せであるとき、並びに一方の判定が「緊急」であり他方の判定が「注意」又は「問題なし」の組合せであるときは三番目に危険度の高いユーザ状況のレベル（段階）を表す（図１０中、（３）で示す掛け合わせ箇所）。
【０１０９】
一方の判定が「警告」であり他方の判定が「注意」の組合せであるときは四番目に危険度の高いユーザ状況のレベル（段階）を表す（図１０中、（４）で示す掛け合わせ箇所）。両方の判定が「注意」の組合せであるとき、並びに一方の判定が「警告」であり他方の判定が「問題なし」の組合せであるときは五番目に危険度の高いユーザ状況のレベル（段階）を表す（図１０中、（５）で示す掛け合わせ箇所）。一方の判定が「注意」であり他方の判定が「問題なし」の組合せであるときは六番目に危険度の高いユーザ状況のレベル（段階）を表す（図１０中、（６）で示す掛け合わせ箇所）。そして、両方の判定が「問題なし」の組合せであるとき、最も危険度の低いユーザ状況のレベル（段階）を表す（図１０中、（７）で示す掛け合わせ箇所）。
【０１１０】
図１１は、大容量記憶システム３０ｇに記憶される回答ＤＢ３７の中の或る１日の回答等の情報を格納した日別回答ＤＢ３７ａの中身の概要を示している。回答ＤＢ３７は、一日ごとの各ユーザの見守り装置５からサーバ装置３０へ送信されてくる操作通知で示される回答及び検知結果等の情報を格納した日別回答ＤＢの集合体になっている。そのため、回答ＤＢ３７は、日ごとの情報が順次蓄積されていくデータベースになっている。
【０１１１】
図１１の日別回答ＤＢ３７ａは、２０１４年７月１日における各ユーザの複数の見守り装置５のそれぞれから送信されてきた情報（図４（ａ）の質問画面２１に対する回答等の状況情報、その他の情報等）を格納しており、具体的には、「ユーザＩＤ」ごとに、「氏名」、「装置ＩＤ」、「電源オン／オフ時刻」、「送信内容」、「電源オン継続時間」、「電源オフ継続時間」、「外出（状況情報に相当）」、「操作判定」、「環境」、「環境判定」及び「備考」等の各項目に応じた情報を格納する。
【０１１２】
日別回答ＤＢ３７ａの「ユーザＩＤ」及び「氏名」は、図７のユーザＤＢ３２に含まれている情報を用いたものであり、「装置ＩＤ」は、見守り装置５から送られてくる操作通知の中に、「ユーザＩＤ」と共に含まれる情報である。これら、「ユーザＩＤ」、「氏名」、及び「装置ＩＤ」は既に特定されている情報であるため、見守り装置５からの送信内容に関係なく、日別回答ＤＢ３７ａに予め登録されている。
【０１１３】
また、「電源オン／オフ時刻」の項目には、見守り装置５から送信されてきた操作通知が電源オン操作を示すものである場合、その電源オン操作を示す操作通知を受信した時刻が格納される。また、見守り装置５から送信されてきた操作通知が電源オフ操作を示すものである場合も、その電源オン操作を示す操作通知を受信した時刻が「電源オン／オフ時刻」の項目に格納される。１日に複数回の「電源オン操作を示す操作通知」、「電源オフ操作を示す操作通知」を受信した場合は、「電源オン／オフ時刻」の項目に複数回の受信時刻が格納されることになる。
【０１１４】
日別回答ＤＢ３７ａの「送信内容」の項目には、図４（ａ）に示すアンケート画面２１で回答操作が行われた各ボタン２１ａ〜２１ｅに応じた回答内容を示す操作通知を受信した時刻が、回答内容と共に格納される。なお、「送信内容」の項目には、図４（ａ）に示すアンケート画面２１で操作された各ボタン２１ａ〜２１ｅが閾値時間７を超えて操作されない場合は、「回答なし」の旨が、その情報を示す操作通知の受信時刻と共に格納される。
【０１１５】
また、日別回答ＤＢ３７ａの「電源オン継続時間」の項目には、「電源オン／オフ時刻」の項目の中で、直近に格納されているのは「オン（電源オン操作）」であれば、その電源オン操作を示す操作通知を受信してからの経過時間が、サーバ装置３０の具備するタイマー機能により計時されて格納されており、この経過時間の計時は、次に「電源オフ操作」の操作通知をサーバ装置３０が受信するまで行われる。「電源オフ継続時間」の項目には、「電源オン／オフ時刻」の項目の中で、直近に格納されているのは「オフ（電源オフ操作）」であれば、その電源オフ操作を示す操作通知を受信してからの経過時間が、サーバ装置３０の具備するタイマー機能により計時されて格納されており、この経過時間の計時は、次に「電源オン操作」の操作通知をサーバ装置３０が受信するまで行われる。
【０１１６】
日別回答ＤＢ３７ａの「外出」の項目には、見守り装置５から送信されてきた外出予定の日数が格納される。さらに、日別回答ＤＢ３７ａの「操作判定」の項目には、上述した操作判定テーブル３４に基づき判定されたレベル（緊急、警告、注意、問題なし）が格納される。
【０１１７】
さらにまた、日別回答ＤＢ３７ａの「周囲環境」の項目には、見守り装置５から送信されてきた温度センサ２７が検知した温度及び湿度センサ２８が検知した湿度が組み合わされて格納される。なお、各センサ２７、２８の検知結果は、上述したように本実施形態では一例として５分間隔で出力されてくるので、日別回答ＤＢ３７ａの「周囲環境」の項目には直近の検知結果が格納され、それ以前の検知結果は、大容量記憶システム３０ｇにユーザＩＤ別に蓄積されていくようになっており、この蓄積された検知結果を確認することで、ユーザの家屋内の環境変化の状況等も確認できるようにしている。また、「環境判定」の項目には、上述した環境判定テーブル３５に基づき判定されたレベル（緊急、警告、注意、問題なし）が格納される。なお、「備考」の項目には、上述した各項目以外で、ユーザＩＤに対応付けて記憶する必要のある情報等が格納される。
【０１１８】
図１２に示す行政窓口テーブル３８は、地域の住民への訪問サービスを行っている自治体の行政窓口の担当部分の名称、担当者の氏名、電話番号（連絡先）、メールアドレス（連絡先）等を、上述したグループごとにヒモ付けて格納したものになっている。なお、本実施形態では上述したように、地域別にグループ分けを行っていることから、各グループに応じた地域の行政部門が、そのグループに属する見守られる人を担当することになる。
【０１１９】
また、大容量記憶システム３０ｇに記憶されているウェブサイトテーブル３９は、一例として図１３、１４、１５等に示すウェブページ画面を構成する画面ページデータ（ＨＴＭＬ又はＸＭＬ等に基づくデータ）を格納したものである。例えば、オペレータＯＰ１のオペレータ端末ｔ１から、サーバ装置３０が構築するウェブサイトのＵＲＬへアクセスがあると、サーバ装置３０は図１３に示すようなウェブページ画面（トップページ画面４０）の画面ページデータを大容量記憶システム３０ｇに記憶されているウェブサイトテーブル３９の中から読み出して、アクセス元のオペレータ端末ｔ１へ送信することになる。
【０１２０】
以降、サーバ装置３０は、オペレータ端末ｔ１から送信されてくる操作内容に応じて、図１４等に示す見守り通知画面４１等の各種画面（ウェブページ画面）を表示可能にするための画面情報（画面ページデータを含む見守り通知情報に相当）を生成して、オペレータ端末ｔ１へ送信する。以下、ウェブサイトテーブル３９に格納されているページデータに基づくウェブページ画面の例について説明する。
【０１２１】
図１３に示すトップページ画面４０は、オペレータ向けに提供されるウェブサイトのトップページ画面であり、オペレータＩＤ入力欄４０ａ、ＰＷ（パスワード）入力欄４０ｂ及び選択可能なログインボタン４０ｃを配置したものになっている。各入力欄４０ａ、４０ｂは所要の英数字等の情報の入力が可能になっていると共に、ログインボタン４０ｃの選択操作が行われると、各入力欄４０ａ、４０ｂに入力されていた英数字等の情報が、オペレータ端末ｔ１等からサーバ装置３０へ送られるようになっている。
【０１２２】
図１４に示す見守り通知画面４１は、トップページ画面４０でログイン操作を行ったオペレータ向けに提示される見守り通知に相当する表示画面の一例である（例えば、図８のオペレータテーブル３４の中のオペレータＩＤが「ＯＰ０００１」であるオペレータ向けの画面に相当）。見守り通知画面４１は、ログイン操作を行ったオペレータが担当するグループに属する各ユーザの状況及び情報等を示す例となっており、ウェブサイトテーブル３９に含まれる画面ページデータ等を用いて、見守り通知画面４１の中の図柄的なパーツ及び共通要素部分（メニュー部分等）が構成されると共に、文字情報的な部分は後述する見守り対応情報（サーバ装置３０で生成される見守り通知情報に相当）に基づき提示されるようになっている。
【０１２３】
また、本実施形態では、図１３のトップページ画面４０のログイン操作の直後に表示出力される見守り通知に係る見守り通知画面４１の内容は以下に説明するように、サーバ装置３０で判定した危険度ごとに相違する表示に係る内容を規定した見守り通知情報に基づいたものになっており、具体的には、ログイン時点において、ユーザ状況の危険度が最も高いレベルに属するユーザの情報を示し、図１４に示す例では、ユーザ状況が「今すぐ安否確認が必要」という危険度のレベルに応じた内容のユーザの情報を示している。そのためオペレータ側としては、「今すぐ安否確認が必要」というユーザ状況の単位でユーザ情報が纏められた画面が提示されるので、表示されたユーザ情報に係るユーザに対して行うべき対応業務が「今すぐ安否確認」であることを、オペレータは直ちに把握でき、対応業務に誤り等が生じるおそれを低減し、確実な対応業務を行えることに役立つようになっている。
【０１２４】
見守り通知画面４１は画面上部に、操作判定結果欄４２（操作判定レベル選択部に相当）及び環境判定結果欄４３（検知判定レベル選択部に相当）を設けており、各判定結果欄４２、４３は、ラジオボタン形式の「緊急」選択欄４２ａ、４３ａ、「警告」選択欄４２ｂ、４３ｂ、「注意」選択欄４２ｃ、４３ｃを含む。各選択欄４２ａ〜４２ｃ、４３ａ〜４３ｃは、オペレータにより選択可能になっており、選択された欄の条件に合致するユーザ情報が、下方のユーザ情報欄４４の中に抽出表示されるようになっている。但し、ログイン操作直後の見守り通知画面４１は上述したように、直近の回答ＤＢ３７に格納された判定レベルの中で最も危険度の高い判定レベルが自動的に選択された状態になっており（例えば、図１１の日別回答ＤＢ３７ａの操作判定レベル及び環境判定レベルの項目の中で最も危険度が高くなる判定レベルの組合せ。図１０に示す（１）〜（７）参照）、図１４に示す例では、両方の判定結果欄４２、４３が、いずれも「緊急」選択欄４２ａ、４３ａがサーバ装置３０で自動的に選択された状態になっている。
【０１２５】
また、見守り通知画面４１は、各判定結果欄４２、４３の下方に、ユーザ状況欄４１ａを設けており、このユーザ状況欄４１ａの中には、上述した図１０に示す統合判定テーブル３６に基づき判定されたユーザ状況が配置される。なお、ユーザ状況欄４１ｃの背景は、判定されたユーザ状況の危険度に応じて、色等を相違させることが好適であり、例えば、ユーザ状況として「今すぐ安否確認が必要」という危険度が最も高い場合は、背景色を赤色にすることが好ましく、色を用いる場合以外には、背景の模様等を相違させることも考えられる。このようなユーザ状況欄４１ｃの背景の色又は模様等を相違させる場合は、判定された危険度ごとに、ユーザ状況欄４１ｃの背景の色又は模様等を規定した見守り通知情報をサーバ装置３０が生成することになる。
【０１２６】
さらに、見守り通知画面４１は、ユーザ状況欄４１ａの下方に表形式のユーザ情報欄４４を設けており、この図１４に示すユーザ情報欄４４は、上述した両方の判定結果欄４２、４３において、「緊急」選択欄４２ａ、４３ａが選択された場合に対応したユーザ情報を抽出したものになっている。具体的にユーザ情報欄４４の中には、回答ＤＢ３７に含まれる直近の日別回答ＤＢ（例えば、図１１の日別回答ＤＢ３７ａ）から、ログインしたオペレータが担当するグループの属するユーザの中で、操作判定レベルが「緊急」であり、且つ環境判定レベルも「緊急」であるユーザ情報（ユーザＩＤ及び氏名）が抽出配置されている。
【０１２７】
ユーザ情報欄４４に配置される際は、グループ別で且つ該当するユーザの人数が多い順に上から下に配置されていく。図１４に示す場合では、操作判定レベルが「緊急」であり且つ環境判定レベルが「緊急」に該当するユーザとして、グループＡに属するユーザが３名存在したため、グループＡに属するユーザ情報が一番目に配置され、次に、グループＤに属するユーザが２名存在したため、グループＤに属するユーザ情報が二番目に配置され、さらにその次に、グループＣに属するユーザが１名存在したため、グループＣに属するユーザ情報が三番目に配置されている。このような順序に配置にしているのは、人数が多い対象ほど、早急に対応すべき共通の課題が存在するおそれがあるので、そのおそれに配慮したためである。なお、ユーザ情報欄４４に配置すべきグループが多数に及ぶ場合、ユーザ情報欄４４は右端にスクロール操作部を設けて、オペレータがスクロール操作を行うことで、表示画面１０ａで一度に表示できないユーザ情報等を示すことができるようにしている。
【０１２８】
また、見守り通知画面４１は、ユーザ情報欄４４に含まれる情報に対して、検索機能及びソート（並び替え）機能も具備しており、見守り通知画面４１は、ユーザ情報欄４４の右上に検索入力欄４１ｂ及び検索ボタン４１ｃを設けており、オペレータが検索入力欄４１ｂへ所要の検索ワードを入力した状態で、検索釦４１ｃを選択する操作が行われると、サーバ装置３０の検索処理により、直近の回答ＤＢ３７（例えば、図１１の日別回答ＤＢ３７ａ）の中で該当した情報が存在した場合、該当した情報の表示画面へと遷移する。また、ユーザ情報欄４４は、人数欄４４ａ及びグループ欄４４ｂに、上向き矢印の図柄及び下向き矢印の図柄を選択可能に配置しており、これら各矢印の図柄をオペレータが選択すると、ユーザ情報欄４４に含まれるユーザ情報をサーバ装置３０の処理により降順又は昇順に並び替えるものとなる（人数の多い順又は少ない順での並び替え、若しくはグループのアルファベット順又は逆アルファベット順での並び替えを行う）。
【０１２９】
さらに、見守り通知画面４１は、ユーザ情報欄４４のユーザ欄４４ｃに配置した各ユーザＩＤ（及びユーザ名）を選択可能にしている（ユーザＩＤは操作受付部に相当）。そのため、オペレータにより、ユーザ欄４４ｃの中に配置されたユーザＩＤ（及びユーザ名）のいずれかが選択されると、その選択されたユーザＩＤ（及びユーザ名）に応じたユーザ画面の画面要求（ユーザ画面要求）が、オペレータ端末ｔ１からサーバ装置３０へ送信されると共に、それに応じて、サーバ装置３０から選択されたユーザＩＤ（及びユーザ名）に応じたユーザのユーザ画面に係る画面ページデータを含むユーザ画面情報がサーバ装置３０からオペレータ端末ｔ１へ送信され、それに伴い、オペレータ端末ｔ１等での表示が見守り通知画面４１からユーザ画面へと切り替わる。なお、ユーザ情報欄４４の中のユーザＩＤ及びユーザ名が配置される背景箇所も、上述したユーザ状況欄４１ｃの背景と同様、判定されたユーザの危険度に応じて、背景色、背景の模様等を相違させている。
【０１３０】
なお、見守り通知画面４１は、画面右上に選択可能なログアウトボタン４１ｄを設けており、このログアウトボタン４１ｄが選択されると、ログアウト指示がサーバ装置３０へ送信されるようになっており、サーバ装置３０のログアウト処理を経て、ログイン状態が解除されてログアウト状態になる。
【０１３１】
図１５は、オペレータ端末ｔ１等で表示される一例のユーザ画面４５を示している。このユーザ画面４５は、図１４の見守り通知画面４１の中の「００７８」のユーザＩＤがオペレータにより選択された場合にサーバ装置３０から送られてくる特定のユーザ用のユーザ画面情報に含まれる画面ページデータに基づき表示されるものである。このようなユーザ画面４５は、オペレータがユーザに関する状況の詳細、判定結果の理由等を詳細に確認してから対応業務を行えるようにするために提示できるようになっており、画面左上にユーザＩＤ及びユーザの氏名を含むユーザ情報欄４５ａ、そのユーザ情報欄４５ａの下方にユーザ状況欄４５ｂ（図１４のユーザ状況欄４１ａと同等のもの）、そのユーザ状況欄４５ｂの下方に状況詳細指示欄４５ｃを配置している。
【０１３２】
状況詳細指示欄４５ｃの中身は、ユーザの状況の詳細（周囲環境の詳細等も含む）と、オペレータへの指示内容（ユーザの状況に応じた「対応の仕方」に相当）を含むものとなっており、対象となるユーザの判定レベルに応じた内容を、図１０に示す統合判定テーブル３６の中から特定して抽出し、状況詳細指示欄４５ｃに配置したものになっている。具体的には、図１５のユーザ画面に係るユーザＩＤが「００７８」のユーザは、図１４にも示すように操作通知に基づく判定レベルが「緊急」であると共に、環境検知に基づく判定レベルも「緊急」であることから、図１０の統合判定テーブル３６では、（１）で示される最も危険度が高い箇所に該当するユーザ状況となり、この（１）で示される箇所に含まれる文言が、状況詳細指示欄４５ｃの中に配置されることになる。このような見守り通知画面４１のような画面に応じた見守り通知情報は、操作判定結果欄４２及び環境判定結果欄４３で選択を受け付けた操作判定レベル及び検知判定レベルを示すレベル通知情報をサーバ装置３０が受信した場合にも生成されており、この場合、受信したレベル通知情報に示される操作判定レベル及び検知判定レベルに合致するユーザ情報を含む見守り通知に係る見守り通知情報を生成してオペレータ端末へ送信することになり、それにより、オペレータ端末では希望したレベルに合致するユーザ情報を含む見守り通知画面を提示できるようになる。
【０１３３】
また、ユーザ画面４５は、上述した状況詳細指示欄４５ｃの下方に操作判定欄４５ｄを配置しており、この操作判定欄４５ｄは、操作通知に基づき判定された判定レベル（図１５では「緊急」）が示されると共に、判定された原因も示される（２４時間電源オン）。このような操作判定欄４５ｄの中身は、直近の日別回答ＤＢ（例えば、図１１の日別回答ＤＢ３７ａ）から、「送信内容」の項目、「電源オン継続時間」の項目、「電源オフ継続時間」の項目、及び「操作判定」の項目に格納された各情報の中から、レベルの判定に用いられた情報を抽出したものになっている。
【０１３４】
さらに、ユーザ画面４５は、上述した操作判定欄４５ｄの下方に環境判定欄４５ｅを配置しており、この環境判定欄４５ｅは、各センサ２７、２８の検知結果に基づき判定された判定レベル（図１５では「緊急」）が示されると共に、判定された原因も示される（３２℃、８３％）。このようなか環境判定欄４５ｅの中身は、直近の日別回答ＤＢ（例えば、図１１の日別回答ＤＢ３７ａ）から、「環境」の項目、及び「環境判定」の項目に格納された各情報の中から、レベルの判定に用いられた情報を抽出したものになっている。なお、ユーザ画面４５は、環境判定欄４５ｅの下方に、「一覧へ戻る」ボタン４５ｆを配置しており、この「一覧へ戻る」ボタン４５ｆがオペレータにより選択されると、図１４に示す見守り通知画面４１へオペレータ端末ｔ１等における表示が戻るようにしている。
【０１３５】
さらにまた、ユーザ画面４５は、操作判定欄４５ｄ及び環境判定欄４５ｅの右方に、「担当者変更」ボタン４５ｇ、「完了」ボタン４５ｈ、「保留」ボタン４５ｉをそれぞれ配置している。ユーザ画面４５に配置される「担当者変更」ボタン４５ｇは変更受付部に相当し、オペレータが勤務時間の終了で、次の時間帯に勤務するオペレータへの引き継ぎを行う場合、又は多量の対応業務を抱える等の理由により、他のオペレータに支援を求めるときに選択操作を受け付けるものである。「担当者変更」ボタン４５ｇの選択操作が行われると、サーバ装置３０は変更可能なオペレータの氏名等を配置したオペレータ変更メニューをユーザ画面４５上で展開的に提示する。
【０１３６】
図１６（ａ）は、オペレータ変更メニュー４７の一例を示している。このオペレータ変更メニュー４７は、指定可能なオペレータ名を配置したオペレータ欄４７ａ〜４７ｅに加えて、募集を行う場合の募集欄４７ｆを含んでいる。各オペレータ欄４７ａ〜４７ｅに配置された氏名は、図８のオペレータテーブル３４に格納された各オペレータの中から、業務の引き継ぎ又は支援が可能なオペレータの氏名が抽出されたものであり、氏名が配置された各オペレータ欄４７ａ〜４７ｅには、オペレータの電子メールアドレスが埋め込まれている。また、オペレータ変更メニュー４７は、「閉じる」ボタン４７ｇも含んでおり、「閉じる」ボタン４７ｇが選択されるとオペレータ変更メニュー４７の表示が閉じられて、ユーザ画面４５が表示される状態に戻る。なお、オペレータ変更メニュー４７はイレギューラ的なものであることから、上述した業務の引き継ぎ又は支援が可能なオペレータには、一時的にグループの枠を超えて、他のグループに属するオペレータも含むようにしており、それにより、引き継ぎ又は支援の要請を受けたオペレータは、担当外のグループに属するユーザについても、要請を受けたユーザに関する情報の確認や対応が行えるようにしている。
【０１３７】
各オペレータ欄４７ａ〜４７ｅのいずれかが選択されると、選択されたオペレータ欄に埋め込まれた電子メールアドレスへ、電子メールが送信されるようになっている。送信される電子メールには、ユーザ画面４５に配置された情報（ユーザＩＤ、氏名、ユーザ状況、状況詳細指示欄４５ｃの中身等）が記されている。また、電子メール送信後は、オペレータ変更メニュー４７が閉じられて、ユーザ画面４５の「担当者変更」ボタン４５ｇの表記に、新たに対応することになったオペレータの氏名が追加されることになり、例えば、オペレータが「小倉」へ変更になった場合は、図１６（ｂ）に示すように、「変更完了：小倉」というように表記が変更されたボタン４５ｇ′になる。
【０１３８】
このようなボタンの表記変更は、各オペレータ欄４７ａ〜４７ｅのいずれかが選択されると、選択された欄に配置されたオペレータの氏名が、サーバ装置３０へ通知され、サーバ装置３０は、通知されたオペレータの氏名等を「担当者変更」ボタンの表記に追加した内容のユーザ画面情報を生成して、ログイン中のオペレータ端末へ送信することで行われる。
【０１３９】
さらに、ユーザ画面４５に配置される「完了」ボタン４５ｈは完了受付部に相当し、対応業務が完了したことをサーバ装置３０へ知らせるために選択操作を受け付けるものであり、図１５のユーザ画面に係るユーザに対するオペレータの対応業務が完了した場合に、オペレータにより選択されるボタンになっている。「完了」ボタン４５ｈの選択操作が行われると、完了通知がサーバ装置３０へ送信されると共に、表示されていたユーザ画面４５は自動的に閉じられて、元の図１４に示す見守り通知画面４１にオペレータ端末ｔ１等の表示が切り替わる。また、切り替わって表示される見守り通知画面４１のユーザ情報欄４４の中から、対応業務の完了したユーザのユーザ情報が削除されて、オペレータによる対応業務が必要なユーザのユーザ情報のみを示すようにしている。
【０１４０】
さらにまた、ユーザ画面４５に配置される「保留」ボタン４５ｉは保留受付部に相当し、オペレータによる対応業務を一時的に保留にする場合に選択操作を受け付けるものであり、「保留」ボタン４５ｉが選択されると、保留を示す旨の情報がオペレータ端末ｔ１等からサーバ装置３０へ送信されるようになっている。なお、図１６（ｃ）に示すように、「保留」ボタン４５ｉが選択されると、ボタン表記が「保留」から「保留中：解除」というように変更され、その「保留中：解除」ボタン４５ｉ′が選択されると、保留解除を示す旨の情報がサーバ装置３０へ送信され、ボタン表記も「保留」に戻るようになっている。
【０１４１】
図１７は、図１４の見守り通知画面４１と異なる例の見守り通知画面５１を示しており、この見守り通知画面５１は、操作通知に基づく判定レベルが「警告」であり且つ環境検知に基づく判定レベルが「警告」である場合に表示される画面である。このような判定レベルに応じた見守り通知画面５１が表示される場合は、オペレータのログイン時における最も危険度が高いレベルが、両判定レベルが共に「警告」であるとき、又は、図１４のような見守り通知画面４１が表示されていた状態で、オペレータの選択操作により、各判定結果欄４２、４３の中から、「警告」選択欄４２ｂ、４３ｂが選択されて、選択されたレベル（警告）を示すレベル通知情報がサーバ装置３０へ送信されたとき等である。よって、本発明では、ログイン時に、サーバ装置３０で判定された危険度ごとに相違する表示に係る内容を規定した見守り通知情報が生成されてオペレータ端末ｔ１へ送信され、それにより、オペレータ端末ｔ１等では、ログイン時において危険度ごとに相違する内容の見守り通知に係る見守り通知画面が表示出力される。
【０１４２】
なお、図１７の見守り通知画面５１は、図１４の見守り通知画面４１と基本的な構造は同等であり、操作判定結果欄５２（操作判定レベル選択部に相当）、環境判定結果欄５３（検知判定レベル選択部に相当）、ユーザ状況欄５１ａ、及びユーザ情報欄５４、ログアウトボタン５１ｄ等を設けているが、各判定結果欄５２、５３では、「警告」選択欄５２ｂ、５３ｂが選択された状態になっていると共に、ユーザ状況欄５１ａの中身も、両方の判定結果が「警告」のレベルに応じた「今日中に安否確認してください」という表記になっている点が、図１４の見守り通知画面４１と異なっており、さらに、ユーザ情報欄５４に含まれるユーザ情報も、両方の判定レベルが「警告」に該当するユーザのものになっている。
【０１４３】
また、図１８は、図１５のユーザ画面４５と異なる例のユーザ画面５５を示しており、ユーザ画面５５は、上述した図１７の見守り通知画面５１の中で「００２９」のユーザＩＤがオペレータにより選択された場合に表示されるものであり、基本的な構造は図１５のユーザ画面４５と同等であるが、両方の判定結果が「警告」のレベルに応じた画面内容になっている点が、図１５のユーザ画面４５と異なっている。なお、見守り通知画面については、図１４、１７に示した例以外にも、操作及び周囲環境の判定結果のレベルに応じた内容のものが複数種類存在し、同様に、ユーザ画面についても、図１５、１８に示した例以外に、操作及び周囲環境の判定結果のレベルに応じた内容のものが複数種類存在するが、いずれにしても、基本的な構造は図１４、１５、１７、１８に示したものと同様であり、画面内容が、それぞれの判定レベルに応じて表記等が異なったものになる。
【０１４４】
次に、図６に示すサーバ装置３０の見守りシステムプログラム３１について説明する。見守りシステムプログラム３１は、サーバコンピュータ用のコンピュータプログラムに相当し、見守りサービスを提供していくためにＭＰＵ３０ａが行う各種処理を規定しており、このコンピュータプログラムの規定する内容により、ＭＰＵ３０ａは各種手段として機能する（ユーザの状況を判定する手段、操作通知又は検知結果に基づき危険度の各判定レベルを特定する手段等）。本実施形態の見守りシステムプログラム３１は主に二種類の処理を規定しており、一つ目は、見守り装置５から送信されてくる操作通知及び検知結果に係る処理であり、二つ目は、オペレータ向けの見守り通知用の各種画面ページデータを含む表示画面情報の生成に係る処理等である。
【０１４５】
見守りシステムプログラム３１の一つ目に関する処理内容としては、見守り装置５から送信されてくるテレビジョン装置１０の操作通知、並びに温度センサ２７及び湿度センサ２８の検知結果（温度及び湿度の組合せ）を、通信モジュール３０ｂで受信すると、受信した日時と共に、上述した回答ＤＢ３７の中の所定のＤＢ（例えば、図１１の日別回答ＤＢ３７ａ等）に格納（記憶）する処理をＭＰＵ３０ａが行うことを規定している。
【０１４６】
例えば、電源オン操作又は電源オフ操作を示す操作通知を受信すれば、その操作通知に付帯する装置ＩＤ８及びユーザＩＤを参照して、日別回答ＤＢ３７ａにおける前記ユーザＩＤに対応づけて、「電源オン/オフ時刻」の項目に受信した操作通知が示す電源オン操作又は電源オフ操作を受信日時と共に格納する。
【０１４７】
上記の「電源オン／オフ時刻」の項目の処理の他に、電源オン操作を示す操作通知を受信した場合、見守りシステムプログラム３１は、受信してからの時間を経過時間としてＭＰＵ３０ａが自己のタイマー機能を用いて計時し、日別回答ＤＢ３７ａの中の「電源オン継続時間」の項目（電源オン操作を示す操作通知に付帯するユーザＩＤに対応付けられた項目）に、計時した時間を格納する処理を規定している（ＭＰＵ３０ａの計時は次に、電源オフ操作を示す操作通知を受信するまで継続）。同様に、見守りシステムプログラム３１は、電源オフ操作を示す操作通知を受信した場合、受信してからの経過時間を日別回答ＤＢ３７ａの中の「電源オフ継続時間」の項目（電源オフ操作を示す操作通知に付帯するユーザＩＤに対応付けられた項目）にＭＰＵ３０ａが格納する制御処理を規定している（ＭＰＵ３０ａの計時は次に、電源オン操作を示す操作通知を受信するまで継続）。
【０１４８】
また、図４（ａ）のアンケート画面２１における第１ボタン２１ａ〜第３ボタン２１ｃが選択操作された旨を示す操作通知を受信すれば、その操作通知に付帯する装置ＩＤ８及びユーザＩＤを参照して、日別回答ＤＢ３７ａにおける所定のユーザＩＤに対応づけて、「送信内容」の項目に受信した操作通知が示す選択操作された各ボタンに応じた内容（よい、ふつう、わるい）を受信日時と共に格納する。さらに、外出予定の旨を示す操作通知を受信すれば、その操作通知に付帯する装置ＩＤ８及びユーザＩＤを参照して、日別回答ＤＢ３７ａにおける前記ユーザＩＤに対応づけて、「外出」の項目に受信した操作通知が示す外出予定の内容を格納する。
【０１４９】
さらにまた、アンケート画面２１の回答操作無しという操作通知を受信すれば、その操作通知に付帯する装置ＩＤ８及びユーザＩＤを参照して、日別回答ＤＢ３７ａにおける前記ユーザＩＤに対応づけて、「送信内容」の項目に「回答なし」の旨を受信日時と共に格納する。
【０１５０】
一方、温度センサ２７及び湿度センサ２８の検知結果を受信すると、その各センサの検知結果に付帯する装置ＩＤ８及びユーザＩＤを参照して、日別回答ＤＢ３７ａにおける前記ユーザＩＤに対応づけて、「環境」の項目に受信した検知結果（温度及び湿度）を受信日時と共に格納する。
【０１５１】
また、見守りシステムプログラム３１は、上述したように操作通知に伴う内容及び検知結果の組合せ等を日別回答ＤＢ３７ａへ格納することに合わせて、受信した操作通知、及び検知結果の組合せに基づきユーザの状況を判定する処理をＭＰＵ３０ａが行うことを規定している。
【０１５２】
すなわち、日別回答ＤＢ３７ａの「電源オン継続時間」の項目、「電源オフ継続時間」の項目、又は「送信内容」等の項目に格納された内容に対して、図９（ａ）の操作判定テーブル３４に従って、操作通知判定レベルを特定する処理をＭＰＵ３０ａが行うことを規定している。具体的には、電源オン又は電源オフの継続時間の数値、アンケート画面２１に対する回答の中身（「よい」、「ふつう」、「わるい」）、若しくはアンケート画面２１に対する「回答操作無し」について、操作判定テーブル３４に従い、操作通知判定レベルを「緊急」、「警告」、「注意」、「問題なし」という複数の判定レベルの中から特定する処理をＭＰＵ３０ａが行う。そして、操作通知判定レベルを、いずれかの判定レベルの中から特定すると、その特定した操作通知判定レベルを、判定に用いた操作結果に付帯するユーザＩＤに対応付けて、日別回答ＤＢ３７ａにおける「操作判定」の項目に格納する制御処理をＭＰＵ３０ａが行うことを、見守りシステムプログラム３１は規定している。
【０１５３】
また、検知結果を受信した場合、その検知結果が示す温度及び湿度の組合せについて、図９（ｂ）の環境判定テーブル３５に従って、検知結果判定レベルを「緊急」、「警告」、「注意」、「問題なし」という複数の判定レベルの中から特定する処理をＭＰＵ３０ａが行うことを規定している。なお、この際、ＭＰＵ３０ａは、環境判定テーブル３５に対して、自己が有するカレンダー機能に基づき、そのときの月を特定し、その特定した月が含まれる環境判定テーブル３５の部分の内容を使うようにする（例えば、特定した月が７月の場合、６月〜１０月に応じた部分の内容を用いる）。そして、検知結果判定レベルを、いずれかの判定レベルの中から特定すると、その特定した検知結果判定レベルを、判定に用いた操作結果に付帯するユーザＩＤに対応付けて、日別回答ＤＢ３７ａにおける「環境判定」の項目に格納する制御処理をＭＰＵ３０ａが行うことを、見守りシステムプログラム３１は規定している。
【０１５４】
さらに、上述したように操作通知判定レベル及び検知結果判定レベルをそれぞれ特定すると、特定した各レベルに対して、図１０の統合判定テーブル３４に従って、ユーザの状況に係る危険度を判定する処理をＭＰＵ３０ａが行うことを見守りシステムプログラム３１は規定している。そして判定したユーザの状況に係る危険度は、ＲＡＭ３０ｃに一時的に記憶する処理をＭＰＵ３０ａが行うことを見守りシステムプログラム３１は規定している。
【０１５５】
このような各判定レベルの特定およびユーザ状況に係る危険度の判定は、サーバ装置３０が操作通知又は検知結果の少なくともいずれか一方を受信するごとに行っており、特定した判定レベル、判定したユーザ状況に係る危険度が前回と異なれば、随時、判定レベル、ユーザ状況を更新していく。
【０１５６】
なお、見守りシステムプログラム３１は、図４（ｂ）の回答画面２２等の提示について、受信した操作通知が電源オン操作を示す場合、その電源オン操作が、日別回答ＤＢ３７ａに格納される一回目の電源オンであるか否かを見極める処理を規定しており、受信した操作通知の電源オン操作が一回目の電源オンである場合、回答ＤＢ３７の中から、受信したユーザＩＤに応じた直近の複数日分（例えば５日分）の「送信内容」の項目に格納された情報を読み出して、回答履歴情報（図４（ｂ）の回答画面２２の中の回答履歴情報２２ａ参照）としてアクセス元の見守り装置５へ送信する処理を行うことを、見守りシステムプログラム３１は規定している。
【０１５７】
一方、見守りシステムプログラム３１の二つ目に関する処理内容として、上述した回答ＤＢ３７に蓄積した情報に基づいた見守り監視に関する画面ページデータを含む表示画面情報を生成し、ウェブページを通じて各オペレータに提供するための各種処理を規定している。このような処理の中で、見守りシステムプログラム３１は、まずオペレータのログイン処理を規定しており、具体的には、オペレータ向けのウェブサイトに係るＵＲＬにアクセスがあった場合、見守りシステムプログラム３１は、アクセス元に、図１３に示すトップページ画面４０に応じた画面ページデータを含む画面情報を送信する処理を規定している。
【０１５８】
トップページ画面４０用の画面ページデータ（画面情報）の送信に応じて、アクセス元から送信されてきたオペレータＩＤ及びパスワードを受信すると、図８に示すオペレータテーブル３３の中に、受信したオペレータＩＤ及びパスワードと、一致するオペレータＩＤ及びパスワードが存在するか否かをＭＰＵ３０ａが判断する処理を、見守りシステムプログラム３１は規定している。受信したＩＤ及びパスワードがオペレータテーブル３３に格納されているものと一致しない場合、オペレータＩＤ及びパスワードを再入力する旨を記したウェブページの画面ページデータをアクセス元へ送信する制御処理をＭＰＵ３０ａが行うことを見守りシステムプログラム３１は規定している。
【０１５９】
また、受信したオペレータＩＤ及びパスワードがオペレータテーブル３３に格納されているものと一致した場合、見守りシステムプログラム３１は、図１４、１７で例として示す見守り通知に係る見守り通知画面４１、５１のような画面と同等の構造であると共に、そのときの回答ＤＢ３７の中身の判定レベル（危険度）に応じた中身の見守り通知画面に応じた画面ページデータを含む見守り通知情報を生成して、アクセス元のオペレータ端末ｔ１等へ送信する処理をＭＰＵ３０ａが行うことを規定する。
【０１６０】
この見守り通知画面に応じた画面ページデータを含む見守り通知情報の生成・送信処理において、まず、一致したオペレータＩＤに対応するグループを、オペレータテーブル３３の「担当グループ」からＭＰＵ３０ａが特定することを見守りシステムプログラム３１は規定する。それから見守りシステムプログラム３１は、特定したグループに属する全てのユーザ（ユーザＩＤ）について、回答ＤＢ３７に含まれる直近の日別回答ＤＢ（例えば、図１１の日別回答ＤＢ３７ａ）の「操作判定レベル」及び「環境判定レベル」の項目に格納された判定レベルの中で、最も危険度が高い「緊急」が格納されているユーザの有無をＭＰＵ３０ａが検索することを規定する。
【０１６１】
検索の結果、最も危険度の高い組合せとなる「操作判定レベル」及び「環境判定レベル」の両方の判定レベルの項目に「緊急」が格納されているユーザが存在する場合、両方の判定レベルの項目が「緊急」である内容の見守り通知画面用の画面ページデータ（例えば、図１４に示す判定レベルと同様の内容の見守り通知画面４１用の画面ページデータ）をＭＰＵ３０ａが生成してアクセス元へ送信することを見守りシステムプログラム３１は規定する。
【０１６２】
また、上記の検索処理において、両方の判定レベルの項目が「緊急」の組合せとなるユーザが存在しない場合、二番目に危険度の高い組合せとなる一方の判定レベルの項目が「緊急」であると共に他方の判定レベルの項目が「警告」であるユーザの有無を探す。このような組合せに該当するユーザが存在した場合、上記の組合せの判定レベルに応じた内容の見守り通知画面用の画面ページデータをＭＰＵ３０ａが生成してアクセス元へ送信することを見守りシステムプログラム３１は規定する。
【０１６３】
上記の検索処理において、二番目に危険度の高い組合せのユーザが存在しない場合、三番目に危険度の高い組合せとなる両方の判定レベルの項目が「警告」の組合せであるとき、若しくは一方の判定レベルの項目が「緊急」であると共に他方の判定レベルの項目が「注意」又は「問題なし」であるユーザの有無を探す。このような組合せに該当するユーザが存在した場合、上記の組合せの判定レベルに応じた内容の見守り通知画面用の画面ページデータ（例えば、図１７に示す判定レベルと同様の内容の見守り通知画面５１用の画面ページデータ）をＭＰＵ３０ａが生成してアクセス元へ送信することを見守りシステムプログラム３１は規定する。
【０１６４】
また、上記の検索処理において、三番目に危険度の高い組合せのユーザが存在しない場合、四番目に危険度の高い組合せとなる一方の判定レベルの項目が「警告」であると共に他方の判定レベルの項目が「注意」であるユーザの有無を探す。このような組合せに該当するユーザが存在した場合、上記の組合せの判定レベルに応じた内容の見守り通知画面用の画面ページデータをＭＰＵ３０ａが生成してアクセス元へ送信することを見守りシステムプログラム３１は規定する。
【０１６５】
さらに、上記の検索処理において、四番目に危険度の高い組合せのユーザが存在しない場合、五番目に危険度の高い組合せとなる両方の判定レベルの項目が「注意」の組合せであるとき、若しくは一方の判定レベルの項目が「警告」であると共に他方の判定レベルの項目が「問題なし」であるユーザの有無を探す。このような組合せに該当するユーザが存在した場合、上記の組合せの判定レベルに応じた内容の見守り通知画面用の画面ページデータをＭＰＵ３０ａが生成してアクセス元へ送信することを見守りシステムプログラム３１は規定する。
【０１６６】
さらにまた、上記の検索処理において、五番目に危険度の高い組合せのユーザが存在しない場合、六番目に危険度の高い組合せとなる一方の判定レベルの項目が「注意」であると共に他方の判定レベルの項目が「問題なし」であるユーザの有無を探す。このような組合せに該当するユーザが存在した場合、上記の組合せの判定レベルに応じた内容の見守り通知画面用の画面ページデータをＭＰＵ３０ａが生成してアクセス元へ送信することを見守りシステムプログラム３１は規定する。
【０１６７】
そして、上記の検索処理において、六番目に危険度の高い組合せのユーザが存在しない場合、最も危険度の低い組合せとなる両方の判定レベルの項目が「問題なし」の組合せである内容の見守り通知画面用の画面ページデータを含む見守り通知情報をＭＰＵ３０ａが生成してアクセス元へ送信することを見守りシステムプログラム３１は規定する。このような処理を行うことで、オペレータのログイン処理が完了した直後にオペレータ端末ｔ１等で表示する見守り通知画面の内容が、その時点における最も危険度が高いものになるので、オペレータは、その時点における最も危険度が高いユーザから見守り対応業務を行えるというメリットがある。
【０１６８】
このような見守り通知画面等に応じた画面ページデータ（見守り通知情報）の生成は、ＲＡＭ３０ｃの記憶領域をワークエリアにして行われると共に、生成された画面ページデータはＲＡＭ３０ｃで一時的に記憶されてから、所要のオペレータ端末ｔ１等へＭＰＵ３０ａの制御に基づき送信されることになる。
【０１６９】
見守りシステムプログラム３１の規定に基づくＭＰＵ３０ａが行う画面ページデータ（見守り通知情報）の具体的な生成の仕方としては、図１４に示す見守り通知画面４１を例にすると、生成する対象の危険度に応じた操作判定と環境判定の判定レベルに合致する操作判定結果欄４２及び環境判定結果欄４３の各選択欄４２ａ〜４２ｃ、４３ａ〜４３ｃのいずれかにチェックを入れて選択状態にすることをＭＰＵ３０ａが行うと共に、ユーザ状況欄４１ａの中には、生成する対象の危険度に応じたユーザ状況を図１０の統合判定テーブル３６から抽出して配置する処理をＭＰＵ３０ａが行う。この際、生成する対象の危険度に応じて、ユーザ状況欄４１ａ等の背景色（赤色、黄色、緑色等）を設定することもＭＰＵ３０ａが行う。
【０１７０】
そして、生成する対象の危険度に応じたユーザＩＤを、直近の回答ＤＢ３７（直近の日別回答ＤＢ３７ａ）からＭＰＵ３０ａが特定すると共に、特定したユーザＩＤに対応付けられたユーザの名称及び属するグループを、図７のユーザＤＢ３２から特定する。それから、特定した各グループに属するユーザ数を特定し、ユーザ数の多い順に並べたユーザ情報（人数、グループ、ユーザＩＤ、氏名）をユーザ情報欄４４に表形式で配置することをＭＰＵ３０ａが行う。なお、ユーザ情報欄４４に配置すべきグループが多数に及ぶ場合、ＭＰＵ３０ａはユーザ情報欄４４の右端にスクロール操作部を設ける。また、ＭＰＵ３０ａは、ユーザ情報の中のユーザＩＤ及び氏名は選択可能にすると共に、選択されると、そのユーザ用のユーザ画面を要求する指示（ユーザＩＤを含む指示）がサーバ装置３０へ送られる旨のコマンドを埋め込むことになる。上述したＭＰＵ３０ａが行う内容により得られたものが、見守り通知画面用として生成される画面ページデータ（見守り通知情報）に該当する。
【０１７１】
また、サーバ装置３０が、見守り通知画面用の画面ページデータを含む見守り通知情報送信してから、ユーザ画面の画面要求（ユーザ画面要求）を受信した場合、そのユーザ画面要求に係るユーザ画面（例えば、図１５、１８のユーザ画面４５、５５）に応じた画面ページデータを含むユーザ画面情報をＭＰＵ３０ａが生成して、画面要求の送信元のオペレータ端末ｔ１等へ送信することを見守りシステムプログラム３１は規定する。
【０１７２】
見守りシステムプログラム３１の規定に基づくＭＰＵ３０ａが行うユーザ画面用の画面ページデータ（ユーザ画面情報）の具体的な生成の仕方としては、図１５に示す見守り通知画面４５を例にすると、まず、画面要求に含まれるユーザＩＤに対応づけられたユーザ名を、図７のユーザＤＢ３２からＭＰＵ３０ａが特定してユーザ情報欄４５ａへ配置することを行う。また、ユーザ状況欄４５ｂは、元の見守り通知画面のユーザ状況欄（例えば、図１４の見守り通知画面４１のユーザ状況欄４１ａ）を引き継いだ内容にして、同様のユーザ状況を配置すると共に、背景の形態（色又は模様等）も同様に引き継いだ内容にＭＰＵ３０ａが設定する。
【０１７３】
さらに、状況詳細指示欄４５ｃは、対象となるユーザの判定レベルを元の見守り通知画面から引き継いで、その判定レベルに応じた内容を、図１０の統合判定テーブル３６の中からＭＰＵ３０ａが特定して抽出し、その抽出した内容を配置するように設定を行う。さらにまた、操作判定欄４５ｄ及び環境判定欄４５ｅは、対象となるユーザのユーザＩＤに対応付けられた直近の回答ＤＢ３７（例えば日別回答ＤＢ３７ａ）の中の「送信内容」、「電源オン継続時間」、又は「電源オフ継続時間」の項目の中のいずれか一つに格納された情報と、「操作判定」の項目に格納された情報と、「環境」の項目に格納された情報と、「環境判定」の項目に格納された情報とをそれぞれＭＰＵ３０ａが特定して抽出し、それら抽出した内容を配置するように設定を行う。そして、「一覧へ戻る」ボタン４５ｆ、「担当者変更」ボタン４５ｇ、「完了」ボタン４５ｈ、「保留」ボタン４５ｉ等は、予め大容量記憶システム３０ｇに記憶されている表示パーツデータを用いて、上述した内容を含むようにしてユーザ画面用の画面ページデータ（ユーザ画面情報）をＭＰＵ３０ａが生成している。
【０１７４】
また、ユーザ画面４５、５５等を表示していたオペレータ端末ｔ１等で、「担当者変更」ボタン４５ｇ、５５ｇ等がオペレータにより選択されると、担当者変更指示がサーバ装置３０へ送信されるようになっており、その担当者変更指示をサーバ装置３０が受信した場合、見守りシステムプログラム３１は、図１６（ａ）のオペレータ変更メニュー４７に応じたオペレータ変更情報をＭＰＵ３０ａが生成して、オペレータ端末ｔ１等へ送信することを規定している。
【０１７５】
なお、オペレータ変更メニュー４７で、オペレータ欄４７ａ〜４７ｅ又は募集欄４７ｆの操作が行われると、各欄４７ａ〜４７ｆの操作された旨がサーバ装置３０へ送信されて、サーバ装置３０は、オペレータの変更登録処理、又はオペレータの募集に応じた処理等を行えるようになると共に、オペレータ変更メニュー４７を閉じて、元のユーザ画面４５、５５等に応じた画面ページデータを含むユーザ画面情報をオペレータ端末ｔ１等へＭＰＵ３０ａが送信することを見守りシステムプログラム３１は規定している。ただし、このユーザ画面情報の再送の際、オペレータ欄４７ａ〜４７ｅの操作が行われた時は「担当者変更」ボタン４５ｇ、５５ｇ等の表記を、変更されたオペレータ名を含む表記（例えば、「変更完了：小倉」）に変更した内容にした画面ページデータを再送し（図１６（ｂ）参照）、募集欄４７ｆの操作が行われた時は「担当者変更」ボタン４５ｇ、５５ｇ等の表記を「対応者募集中」に変更した内容にした画面ページデータを再送することを、見守りシステムプログラム３１は規定している。
【０１７６】
さらに、ユーザ画面４５、５５等を表示していたオペレータ端末ｔ１等で、「完了」ボタン４５ｈ、５５ｈ等がオペレータにより選択されると、ユーザ画面４５、５５等に係るユーザＩＤと共に、完了通知がサーバ装置３０へ送信される。サーバ装置３０が、ユーザＩＤの付帯した完了通知を受信すると、見守りシステムプログラム３１は、回答ＤＢ３７（例えば、図１１に示す日別回答ＤＢ３７ａ）における「備考」の項目に、受信した完了通知に付帯するユーザＩＤと対応づけて、対応完了の旨を格納する処理をＭＰＵ３０ａが行うと共に、回答ＤＢ３７（例えば、図１１に示す日別回答ＤＢ３７ａ）の「電源オン継続時間」、「電源オフ継続時間」、「操作判定レベル」、及び「環境判定レベル」の各項目に格納されている内容も一旦、ＭＰＵ３０ａがリセットすることを規定する。そして、見守りシステムプログラム３１は、「完了」ボタン４５ｈ、５５ｈ等の表記を、「完了済み」に変更した内容の画面ページデータを、アクセス元のオペレータ端末ｔ１へＭＰＵ３０ａが送信する制御を行うことを規定している。
【０１７７】
さらにまた、ユーザ画面４５、５５等を表示していたオペレータ端末ｔ１等で、「保留」ボタン４５ｉ、５５ｉ等がオペレータにより選択されると、ユーザ画面４５、５５等に係るユーザＩＤと共に、保留通知がサーバ装置３０へ送信される。サーバ装置３０が、ユーザＩＤの付帯した保留通知を受信すると、見守りシステムプログラム３１は、回答ＤＢ３７の中の図１１に示す日別回答ＤＢ３７ａにおける「備考」の項目に、受信した保留通知に付帯するユーザＩＤと対応づけて、保留中である旨を格納する処理をＭＰＵ３０ａが行うことを規定する。そして、見守りシステムプログラム３１は、「保留」ボタン４５ｉ、５５ｉ等の表記を、「保留中：解除」に変更した内容の画面ページデータを、アクセス元のオペレータ端末ｔ１へ送信することを規定している（図１６（ｃ）参照）。なお、「保留中：解除」ボタンが選択された場合は、ユーザ画面４５、５５等に係るユーザＩＤと共に、保留解除通知がサーバ装置３０へ送信され、「備考」の項目に格納されていた保留中の旨をＭＰＵ３０ａが削除することを、見守りシステムプログラム３１は規定している。
【０１７８】
そして、ユーザ画面４５、５５等を表示していたオペレータ端末ｔ１等で、「一覧へ戻る」ボタン４５ｆ、５５ｆ等がオペレータにより選択されると、見守りシステムプログラム３１は、ユーザ画面４５、５５等に応じた画面ページデータを送信する際に提示していた見守り通知画面４１、５０等に応じた画面ページデータを再度、アクセス元のオペレータ端末ｔ１へＭＰＵ３０ａが送信する制御を行うことを見守りシステムプログラム３１は規定している。
【０１７９】
ただし、見守り通知画面用の画面ページデータを再送する際、回答ＤＢ３７（例えば、図１１に示す日別回答ＤＢ３７ａ）における「備考」の項目に、対応完了の旨が格納されているユーザが存在すれば、そのユーザに対するユーザ情報を含まない見守り通知画面用の画面ページデータをＭＰＵ３０ａが生成して、アクセス元のオペレータ端末ｔ１へ送信することを見守りシステムプログラム３１は規定している。このような処理を行うことで、対応の完了したユーザ情報（ユーザＩＤ）は対応完了後、見守り通知画面４１、５０等に含まれなくなるので、オペレータへは対応業務が依然として必要なユーザ情報だけが提示されるようにして、対応業務の効率化を図っている。
【０１８０】
また、見守り通知画面用の画面ページデータを含む見守り通知情報を再送する際、回答ＤＢ３７（例えば、図１１に示す日別回答ＤＢ３７ａ）における「備考」の項目に、保留中の旨が格納されているユーザが存在すれば、そのユーザに対するユーザ情報（ユーザＩＤ、氏名）の横方に「保留中」とした表記を付加した内容の画面ページデータをＭＰＵ３０ａが生成して、アクセス元のオペレータ端末ｔ１へ送信することを見守りシステムプログラム３１は規定している。このような処理を行うことで、見守り通知画面４１、５１等においても、対応業務が保留中のユーザを一目で把握できるようにしている。なお、回答ＤＢ３７に格納された情報（送信内容等の項目に格納された情報）は、「電源オン継続時間」、「電源オフ継続時間」、及び「外出」等の項目を除いて、所定の周期（例えば、午前０時の１日おき）でリセットすることを見守りシステムプログラム３１は規定している。
【０１８１】
さらに、オペレータ端末ｔ１等で見守り通知画面４１、５１が表示されている状態で、操作判定結果欄４２において、現在の選択中のものと異なる選択欄４２ａ〜４２ｃのいずれか一つの選択を受け付けた場合、又は環境判定結果欄４３において、現在の選択中のものと異なる選択欄４３ａ〜４３ｃのいずれか一つの選択を受け付けた場合（両方の判定結果欄４２、４３の各選択欄の選択を受け付けた場合も含む）、選択を受け付けた選択欄４２ａ〜４２ｃ、４３ａ〜４３ｃに応じた各判定レベルを示すレベル通知情報がサーバ装置３０へ送信されるように見守り通知画面４１、５１は生成されている。そのレベル通知情報を受信すると、上述した見守り通知画面の画面ページデータ（見守り通知情報）の生成の仕方と同様に、レベル通知情報が示す各判定レベルに合致するユーザ情報を含む画面ページデータ（見守り通知情報）を生成して、レベル通知情報の送信元のオペレータ端末ｔ１等へ送信する制御をＭＰＵ３０ａが行うことを、見守りシステムプログラム３１は規定する。
【０１８２】
図１９は、図１に示す見守りサービス（見守りシステム１）におけるオペレータ端末ｔ１〜ｔｎの中の一例のオペレータ端末１００（図１９では符号１００で示す）の主要な内部構成を示しており、オペレータ端末ｔ１〜ｔｎ等は、オペレータへ見守り業務に関する各種画面で情報を表示することから、表示出力の可能な通信端末に該当する。また、図１９に示す一例のオペレータ端末１００としては、通信機能を具備した一般的なパーソナルコンピュータを適用しており、全体的な制御及び各種処理を行うＣＰＵ１００ａ（プロセッサ１００ａ）に、内部接続線１００ｈを介して、通信・通話モジュール１００ｂ、ＲＡＭ１００ｃ、ＲＯＭ１００ｄ、入力インタフェース１００ｅ、出力インタフェース１００ｆ、ＨＤＤ（ハードディスクドライブ）１００ｇ、及びビデオメモリ１００ｋ等の各種デバイス等を接続したものになっている。
【０１８３】
なお、オペレータ端末１００には、オペレータが頭部に装着して使用する電話用のヘッドセットが接続されており、ヘッドセットのマイク部１０５ａが入力インタフェース１００ｅに接続されると共に、ヘッドセットのスピーカ部１０５ｂが出力インタフェース１００ｆに接続される。また、ヘッドセットのマイク部１０５ａが取得した音声（オペレータが話す音声等）のデータは入力インタフェース１００ｅへ入力されると共に、出力インタフェース１００ｆから音声データを出力する場合、ヘッドセットのスピーカ部１０５ｂから出力されて、オペレータが音声を聞けるようになっている。
【０１８４】
オペレータ端末１００の通信・通話モジュール１００ｂは通信手段に相当し、ネットワークを介した通信処理を行うと共に、ＣＰＵ１００ａの制御に従って所定の電話番号へ電話をかける機能（発呼機能）及び電話を受ける機能（着呼機能）等も有する。そのため、通信・通話モジュール１００ｂは例えば、発呼により電話先との接続を確立すると、ヘッドセットのマイク部１０５ａで取得した音声を、入力インタフェース１００ｅから内部接続線１００ｈを介して受け取って電話の相手先へ送る処理を行うと共に、電話の相手先から送られてきた音声を出力インタフェース１００ｆへ伝えてヘッドセットのスピーカ部１０５ｂから出力するので、オペレータはオペレータ端末１００により所定の連絡先と電話することができる。なお、スピーカ部１０５ｂからは、音声以外の音（警告音、テキスト読み上げ音等も）もＣＰＵ１００ａの制御により出力可能になっている。
【０１８５】
オペレータ端末１００のビデオメモリ１００ｋには、ディスプレイ１００ｊへ表示する画面内容を生成する際に用いられるものであり、表示用の見守り通知情報（画面ページデータ）を一時的に記憶すると共に、その表示用の情報に基づいて画面内容を生成するワークメモリとして使用される。なお、オペレータ端末の他のデバイスの機能は、上述したサーバ装置３０のデバイスと基本的に同等である。
【０１８６】
また、オペレータ端末１００のＨＤＤ１００ｇには、ＯＳプログラム１０１、端末プログラム１０２等のプログラムが記憶（インストール）されている。ＯＳプログラム１０１は、オペレーティングシステムに相当する基本プログラムであり、オペレータ端末１００がパーソナルコンピュータとして機能するためのＣＰＵ１００ａの処理を規定している。
【０１８７】
端末プログラム１０２は、オペレータ端末１００を、オペレータ向けの端末として機能させるためにＣＰＵ１００ａが行う各種処理を規定したものであり、ウェブサイト等をブラウジングするためのブラウザプログラムとしての機能を実現する処理内容等も含んだものとなっている。
【０１８８】
端末プログラム１０２は起動すると、通信・通話モジュール１００ｂを用いてサーバ装置３０へアクセスできるようにＣＰＵ１００ａが制御することを規定する。また、端末プログラム１０２は、アクセスによるサーバ装置３０との接続の確立に応じて、サーバ装置３０から送られてきたトップページ画面用の画面ページデータを通信・通話モジュール１００ｂで受信すると、受信したトップページ画面用の画面ページデータをビデオメモリ１００ｋに記憶させ、その記憶させた画面ページデータに基づき図１３に示すトップページ画面４０を生成する制御をＣＰＵ１００ａが行って、ディスプレイ１００ｊに表示出力させることを規定する。
【０１８９】
また、図１３のトップページ画面４０で、オペレータＩＤ入力欄４０ａ及びＰＷ（パスワード）入力欄４０ｂに入力が行われて、ログインボタン４０ｃの選択操作を受け付けた場合、各入力欄４０ａ、４０ｂに入力された情報を、通信・通話モジュール１００ｂを用いてサーバ装置３０へ送信する制御をＣＰＵ１００ａが行うことを端末プログラム１０２は規定する。
【０１９０】
入力情報の送信に応じて、サーバ装置３０から送られてきた見守り通知画面用の画面ページデータを含む見守り通知情報を通信・通話モジュール１００ｂで受信すると、その画面ページデータ（見守り通知情報）をビデオメモリ１００ｋに一旦記憶させる制御をＣＰＵ１００ａが行うことを端末プログラム１０２は規定する。そして、ビデオメモリ１００ｋに記憶された見守り通知情報の画面ページデータに基づき見守り通知画面（例えば、図１４、１７に示す見守り通知画面４１、５１）を生成する制御をＣＰＵ１００ａが行って、ディスプレイ１００ｊに表示出力させることを端末プログラム１０２は規定する。
【０１９１】
また、見守り通知画面（以下、図１４の見守り通知画面４１の場合で説明する）をディスプレイ１００ｊに表示した状態で、表形式のユーザ情報欄４４のユーザ欄４４ｃに配置されたユーザＩＤ（操作受付部に相当）のいずれかについてオペレータからの選択操作を受け付けると、通信・通話モジュール１００ｂを用いて、その選択操作が行われたユーザＩＤに応じたユーザ画面の要求指示（ユーザ画面要求）をサーバ装置３０へ送信する制御を、ＣＰＵ１００ａが行うことを端末プログラム１０２は規定する。このユーザ画面要求を送信したことに応じてユーザ画面に応じた画面ページデータを含むユーザ画面情報を受信すると、そのユーザ画面情報の画面ページデータに基づいて、ユーザ画面の生成処理及びディスプレイ１００ｊへの表示出力を行って、選択したユーザＩＤに応じたユーザ画面（例えば、図１５に示すユーザ画面４５）を表示出力することを、端末プログラム１０２は規定する。
【０１９２】
図１５のユーザ画面４５が表示した例で説明を続けると、「担当者変更」ボタン４５ｇの選択操作を受け付けると、担当者変更指示を、通信・通話モジュール１００ｂを用いてサーバ装置３０へ送信する制御を、ＣＰＵ１００ａが行うことを端末プログラム１０２は規定する。この担当者変更指示の送信に応じてオペレータ変更情報を受信すると、受信したオペレータ変更情報に基づいて、図１６（ａ）に示すオペレータ変更メニュー４７を生成する処理を行って、生成したオペレータ変更メニュー４７をユーザ画面４５に重ねて表示（オーバレイ表示）する制御処理をＣＰＵ１００ａが行うことを端末プログラム１０２は規定している。
【０１９３】
オペレータ変更メニュー４７が表示された状態で、オペレータ欄４７ａ〜４７ｅのいずれかの選択操作が行われると、オペレータ欄４７ａ〜４７ｅの選択を示す情報（選択されたオペレータを示す情報）を、通信・通話モジュール１００ｂを用いてサーバ装置３０へ送信すると共に、オペレータ変更メニュー４７のオーバレイ表示を消去する制御を、ＣＰＵ１００ａが行うことを端末プログラム１０２は規定する。このオーバレイ表示の消去に伴い、新たに送信されてきたユーザ画面用の画面ページデータを受信すると、上述した場合と同様の処理を行って、新たなユーザ画面を表示することになり、それにより、「担当者変更」ボタン４５ｇの表記が、例えば、「変更完了：小倉」というように変更後のオペレータを示すように切り替わる。
【０１９４】
また、オペレータ変更メニュー４７が表示された状態で、募集欄４７ｆの選択操作が行われると、募集欄４７ｆの選択を示す情報を、通信・通話モジュール１００ｂを用いてサーバ装置３０へ送信すると共に、オペレータ変更メニュー４７のオーバレイ表示を消去する制御を、ＣＰＵ１００ａが行うことを端末プログラム１０２は規定する。このオーバレイ表示の消去に伴い、新たに送信されてきたユーザ画面用の画面ページデータを受信すると、上述した場合と同様の処理を行って、新たなユーザ画面を表示することになり、それにより、「担当者変更」ボタン４５ｇの表記が、「対応者募集中」に変更される。
【０１９５】
ユーザ画面４５が表示された状態に戻って端末プログラム１０２の説明を続けると、「完了」ボタン４５ｈの選択操作を受け付けると、「完了」ボタン４５ｇの操作が有った旨を示す通知（完了通知）を、通信・通話モジュール１００ｂを用いて、サーバ装置３０へ送信する制御を、ＣＰＵ１００ａが行うことを端末プログラム１０２は規定する。また、完了通知の送信に伴い、新たに送信されてきたユーザ画面用の画面ページデータを受信すると、上述した場合と同様の処理を行って、新たなユーザ画面を表示することになり、それにより、「完了」ボタン４５ｈの表記が、「完了済み」に変更される。
【０１９６】
さらに、ユーザ画面４５が表示された状態で、「保留」ボタン４５ｉの選択操作を受け付けると、「保留」ボタン４５ｈの操作が有った旨を示す情報（保留通知）を、通信・通話モジュール１００ｂを用いて、サーバ装置３０へ送信する制御を、ＣＰＵ１００ａが行うことを端末プログラム１０２は規定する。また、この保留通知の送信に伴い、新たに送信されてきたユーザ画面用の画面ページデータを受信すると、上述した場合と同様の処理を行って、新たなユーザ画面を表示することになり、それにより、「保留」ボタン４５ｉの表記が、「保留中：解除」に変更される。
【０１９７】
さらにまた、ユーザ画面４５が表示された状態で、「一覧へ戻る」ボタン４５ｆの選択操作を受け付けると、見守り通知画面へ戻る旨の指示（戻り指示）を、通信・通話モジュール１００ｂを用いて、サーバ装置３０へ送信する制御を、ＣＰＵ１００ａが行うことを端末プログラム１０２は規定する。この見守り通知画面へ戻る旨の指示の送信に伴い、見守り通知画面用の画面ページデータを受信すると、上述した場合と同様の処理を行って、見守り通知画面を再び表示することになる。
【０１９８】
また、見守り通知画面（例えば、見守り通知画面４１）を表示している状態で、オペレータが、操作判定結果欄４２において、現在の選択中のものと異なる選択欄４２ａ〜４２ｃのいずれか一つを選択した場合、又は環境判定結果欄４３において、現在の選択中のものと異なる選択欄４３ａ〜４３ｃのいずれか一つを選択した場合（両方の判定結果欄４２、４３の選択欄を選択した場合も含む）、選択を受け付けた選択欄４２ａ〜４２ｃ、４３ａ〜４３ｃに応じた各判定レベルを示すレベル通知情報を、オペレータ端末１００はサーバ装置３０へ送信する。このレベル通知情報の送信に応じて、オペレータ端末は、そのレベル通知情報が示す各判定レベルに合致したユーザ情報を含む見守り通知情報を受信すると、その見守り通知情報に基づき、新たな見守り通知画面の表示出力を行う。このように本発明は、ログイン直後では最も危険度が高いユーザに応じた情報を含む見守り通知画面を表示するが、その後はオペレータの判定結果欄４２、４３の各選択欄４２ａ〜４２ｃ、４３ａ〜４３ｃの選択操作により、確認したいレベルの見守り通知画面を表示できるので、見守り業務の状況に応じて各種画面の表示が可能となる。
【０１９９】
最後に、見守り通知画面（例えば、図１４の見守り通知画面４１）を表示した状態で、右上の「ログアウト」ボタン４１ｃの選択操作が行われると、ログアウト指示を、通信・通話モジュール１００ｂを用いてサーバ装置３０へ送信する制御を、ＣＰＵ１００ａが行うことを端末プログラム１０２は規定する。そして、このログアウト指示の送信に伴って、トップページ画面用の画面ページデータを受信すると、図１３のトップページ画面４０を生成して再び表出出力することを端末プログラム１０２は規定する。
【０２００】
図２０〜２７は、本実施形態の見守り方法の一連の処理手順を示す第１〜８フローチャートであり、見守りシステム１における上述したサーバ装置３０、オペレータ端末１００等の処理の流れを示す。以下、各フローチャートに従って、見守りシステム１及びサーバ装置３０等の処理手順を整理して説明する。
【０２０１】
先ず、図２０に示す第１フローチャートは、サーバ装置３０におけるユーザ状況の判定処理の全体的な概要を示し、まず、サーバ装置３０は、操作通知処理を行い（Ｓ１）、次に検知結果処理を行い（Ｓ２）、それからＳ１の段階の操作通知処理を経て得られたテレビジョン装置１０の操作状況に基づき特定された判定結果（操作通知判定レベル）と、Ｓ２の段階の検知結果処理を経て得られた各センサ２７、２８の検知結果に基づき特定された判定結果（検知結果判定レベル）とに基づいて、図１０の統合判定テーブル３６に従ってユーザの状況に係る危険度を判定し（Ｓ３）、上述したＳ１〜Ｓ３の段階で得られた内容（各判定レベル）を直近の回答ＤＢ（例えば、図１１の日別回答ＤＢ３７ａの「操作判定」及び「環境判定」の項目）等に記憶する（Ｓ４）。なお、サーバ装置３０は、図２０の第１フローチャートに示すＳ１及びＳ２の段階の処理は随時継続して平行的に行っており、また、第１フローチャート全体の処理を繰り返し行っており、それにより、回答ＤＢ３７には常に、最新のユーザ状況が格納された状態になっている。
【０２０２】
図２１に示す第２フローチャートは、上述した第１フローチャートにおけるＳ１の段階の操作通知処理の中身を示している。すなわち、操作通知処理において、サーバ装置３０は、まず、電源オン操作を示す操作通知を見守り装置５から受信したか否かを判断しており（Ｓ１０）、電源オン操作を示す操作通知を受信した場合（Ｓ１０：ＹＥＳ）、サーバ装置３０は電源オンの継続時間の計時を開始し（Ｓ１１）、それから、図４（ａ）のアンケート画面２１に対する回答操作に係る操作通知を見守り装置５から受信したか否かを判断する（Ｓ１２）。
【０２０３】
回答操作に係る操作通知を受信しない場合（Ｓ１２：ＮＯ）、受信待ちの状態となり、回答操作に係る操作通知を受信した場合（Ｓ１２：ＹＥＳ）、サーバ装置３０は、図９（ａ）に示す操作判定テーブル３４に従って、操作通知で示される回答内容（よい、ふつうわるい、回答操作無し）に基づき、操作通知判定レベル（緊急、警告、注意、問題なし）を特定する（Ｓ１３）。なお、特定した操作通知判定レベルは、ＲＡＭ３０ｃに一時的に記憶し、上述した第１フローチャートのＳ４の段階で回答ＤＢ３７に格納されることになる。
【０２０４】
それから、サーバ装置３０は時刻が０時を経過したか否かを判断し（Ｓ１４）、０時が経過した場合（Ｓ１４：ＹＥＳ）、Ｓ１３で特定して回答ＤＢ３７に格納していた操作判定レベルの項目内容をリセットする（Ｓ１５）。但し、このＳ１５の段階のリセットでは、電源オンの継続時間又は電源オフの継続時間に基づき判定された判定レベル（後述のＳ１７、Ｓ３１、Ｓ３３の段階で判定された判定レベル）についてはリセットされないようにしている。
【０２０５】
そして、サーバ装置３０は、計時していた電源オンの継続時間が２４時間を超過したか否かを判断し（Ｓ１６）、電源オンの継続時間が２４時間を超過した場合（Ｓ１６：ＹＥＳ）、サーバ装置３０は、図９（ａ）に示す操作判定テーブル３４に従って、操作通知判定レベルが「緊急」であると特定する（Ｓ１７）。このＳ１７の段階の後、Ｓ１４の段階で、時刻が０時を経過していない場合（Ｓ１４：ＮＯ）、又はＳ１６の段階で、電源オンの継続時間が２４時間を超過していない場合（Ｓ１６：ＮＯ）、サーバ装置３０は、電源オフ操作を示す操作通知を見守り装置５から受信したか否かを判断する（Ｓ１８）。
【０２０６】
電源オフ操作を示す操作通知を受信していない場合（Ｓ１８：ＮＯ）、時刻が０時を経過したか否かを判断する段階（Ｓ１４）へ戻り、一方、電源オフ操作を示す操作通知を見守り装置５から受信した場合（Ｓ１８：ＹＥＳ）、サーバ装置３０は、計時していた電源オンの継続時間をリセットすると共に、電源オフの継続時間の計時を開始し（Ｓ１９）、電源オン操作を示す操作通知を見守り装置５から受信したか否かを判断する段階（Ｓ１０）へ戻る。
【０２０７】
なお、電源オン操作を示す操作通知を受信していない場合（Ｓ１０：ＮＯ）、次にサーバ装置１０は、上述したＳ１９の段階の処理を経て電源オフの継続時間を計時中であるか否かを判断し（Ｓ２０）、電源オフの継続時間の計時中でない場合（Ｓ２０：ＮＯ）、電源オン操作を示す操作通知を見守り装置５から受信したか否かを判断する段階（Ｓ１０）へ戻る。一方、電源オフの継続時間の計時中である場合（Ｓ２０：ＹＥＳ）、サーバ装置３０の処理は、図２２の第３フローチャートに示す処理へ進む。
【０２０８】
図２２の第３フローチャートにおいて、先ずサーバ装置３０は、計時していた電源オフの継続時間が７２時間を超過したか否かを判断し（Ｓ３０）、電源オフの継続時間が７２時間を超過した場合（Ｓ３０：ＹＥＳ）、サーバ装置３０は、図９（ａ）に示す操作判定テーブル３４に従って、操作通知判定レベルが「緊急」であると特定する（Ｓ３１）。一方、電源オフの継続時間が７２時間を超過していない場合（Ｓ３０：ＮＯ）、サーバ装置３０は次に、計時していた電源オフの継続時間が４８時間を超過したか否かを判断し（Ｓ３２）、電源オフの継続時間が４８時間を超過した場合（Ｓ３２：ＹＥＳ）、サーバ装置３０は、図９（ａ）に示す操作判定テーブル３４に従って、操作通知判定レベルが「警告」であると特定する（Ｓ３３）。
【０２０９】
なお、第３フローチャートにおいて、Ｓ３１の段階で「緊急」であると特定した後、Ｓ３２の段階で電源オフの継続時間が４８時間を超過していない場合（Ｓ３２：ＮＯ）、Ｓ３３の段階で「警告」であると特定した後、サーバ装置３０の処理は、図２１に示す第２フローチャートの中の最初の電源オン操作を示す操作通知を見守り装置５から受信したか否かを判断する段階（Ｓ１０）へ戻ることになる。
【０２１０】
図２３の第４フローチャートは、上述した第１フローチャートにおけるＳ２の段階の検知結果処理の中身の一例を示している。すなわち、検知結果処理において、サーバ装置３０は、まず、温度センサ２７の検知結果（温度）を見守り装置５から受信したか否かを判断しており（Ｓ４０）、温度の検知結果を受信していない場合（Ｓ４０：ＮＯ）、受信待ちの状態となり、温度の検知結果を受信した場合（Ｓ４０：ＹＥＳ）、サーバ装置３０は、受信した検知結果（温度）を一時的にＲＡＭ３０ｃに記憶し（Ｓ４１）、次に、湿度センサ２８の検知結果（湿度）を見守り装置５から受信したか否かを判断する（Ｓ４２）。
【０２１１】
湿度の検知結果を受信していない場合（Ｓ４２：ＮＯ）、受信待ちの状態となり、湿度の検知結果を受信した場合（Ｓ４２：ＹＥＳ）、サーバ装置３０は、受信した検知結果（湿度）を一時的にＲＡＭ３０ｃに記憶し（Ｓ４３）。それからサーバ装置３０は、ＲＡＭ３０ｃに記憶している検知結果（温度、湿度の組合せ）に対し、図９（ｂ）の環境判定テーブル３５に基づいて、検知結果判定レベル（緊急、警告、注意、問題なし）を特定する（Ｓ４４）。なお、図９（ｂ）の環境判定テーブル３５を用いる際、サーバ装置３０は、自己のＭＰＵ３０ａのカレンダー機能を用いて、処理を行う際の月を特定し、その特定した月に応じた期間（６月〜１０月又は１１月〜５月）の内容を用いることになる。また、特定した検知結果判定レベルは、ＲＡＭ３０ｃに一時的に記憶し、上述した第１フローチャートのＳ４の段階で回答ＤＢ３７に格納される。そして、図２３の第４フローチャートは、図２０の第１フローチャートにおけるＳ２段階の処理（検知結果処理）を概念的に示した一例にすぎず、内容的には様々なバリエーションが考えられる。例えば、第４フローチャートにおけるＳ４０及びＳ４１の処理（温度の検知結果を受信して記憶する処理）と、Ｓ４２及びＳ４３の処理（湿度の検知結果を受信して記憶する処理）との順序を逆にすることも可能であり、また、実際のシステムにおいて、サーバ装置３０は、温度センサ２７からの検知結果と、湿度センサ２８からの検知結果を非同期で受信することも想定されるので、第４フローチャートにおけるＳ４０及びＳ４１の処理（温度の検知結果を受信して記憶する処理）と、Ｓ４２及びＳ４３の処理（湿度の検知結果を受信して記憶する処理）とを別々に並行的に進めて、両方の検知結果が揃って記憶された状態でレベル判定処理（Ｓ４４）を行うようにしてもよい。
【０２１２】
以上のように、図２１、２２に示す第２、３フローチャートの処理を経て、操作通知判定レベルは特定されると共に、図２３に示す第４フローチャートの処理を経て、検知結果判定レベルは特定され、これらの特定された各判定レベルに基づき、図２０の第１フローチャートにおけるＳ３の段階で、図１０の統合判定テーブル３６に従ってユーザの状況が統合的に判定されることになる。
【０２１３】
図２４に示す第５フローチャートは、上述した第１〜４フローチャートの処理を経て、ユーザの状況を判定してから、そのような判定状況を示す各種画面を、サーバ装置３０がオペレータ端末１００（オペレータ端末ｔ１等）からのアクセスに応じて提示する処理手順を示したものである。まず、オペレータ端末１００はサーバ装置３０へアクセスを行い（Ｓ５０）、一方、サーバ装置３０では、各オペレータ端末からアクセスを受けたか否かを判断する段階になっており（Ｓ６０）、アクセスを受けていないときは（Ｓ６０：ＮＯ）、アクセス待ちの状態となり、アクセスを受けたときは（Ｓ６０：ＹＥＳ）、オペレータ向けウェブサイトのトップページ情報（トップページ画面に応じた画面ページデータ）をアクセス元のオペレータ端末１００へ送信する（Ｓ６１）。
【０２１４】
オペレータ端末１００は、トップページ情報を受信すると、受信したトップページ情報を用いて図１３のトップページ画面４０を生成してディスプレイ１００ｊに表示出力する（Ｓ５１）。そして、オペレータ端末１００は、オペレータＩＤ入力欄４０ａ及びＰＷ（パスワード）入力欄４０ｂのそれぞれへオペレータによりＩＤ及びパスワードの入力が行われて、ログインボタン４０ｃの選択操作（ログイン操作）を受け付けたか否かを判断する（Ｓ５２）。ログイン操作を受け付けていないときは（Ｓ５２：ＮＯ）、ログイン操作待ちの状態となり、ログイン操作を受け付けたときは（Ｓ５２：ＹＥＳ）、入力されたオペレータＩＤ及びパスワードを含めてログイン操作があった旨をサーバ装置３０へ送信する（Ｓ５３）。
【０２１５】
サーバ装置３０は、オペレータＩＤ及びパスワードを含むログイン操作の旨を受信したか否かを判断しており（Ｓ６２）、ログイン操作の旨を受信していないときは（Ｓ６２：ＮＯ）、ログイン操作待ちの状態となり、ログイン操作の旨を受信した場合（Ｓ６２：ＹＥＳ）、図８のオペレータテーブル３３に格納されている複数のオペレータＩＤ及びパスワードの中に、受信したオペレータＩＤ及びパスワードと一致するものが有るか否かを検索する（Ｓ６３）。
【０２１６】
検索の結果、一致するオペレータＩＤ及びパスワードが見つからなかった場合（Ｓ６３：ＮＯ）、サーバ装置３０は再度、アクセス元のオペレータ端末１００へトップページ情報を送信する処理の段階へ戻り（Ｓ６１）、これによりオペレータ端末１００には再度、図１３に示すようなトップページ画面４０が表示されることなる（オペレータ端末１００の処理もＳ５１の段階へ戻る）。
【０２１７】
一方、一致するオペレータＩＤ及びパスワードが見つかった場合（Ｓ６３：ＹＥＳ）、ログイン完了となり、サーバ装置３０は、一致するオペレータＩＤが担当するグループを図８のオペレータテーブル３３から特定すると共に、特定したグループに属する全てのユーザ（ユーザＩＤ）について、回答ＤＢ３７の「判定結果」の項目に格納された各情報の中から、その時点で最も危険度の高いユーザ情報等を含む見守り通知情報（画面ページデータを含む見守り通知情報）を生成し（Ｓ６４）、形成した見守り通知情報をアクセス元のオペレータ端末１００へ送信する（Ｓ６５）。
【０２１８】
なお、サーバ装置３０は、生成した見守り通知情報（画面ページデータを含む見守り通知情報）をＲＡＭ３０ｃに一時的に記憶して、後の段階で再度、見守り通知情報を生成する際に再利用できるようにしており、最初から新たに見守り通知情報を生成する場合に比べて処理負担が軽くないようにしている。また、サーバ装置３０は、ログイン中のオペレータのオペレータＩＤ及びパスワードを、ＲＡＭ３０ｃに一時的に記憶し、他の処理を行う際に、ログイン中のオペレータのオペレータＩＤ等を参照できるようにしている。
【０２１９】
オペレータ端末１００は、見守り通知情報（画面ページデータを含む見守り通知情報に相当）を受信すると、受信した見守り通知情報に基づいて、その時点で最も危険度の高いユーザ情報等を含む見守り通知画面（例えば、図１４に示す見守り通知画面４１）を生成して、ディスプレイ１００ｊに表示出力する（Ｓ５４）。このように表示された見守り通知画面は上述したように、その時点で最も危険度の高いユーザ情報等を含むことから、最も危険度の高いユーザより順にオペレータが対応業務をスムーズに行えることに貢献できる。
【０２２０】
図２５の第６フローチャートは、図２４の第５フローチャートにおいてオペレータ端末１００で見守り通知画面（例えば、図１４に示す見守り通知画面４１）を表示した状態（Ｓ５４）において、オペレータによる各種操作（選択操作）があった場合の処理手順を示しており、以下では、図１４の見守り通知画面４１がオペレータ端末１００のディスプレイ１００ｊに表示されたときの例で説明する。まず、見守り通知画面４１におけるユーザ情報欄４４の各行に配置されたユーザＩＤのいずれかの選択を受け付けたか否かをオペレータ端末１００は判断する（Ｓ７０）。いずれかのユーザＩＤの選択を受け付けた場合（Ｓ７０：ＹＥＳ）、選択されたユーザＩＤに応じたユーザ画面の画面要求情報（ユーザＩＤ等を含むユーザ画面要求）をサーバ装置３０へ送信する（Ｓ７１）。
【０２２１】
サーバ装置３０は、図２４の第５フローチャートにおいて見守り対応情報を送信してから（Ｓ６５）、ユーザ画面の画面要求情報を受信したか否かを判断する状態になっており（Ｓ８０）、ユーザ画面の画面要求情報を受信した場合（Ｓ８０：ＹＥＳ）、受信した画面要求情報に応じた特定のユーザ画面用のユーザ画面情報（画面ページデータを含む特定のユーザ見守り用の画面情報）を生成し（Ｓ８１）、画面要求情報の送信元のオペレータ端末１００へ、生成したユーザ画面情報を送信する（Ｓ８２）。
【０２２２】
オペレータ端末１００は、サーバ装置３０から送信されたユーザ画面情報を受信すると、受信したユーザ画面情報に基づいたユーザ画面（例えば、図１５に示すユーザ画面４５）を生成して、ディスプレイ１００ｊに表示出力する（Ｓ７２）。なお、Ｓ７２及びＳ８２の段階の後は、後述する図２６に示す第７フローチャートの処理へ進む。
【０２２３】
一方、図２５の第６フローチャートの最初のＳ７０の段階で、ユーザＩＤの選択を受け付けない場合（Ｓ７０：ＮＯ）、オペレータ端末１００はログアウトボタン４１ｄの選択操作を受け付けたか否かを判断する（Ｓ７３）。ログアウトボタン４１ｄの選択操作を受け付けなかった場合（Ｓ７３：ＮＯ）、最初のＳ７０の段階へ戻り、再度、見守り通知画面４１におけるユーザ情報欄４４の各行に配置されたユーザＩＤのいずれかの選択を受け付けたか否かをオペレータ端末１００は判断することになる。
【０２２４】
また、ログアウトボタン４１ｄの選択操作を受け付けた場合（Ｓ７３：ＹＥＳ）、オペレータ端末１００はログアウト指示をサーバ装置３０へ送信する（Ｓ７４）。そして、サーバ装置３０の方は、ユーザ画面の画面要求を受信しなかった場合（Ｓ８０：ＮＯ）、ログアウト指示を受信したか否かを判断しており（Ｓ８３）、ログアウト指示を受信しなかった場合（Ｓ８３：ＮＯ）、再度、最初のユーザ画面の画面要求を受信したか否かを判断する段階（Ｓ８０）へ戻る。
【０２２５】
サーバ装置３０が、ログアウト指示を受信した場合は（Ｓ８３：ＹＥＳ）、オペレータによるログイン状況を解除するログアウト処理を行い、図１３に示すトップページ画面４０に応じたトップページ情報（画面ページデータ）をログアウトしたオペレータのオペレータ端末１００へ送信する（Ｓ８４）。このログアウト処理及びトップページ情報の送信により、サーバ装置３０は、ログインを行ったオペレータ向けの処理を一旦終了することになる。
【０２２６】
オペレータ端末１００は、サーバ装置３０から送られてきたトップページ情報を受信すると、その受信したトップページ情報に基づいて図１３に示すトップページ画面４０を生成してディスプレイ１００ｊに表示する（Ｓ７５）。このトップページ画面４０の表示により、オペレータ端末１００においても、ログインからログアウトまでの一通りの処理を一旦終了することになる。
【０２２７】
図２６は、図２５の第６フローチャートにおいて、ユーザ画面（例えば、図１５に示すユーザ画面４５）が表示されてからの処理を示す第７フローチャートであり、ユーザ画面における各種操作に対する処理内容を表しており、以下では、図１５のユーザ画面４５が表示された場合で説明する。まず、ユーザ画面４５が表示された状態で、「完了」ボタン４５ｈの選択操作を受け付けたか否かをオペレータ端末１００は判断する（Ｓ９０）。
【０２２８】
「完了」ボタン４５ｈの選択操作を受け付けた場合（Ｓ９０：ＹＥＳ）、オペレータ端末１００は、完了通知をサーバ装置３０へ送信する（Ｓ９１）。サーバ装置３０は、図２５の第５フローチャートにおけるＳ８２の段階でユーザ画面情報を送信した後、完了通知を受信したか否かを判断しており（Ｓ１００）、完了通知を受信した場合（Ｓ１００：ＹＥＳ）、回答ＤＢ３７（例えば、図１１に示す日別回答ＤＢ３７ａ）における「電源オン継続時間」、「電源オフ継続時間」、「操作判定レベル」、及び「環境判定レベル」の各項目に格納されている内容をリセットすると共に、「備考」の項目に対応業務の完了済みの旨を格納する（Ｓ１０１）。
【０２２９】
また、オペレータ端末１００は、Ｓ９１の段階の完了通知の後、又は「完了」ボタン４５ｈの選択操作を受け付けていない場合（Ｓ９０：ＮＯ）、次に、「一覧へ戻る」ボタン４５ｆの選択操作を受け付けたか否かを判断する（Ｓ９２）。「一覧へ戻る」ボタン４５ｆの選択操作を受け付けた場合（Ｓ９２：ＹＥＳ）、オペレータ端末１００は、戻り指示をサーバ装置３０へ送信する（Ｓ９３）。また、サーバ装置３０は、戻り指示を受信したか否かを判断しており（Ｓ１０２）、戻り指示を受信した場合（Ｓ１０２：ＹＥＳ）、図２４の第５フローチャートにおけるＳ６４の段階へ進み、ログイン中のオペレータＩＤが担当するグループに属する全てのユーザについて、その時点で最も危険度の高いユーザ情報等を含む見守り通知画面用の見守り対応情報（画面ページデータ）を生成し（Ｓ６４）、形成した見守り対応情報をアクセス元のオペレータ端末１００へ送信することになる（Ｓ６５）。
【０２３０】
そして、オペレータ端末１００では、上述したＳ９３の段階で、戻り指示を送信した後、図２４の第５フローチャートにおけるＳ５４の段階へ進み、サーバ装置３０からの見守り通知画面用の見守り対応情報（画面ページデータ）を受信することに伴って、その時点で最も危険度の高いユーザ情報等を含む見守り通知画面を生成して表示出力することになる（Ｓ５４）。このような処理を経ることで、オペレータ端末１００での表示を、見守り通知画面とユーザ画面とにオペレータの操作で適宜切り替えることができる。
【０２３１】
一方、図２６の第７フローチャートのＳ９２の段階で、「一覧へ戻る」ボタン４５ｆの選択操作を受け付けていない場合（Ｓ９２：ＮＯ）、オペレータ端末１００の処理は、図２７の第８フローチャートに示す処理を進み、これは、サーバ装置３０が戻り指示を受信しなかった場合（Ｓ１０２：ＮＯ）も同様である。
【０２３２】
図２７の第８フローチャートにおいて、オペレータ端末１００は、ユーザ画面４５を表示した状態で、オペレータから「担当者変更」ボタン４５ｇの選択を受け付けたか否かを判断する（Ｓ１１０）。「担当者変更」ボタン４５ｇの選択を受け付けたと判断した場合（Ｓ１１０：ＹＥＳ）、オペレータ端末１００は、担当者変更指示をサーバ装置３０へ送信する（Ｓ１１１）。
【０２３３】
サーバ装置３０は、第８フローチャートの最初の段階で、担当者変更指示を受信したか否かを判断しており（Ｓ１２０）、担当者変更指示を受信した場合（Ｓ１２０：ＹＥＳ）、図８のオペレータＤＢ３３に基づき、ログイン中のオペレータが担当するグループを担当可能なオペレータを特定して、その特定したオペレータの情報（オペレータ名、連絡先等）を選択可能に含んだオペレータ変更情報を生成し（Ｓ１２１）、その生成したオペレータ変更情報をオペレータ端末１００へ送信する（Ｓ１２２）。
【０２３４】
オペレータ端末１００は、サーバ装置３０から送信されてきたオペレータ変更情報を受信すると、そのオペレータ変更情報を用いて、図１６（ａ）に示すオペレータ変更メニュー４７を生成してディスプレイ１００ｊに表示する（Ｓ１１２）。そして、オペレータ端末１００は、オペレータ変更メニュー４７でオペレータ欄４７ａ〜４７ｅ又は募集欄４７ｆの選択が行われたかを判断しており（Ｓ１１３）、各欄４７ａ〜４７ｆの選択が無い場合（Ｓ１１３：ＮＯ）、閉じるボタン４７ｇの選択が行われたかを判断し（Ｓ１１４）、閉じるボタン４７ｇの選択も行われていない場合（Ｓ１１４：ＮＯ）、各欄４７ａ〜４７ｅの選択が行われたか否かを判断する段階（Ｓ１１３）へ戻る。
【０２３５】
オペレータ変更メニュー４７で各欄４７ａ〜４７ｆのいずれかの選択が行われた場合（Ｓ１１３：ＹＥＳ）、選択された欄の内容を示すメニュー選択情報をサーバ装置３０へ送信する（Ｓ１１５）。サーバ装置３０は、メニュー選択情報を受信すると、受信したメニュー選択情報が示す内容を回答ＤＢ３７の「備考」の項目に格納する処理等を行って、オペレータ変更処理を行う（Ｓ１２３）。なお、このオペレータ変更処理では、選択されたオペレータ宛に、新たに担当となるユーザの情報を知らせる電子メールをサーバ装置３０は送信すると共に、募集欄４７ｆが選択された場合は、各オペレータへ担当を募集する旨の電子メールをサーバ装置３０は送信する。
【０２３６】
また、オペレータ端末１００は、Ｓ１１５の段階におけるメニュー選択情報の送信の後、又は、オペレータ変更メニュー４７で閉じるボタン４７ｇの選択が行われた場合（Ｓ１１４：ＹＥＳ）、表示していたオペレータ変更メニュー４７を閉じる（Ｓ１１６）。オペレータ変更メニュー４７を閉じた後、又はユーザ画面４５で「担当者変更」ボタン４５ｇの選択を受け付けなかった場合（Ｓ１１０：ＮＯ）、オペレータ端末１００は、ユーザ画面４５の「保留」ボタン４５ｈの選択があったか否かを判断する（Ｓ１１７）。「保留」ボタン４５ｈの選択があった場合（Ｓ１１７：ＹＥＳ）、オペレータ端末１００は、「保留」ボタン４５ｈの選択が有った旨を示す情報（保留選択情報、対象となるユーザ情報を含む）をサーバ装置３０へ送信する（Ｓ１１８）。
【０２３７】
サーバ装置３０は、Ｓ１２３のオペレータ変更処理の後、又は担当者変更指示を受信していない場合（Ｓ１２０：ＮＯ）、保留選択情報を受信したか否かを判断する段階になっている（Ｓ１２４）。保留選択情報を受信した場合（Ｓ１２４：ＹＥＳ）、サーバ装置３０は、受信した保留選択情報を回答ＤＢ３７の備考の項目に格納して、保留対象となったユーザを保留中にする設定（保留設定処理）を行う（Ｓ１２５）。保留設定処理の後、又は保留選択情報を受信しなかった場合（Ｓ１２４：ＮＯ）、サーバ装置３０の処理は、図２６の第７フローチャートにおけるサーバ装置側の最初の段階（Ｓ１００）へ戻る。また、オペレータ端末１００の保留選択情報を送信（Ｓ１１８）した後、又は「保留」ボタン４５ｈの選択が無かった場合（Ｓ１１７：ＮＯ）、図２６の第７フローチャートにおけるオペレータ端末側の最初の段階（Ｓ９０）へ戻り、ユーザ画面４５における各ボタンの選択等を再度、判断することになる。
【０２３８】
上述したように、本発明では、ユーザ機器であるテレビジョン装置の操作に係る状況と、ユーザの周囲環境の検知結果とに基づいて総合的にユーザの状況を判定するので、離れていても精度良くユーザの状況を判定できる。しかも、ユーザ状況を判定するにあたり複数の相違する要因を用いても、ユーザ機器の操作状況に基づくレベル判定と、周囲環境の検知結果に基づくレベル判定とをそれぞれ独立して行った上で、これら二種類のレベル判定の結果に基づき複合的にユーザの状況を判定するので、ユーザ状況の判定処理の効率化が低下するのも最小限に抑えられると共に、一律的なユーザ状況の判定を行える。
【０２３９】
また、本発明では、オペレータ端末でログイン直後に表示される見守り通知画面は、画面表示を行うときに、精読良く判定されたユーザ状況の中で最も危険度の高いユーザ情報を含むことから、その時点において最も危険度の高いユーザからオペレータは対応業務に取りかかることができ、ユーザの安全確保に貢献できる。さらに、本発明では、見守り通知画面の中に含まれるユーザを示す情報（ユーザＩＤ）が選択されると、そのユーザに詳細状況を示すユーザ画面に表示が切り替わるので、ユーザ状況の詳細及び対応の仕方等を容易に確認でき、オペレータの対応業務を行いやすくするのに役立てられる。
【０２４０】
なお、本発明は、上述した内容に限定されるものではなく、種々の変形例が考えられる。例えば、図１、５に示す一台のサーバ装置３０の替わりに、複数のサーバ装置を組み合わせて用いることで、上述した一台のサーバ装置３０が行う処理を、複数のサーバ装置で分散的に行うようしてもよく（分散処理）、また、サーバ装置３０の大容量記憶システム３０ｇで記憶する各データベース（ＤＢ）、テーブル等を、別のサーバ装置（データベースサーバ装置）で記憶させるようにしてもよい。
【０２４１】
また、図１４、１５の見守り通知画面４１、５１は、操作判定結果欄４２及び環境判定結果欄４３で、判定レベルに応じた選択可能なラジオボタン形式の選択欄４２ａ〜４２ｃ、４３ａ〜４３ｃを設けて、オペレータの選択操作により、選択されたレベルを示すレベル通知情報をサーバ装置３０へ送信すると共に、サーバ装置３０で生成されるレベル通知情報に応じた見守り通知画面を受信することで、所望の判定レベルのユーザ情報を含む画面に切替可能にしていたが、これらの選択欄の形式は、プルダウン式、タブによる切替など、ユーザ操作の対象にできるものであれば、どのようなものでも適用可能である。また、このような選択欄を設けることなく、危険度の高い順に全てのユーザのユーザ情報を並べた形式の見守り通知画面を適用してもよい。なお、見守り通知画面の機能を簡潔化する場合は、並び替え機能、検索機能等を省略してもよい。
【０２４２】
さらに、図１５、１８のユーザ画面４５、５５の「担当者変更」ボタン４５ｇ、５５ｇの選択操作に伴い表示される図１６（ａ）のオペレータ変更メニュー４７では、上述したように、一時的に担当のグループを超えて、他のグループを担当するオペレータの氏名も選択可能に配置して、対応業務の引き継ぎ又は支援を要請できるようにしたが、見守りサービスに関する仕様を厳密にする場合、同一のグループを多数のオペレータが担当している場合などには、オペレータ変更メニュー４７の中には、変更を希望するオペレータと同一のグループを担当するオペレータ名のみを抽出して表示するようにしてもよい。
【０２４３】
さらにまた、オペレータ端末１００としては、上述したように通信機能を有するパーソナルコンピュータの他に、携帯型通信端末（通信機能を具備するノート型パソコン、タブレット、スマートフォン、通信機能付きＰＤＡ、携帯電話等）も適用できるが、携帯型通信端末の中にはディスプレイ画面のサイズが小さいものが存在するので（タブレット、スマートフォン等）、上述した見守り通知画面４１等、ユーザ画面４５等は、サイズの小さいディスプレイ画面向けに適宜、レイアウト等を変更してもよい。
【０２４４】
また、上述した見守りに関する判定レベルの具体的内容（緊急、警告、注意、問題なし）は一例にすぎず、本発明を適用する見守りサービスの仕様等に応じて、具体的内容のレベルは適宜増減してもよい。さらに各レベル判定に用いる図９（ａ）操作判定テーブル３４、図９（ｂ）の環境判定テーブル３５も一例にすぎず、各判定レベルに対応付ける内容は、見守りサービスの仕様等に応じて適宜変更可能である。
【０２４５】
さらにまた、操作判定テーブル３４に応じたユーザ機器は、テレビジョン装置１０に限定されるものではなく、ユーザの操作対象となるものであれば本発明に適用することが可能であり、具体例としてはエアコン（エアーコンディショナー）、冷蔵庫、空気清浄機、録画装置、オーディオ・ビジュアル機器等が該当し、特にユーザが生活を行う上で主にすごす部屋でユーザの周辺に設置されるユーザ機器を適用することが本発明において好適となる。なお、このようにテレビジョン装置以外のユーザ機器を適用した場合は、操作判定テーブル３４の中身も当然、そのユーザ機器に合わせた内容にすることになる。
【０２４６】
ユーザ周囲の環境を検知するセンサについては、単品のセンサを用いる以外に、エアコン（エアーコンディショナー）、冷蔵庫、空気清浄機等の各種電気機器が具備するセンサ（温度センサ、湿度センサ等）を流用してシステムに導入してもよく、このように各種電気機器のセンサを流用する場合、センサを具備する各種電気機器は、センサの検知結果を出力できる仕様になっており、それにより、サーバ装置３０は上述した通信経路を通じて各種電気機器のセンサの検知結果を取得できるようになる。また、見守りサービスの仕様等に応じてセンサ数を増減することも可能である。センサ数を増やす場合は、温度、湿度以外の種類のセンサを用いること（気圧センサ、ホコリセンサ、ニオイセンサ、ガスセンサ、照度センサ等）、又は温度、湿度センサの数を増やすことが考えられる。温度、湿度以外の種類のセンサを用いる場合は、環境判定テーブル３５も、使用するセンサに応じた中身にする必要があり、また、温度、湿度センサの数を増やす場合は、各温度センサの平均値、各湿度センサの平均値等を算出する処理等を追加して、環境判定テーブル３５に従って、レベルを判定することになる。なお、上述した気圧センサ、ホコリセンサ、ニオイセンサ、ガスセンサ、照度センサ等についても、各種電気機器（エアコン、空気清浄機、照明器具等）が具備するセンサの流用が可能である。
【０２４７】
一方、センサ数を減らす場合は、温度センサ又は湿度センサのいずれか一方を用いることになる、一般にいずれか一方を用いる場合、温度センサを使う方が、ユーザの周囲環境を把握しやすい傾向がある。なお、このようにセンサ数を減らした場合は、環境判定テーブル３５も、使用するセンサの種類に合わせた中身にする必要がある。
【０２４８】
また、環境判定テーブル３５の中身は、図９（ｂ）に示すように、熱中症を対象とした６〜１０月、低体温症を対象とした１１〜５月に分けたが、さらに細かく分けることも可能である一方、処理の簡易化を図る場合は、年間を通して一律の内容にしてもよい。
【０２４９】
さらに、図１０に示す統合判定テーブル３６も一例にすぎず、その中身は、適宜変更可能であり、より詳細な内容にすること、或いは、より簡易な内容にすることも可能であるが、いずれにしても、ユーザの状況を示す文言及びオペレータの指示内容を示す文言を含ませることは見守りサービスにおいて重要となる。
【０２５０】
さらにまた、見守り装置であるテレビジョン装置１０では、図４（ａ）に示すアンケート画面２１を表示出力して、ユーザの状況を尋ねると共に、「外出予定」等をサーバ装置３０へ連絡できるようにしていたが、「外出予定」という将来的な予定以外に、急な外出などにも対応できるように、テレビジョン装置１０に表示するいずれかの画面に、「外出」という選択欄（ボタン）を設けて、実際にユーザが外出する際に、これから「外出」状態になることを設定できるようにしてもよい。
【０２５１】
また、図２８は、変形例の見守りシステム１００の全体的な概要を示し、図１に示した見守りシステム１に比べて、小・中規模の場合に応じたものであり、オペレータを廃して、サーバ装置３０は直接的に見守る人である監視者Ｋ１、Ｋ２・・・Ｋｎの携帯通信端末Ｄ１、Ｄ２・・・Ｄｎへユーザ状況に係る情報を提示できるようにしたことが特徴になっている。図２８では、オペレータを廃したことから、図１に示した見守りシステム１で説明したグループという概念も省略した内容になっており、サーバ装置３０は各監視者Ｋ１、Ｋ２・・・Ｋｎが見守る対象となるユーザについての状況に係る情報をプッシュ方式で通知する。また、サーバ装置３０は、表示画面が小さい携帯通信端末Ｄ１、Ｄ２・・・Ｄｎ（電話機能を有するスマートフォン、携帯電話等）向けの画面用情報（見守り通知情報等）を生成して送信するようにしている。
【０２５２】
図２９は、図２８に示す見守る人である監視者Ｋ１、Ｋ２・・・Ｋｎが用いる携帯通信端末Ｄ１、Ｄ２・・・Ｄｎの一例として、スマートフォン２００を用いた場合の主要な内部構成を示している。スマートフォン２００（通信端末に該当）は、全体的な制御及び各種処理を行うＣＰＵ２００ａに、内部接続線２００ｉを介して、通信・通話モジュール２００ｂ、無線通信ユニット２００ｃ、ＲＡＭ２００ｄ、ＲＯＭ２００ｅ、入出力インタフェース２００ｆ、音声入出力インタフェース２００ｇ、振動発生部２００ｈ、発光部２００ｊ、及び記憶部２００ｋ等の各種デバイス等を接続したものになっており、一種のコンピュータに相当する構成になっている。
【０２５３】
通信・通話モジュール２００ｂは、通信回線等を通じて無線通信及び電話を行うためのものであり、無線通信ユニット２００ｃは通信手段に相当し、上述した通信・通話モジュール２００ｂにおける無線通信とは異なる規格の無線通信（例えば、無線ＬＡＮ等）に応じた処理を行うものである。ＲＡＭ２００ｄは、ＣＰＵ２００ａの処理に伴うデータ、情報等を一時的に記憶し、ＲＯＭ２００ｅは、スマートフォン２００を識別するための情報である端末ＩＤ２０２が記憶されている。また、スマートフォン２００のディスプレイ部２０３は表示出力機能に加えて、ユーザからの操作入力を受け付けるタッチパネル機能を具備したものになっている。そのため、ディスプレイ部２０３は入出力インタフェース２００ｆに接続され、ディスプレイ部２０３でタッチ操作された操作内容は入出力インタフェース２００ｆを介してＣＰＵ２００ａへ伝えられ、表示すべき内容は入出力インタフェース２００ｆからディスプレイ部２０３へ表示出力される。
【０２５４】
さらに、スマートフォン２００は電話機能を具備することから、ユーザの音声を取得するマイク２０４及び音声を出力するスピーカ２０５が、音声入出力インタフェース２００ｇに接続されている。なお、スピーカ２０５からは、ＣＰＵ２００ａの制御により電話の着呼及び電子メールの受信を知らせる所定の音が出力される。スマートフォン２００は、振動発生部２００ｈ及びＬＥＤによる発光部２００ｊを有しており、ＣＰＵ２００ａの制御により、電話の着呼及び電子メールの受信の時などに、振動発生部２００ｈでは所定の振動が出力されると共に、発光部２００ｊでも所定の発光出力が行われる。
【０２５５】
記憶部２００ｋは、ＯＳプログラム２１０、及び見守りアプリ２１１等を記憶している。ＯＳプログラム２１０は、一種のコンピュータであるスマートフォン２００の基本的な機能に応じた処理内容を規定したものである。また、見守りアプリ２１１は、本実施形態に係る見守りサービス用のコンピュータプログラム（アプリ）であり、見守りサービスにおける端末プログラムとして、スマートフォン２００が行う見守り用の出力処理を規定している。例えば、サーバ装置３０から見守り通知情報を受信すると、その見守り通知情報の規定に応じた種類の出力処理を行う旨を規定している。
【０２５６】
具体的には、見守り通知情報は、見守られる人によるユーザ機器（テレビジョン装置１０）の操作に係る内容を示す操作通知及び見守られる人の周囲環境の検知結果に基づき判定されたユーザ状況に応じた危険度ごとに相違する種類の出力処理を規定しており、そのような見守り通知情報をスマートフォン２００が受信することで、後述するように、図３０〜３３等に各画面の表示出力、又は音、振動、発光等のいずれかの出力をスマートフォン２００がＣＰＵ２００ａの制御に従って行うように、見守りアプリ２１１はＣＰＵ２００ａの制御内容を規定している。なお、上記では、スマートフォン２００の場合で携帯通信端末Ｄ１等の内部構成を説明したが、電話機能を有しないタブレット等を携帯通信端末Ｄ１等に用いる場合でも、基本的な内部構成は同様である（タブレット等の場合、通話モジュール等の電話機能に関する部分が省略されることになる）。
【０２５７】
図３０は、図２８に示す見守りシステム１００等で使用可能な見守り通知画面１１０の一例を示しており、この見守り通知画面１１０は、上述したスマートフォン２００のような表示画面が小さい携帯通信端末Ｄ１等向けのものになっている。サーバ装置３０は、上述したユーザ状況の判定処理で、ユーザ状況に係る危険度として見守る人へ連絡する必要があると判定した場合（図１０の統合判定テーブル３６で「今すぐ安否確認をしてください」、「今日中に安否確認してください」等の場合）、このような見守り通知画面１１０に応じた画面データを含む見守り通知（見守り通知情報）を生成して、見守る人の携帯通信端末Ｄ１等へ送信する。携帯通信端末Ｄ１等（例えば、スマートフォン２００）は、サーバ装置３０からの見守り通知を受信すると、割り込み処理で、見守り通知が含む画面データに応じた見守り通知画面１１０を表示する（例えば、スマートフォン２００のディスプレイ部２０３に表示。以下、同様）。この見守り通知に応じた見守り通知画面１１０は、「見守りサービスからの通知です。」という文言（テキスト）を配置して見守り通知であることを示すと共に、そのテキストの下方に、「確認する」という文言を付した選択可能な確認ボタン１１０ａを配置し、その確認ボタン１１０ａが選択されると、確認通知情報がサーバ装置３０へ送信されるようになっている。
【０２５８】
このように確認通知情報がサーバ装置３０へ送信されることにより、サーバ装置３０側は、見守る人がサーバ装置３０からの通知を見たことを確認できる。また、見守る人は、見守り通知画面１１０を見ることで、自身の見守り対象となる見守られる人への確認作業が必要であると認識でき、電話又は電子メール等を用いて見守られる人へ連絡を取る。また、見守られる人へ連絡が取れない場合は、見守られる人の元へ駆けつけるか、身近な人へ駆けつけの手配を行うことになる。このような図２８、２９に示す変形例では、オペレータを介在させないことにより、直接的に見守る人へ通知を行うので、スムーズ且つスピーディに通知が行われると共に、処理構成もシンプルにできる。なお、図３０に示した見守り通知画面１１０はサーバ装置３０による見守り通知の一例であり、それ以外に様々なバリエーションが考えられる。
【０２５９】
図３１（ａ）〜図３１（ｃ）は見守る人へ提示する通知のバリエーションの例であり、図３１（ａ）は、サーバ装置３０で生成される見守り通知情報がウインドウで見守り通知を表示出力することを規定した場合に応じた見守りウインドウ１１１を示す。スマートフォン２００（携帯通信端末Ｄ１等）は、そのような見守り通知情報を受信すると、小窓風の見守りウインドウ１１１をディスプレイ部２０３の画面内の一部に表示出力する。図３０の見守り通知画面１１０は、全画面で表示されていたが、この見守りウインドウ１１１では画面内の一部で小窓風に表示されており、ディスプレイ部２０３で先に表示されていた内容に重ねて表示される。そのため、見守りウインドウ１１１を表示する場合は、その見守りウインドウ１１１で隠されない範囲では、見守りウインドウ１１１の表示以前に表示していた内容を確認できるメリットがある。なお、見守りウインドウ１１１も、図３０の見守る通知画面１１０と同様に、選択可能な確認ボタン１１１ａを有しており、選択されると、確認通知情報をサーバ装置３０へ送信することになる。
【０２６０】
図３１（ｂ）は、サーバ装置３０で生成される見守り通知情報がバナーで見守り通知を表示出力することを規定した場合に応じた見守りバナー１１２を示す。スマートフォン２００（携帯通信端末Ｄ１等）は、そのような見守り通知情報を受信すると、帯状の見守りバナー１１２をディスプレイ部２０３の画面内の一部に表示出力する。このような見守りバナー１１２は、「見守りサービスからの通知あり」というテキストを示すと共に、バナー自体が選択可能になっており、選択されると、図３０の見守り通知画面１１０の確認ボタン１１０ａが選択された場合と同様に、確認通知情報がサーバ装置３０へ送信されるようになっている。このような見守りバナー１１２は、ディスプレイ部２０３の表示画面内における上部、下部等のいずれの箇所に配置することができ、また、見守りバナー１１２は、上述した図３１（ａ）の見守りウインドウ１１１より更に面積が小さいので、見守りバナー１１２を表示する以前に示されていた画面内容を隠す範囲も小さくできる。
【０２６１】
図３１（ｃ）は、サーバ装置３０で生成される見守り通知情報がアイコンで見守り通知を表示出力することを規定した場合に応じた見守りアイコン１１３を示す。スマートフォン２００（携帯通信端末Ｄ１等）は、そのような見守り通知情報を受信すると、見守りアイコン１１３をディスプレイ部２０３の画面内の一部に表示出力する。このような見守りアイコン１１３は、見守りサービスからの通知であることを示す選択可能なアイコン（図柄）を含んだものになっており、選択されると、図３０の見守り通知画面１１０の確認ボタン１１０ａが選択された場合と同様に、確認通知情報がサーバ装置３０へ送信されるようになっている。このような見守りアイコン１１３は、ディスプレイ部２０３の表示画面内のいずれの箇所に配置することができ、また、見守りアイコン１１３は、上述した見守りウインドウ１１１及び見守りバナー１１２より更に面積が小さいので、見守りアイコン１１３を表示する以前に示されていた画面内容も多く見せるようにしたい場合に好適である。なお、アイコンの替わりにボタン等の他の形態にすることも勿論可能である。
【０２６２】
このような図３０の見守り通知画面１１０、図３１（ａ）の見守りウインドウ１１１、図３１（ｂ）の見守りバナー１１２、図３１（ｃ）の見守りアイコン１１３は、見守りシステムの用途、仕様等に応じて適宜用いることができ、例えば、サーバ装置３０で判定される危険度に応じて、見守り通知画面１１０、図３１（ａ）の見守りウインドウ１１１、図３１（ｂ）の見守りバナー１１２、図３１（ｃ）の見守りアイコン１１３という相違する内容を表示出力するようにしてもよい。
【０２６３】
例えば、判定された危険度が、図１０に示す統合判定テーブル３６で示される（１）又は（２）に応じた段階の場合、最も大きな表示になる図３０の見守り通知画面１１０を表示し、危険度が（３）に応じた段階の場合、二番目に大きな表示になる図３１（ａ）の見守りウインドウ１１１を表示し、危険度が（４）又は（５）に応じた段階の場合、三番目に大きな表示になる図３１（ｂ）の見守りバナー１１２を表示し、危険度が（６）に応じた段階の場合、四番目に大きな図３１（ｃ）の見守りアイコン１１３を表示するということが考えられる。
【０２６４】
このような場合、サーバ装置３０は、判定した危険度が（１）又は（２）に応じた段階であれば、見守り通知画面１１０の表示に係る内容を規定した見守り通知情報を生成してスマートフォン２００（携帯通信端末Ｄ１等）へ送信し、スマートフォン２００では、受信した見守り通知情報に基づき、見守り通知画面１１０の表示出力をディスプレイ部２０３で行うことになる。以下、同様に、サーバ装置３０は、判定した危険度が（３）に応じた段階であれば、見守りウインドウ１１１の表示に係る内容を規定した見守り通知情報を生成してスマートフォン２００（携帯通信端末Ｄ１等）へ送信し、判定した危険度が（４）又は（５）に応じた段階であれば、見守りバナー１１２の表示に係る内容を規定した見守り通知情報を生成してスマートフォン２００（携帯通信端末Ｄ１等）へ送信し、判定した危険度が（６）に応じた段階であれば、見守りアイコン１１３の表示に係る内容を規定した見守り通知情報を生成してスマートフォン２００（携帯通信端末Ｄ１等）へ送信することになり、スマートフォン２００では、受信した見守り通知情報に応じて、見守りウインドウ１１１、見守りバナー１１２、又は見守りアイコン１１３のいずれかの表示出力を行うことになる。
【０２６５】
このように、判定された危険度に応じて相違する表示に係る内容を見守る側で表示出力すれば、見守り通知の表示出力を行うだけで、見守られる人の危険度も、その相違する内容により即座に見守る側が確認でき、好適となる。
【０２６６】
また、見守り通知画面１１０、見守りウインドウ１１１、見守りバナー１１２、見守りアイコン１１３はそれぞれ、それらの背景部分等の内容を、見守られる人の危険度の段階に応じて相違させて、背景部分等の内容によっても、簡易的に見守られる人の危険度も示すようにしてもよい。背景部分等の内容を相違させる場合も、上述した表示に係る内容を相違させる場合と同様に、サーバ装置３０は、判定した危険度の段階ごとに背景部分等を相違する内容を規定した見守り通知情報を生成して携帯通信端末Ｄ１等へ送信し、携帯通信端末Ｄ１等は、そのような見守り通知情報を受信すると、その見守り通知情報の規定に従った内容を表示出力する。
【０２６７】
背景部分等を相違する内容としては、背景部分等の色を相違させる、背景部分等の模様を相違させる、背景部分等の色及び模様を相違させる等が考えられる。例えば、色を相違させる場合では、危険度が、図１０に示す統合判定テーブル３６で示される（１）又は（２）に応じた段階の場合は赤色、危険度が（３）に応じた段階の場合は黄色、危険度が（４）又は（５）に応じた段階の場合は紫色、危険度が（６）に応じた段階の場合は青色にすることなどが考えられる。
【０２６８】
このように色を相違させる場合を、見守り通知画面１１０に適用したとき、サーバ装置３０は、判定した危険度が（１）又は（２）に応じた段階であれば、背景色を赤色にした見守り通知画面１１０の表示に係る内容を規定した見守り通知情報を生成してスマートフォン２００（携帯通信端末Ｄ１等）へ送信し、スマートフォン２００では、受信した見守り通知情報に基づき、背景色が赤色の見守り通知画面１１０の表示出力をディスプレイ部２０３で行うことになる。以下、同様に、サーバ装置３０は、判定した危険度が（３）に応じた段階であれば、背景色が黄色の見守り通知画面１１０の表示に係る内容を規定した見守り通知情報を生成してスマートフォン２００（携帯通信端末Ｄ１等）へ送信し、判定した危険度が（４）又は（５）に応じた段階であれば、背景色が紫色の見守り通知画面１１０の表示に係る内容を規定した見守り通知情報を生成してスマートフォン２００（携帯通信端末Ｄ１等）へ送信し、判定した危険度が（６）に応じた段階であれば、背景色が青色の見守り通知画面１１０の表示に係る内容を規定した見守り通知情報を生成してスマートフォン２００（携帯通信端末Ｄ１等）へ送信することになり、スマートフォン２００では、受信した見守り通知情報に応じて、背景色が黄色、紫色、又は青色の見守り通知画面１１０の表示出力を行うことになる。このような処理により、表示される見守り通知画面１１０の背景色の相違具合により、見守り側は、見守られる人の危険度も即座に確認できる。
【０２６９】
なお、上述した例では、見守り通知画面１１０で説明したが、見守りウインドウ１１１、見守りバナー１１２、図見守りアイコン１１３でも同様のことを行うことができる。例えば、見守りウインドウ１１１を用いる場合は、判定された危険度に応じて、背景色を赤色、黄色、紫色、又は青色のいずれかとした見守りウインドウ１１１の表示出力を行うことになる。また、見守りバナー１１２を用いる場合も、判定された危険度に応じて、背景色を赤色、黄色、紫色、又は青色のいずれかとした見守りバナー１１２の表示出力を行うことになり、見守りアイコン１１３を用いる場合も、判定された危険度に応じて、背景色を赤色、黄色、紫色、又は青色のいずれかとした見守りアイコン１１３の表示出力を行うことになる。
【０２７０】
色を相違させる場合以外の模様を相違させる例としては、例えば、危険度が、図１０に示す統合判定テーブル３６で示される（１）又は（２）に応じた段階の場合は格子模様、危険度が（３）に応じた段階の場合は縦縞模様、危険度が（４）又は（５）に応じた段階の場合は横縞模様、危険度が（６）に応じた段階の場合はドット模様にすることなどが考えられる。このような各模様についても、上述した色の場合と同様に適用することができる。さらに、上述した色及び模様は組み合わせて用いることも可能である。さらにまた、色、模様を相違させる対象は、背景に限定されるものではなく、例えば、見守り通知画面１１０の確認ボタン１１０ａ及び見守りウインドウ１１１の確認ボタン１１１ａのボタン部分、見守りアイコン１１３のアイコン部分、並びに見守り通知画面１１０、見守りウインドウ１１１、見守りバナー１１２のテキスト部分等も対象にできる（危険度に応じて、ボタン色を相違させる、アイコン色を相違させる、テキスト色を相違させる等）。
【０２７１】
さらにまた、見守り通知画面１１０、見守りウインドウ１１１、見守りバナー１１２、見守りアイコン１１３のいずれかを表示する際、スマートフォン２００（携帯通信端末Ｄ１等）が具備する他の出力機能も併用して、見守る人への注意を更に喚起するようにしてもよい。他の出力の例としては、音、振動、発光（ＬＥＤの点灯）等がある。すなわち、スマートフォン２００（携帯通信端末Ｄ１等）の場合、図２９に示すように、スピーカ２０５で音出力機能を具備し、振動発生部２００ｈにより振動出力機能を具備し、発光部２００ｊにより発光出力機能を具備する。また、携帯通信端末等Ｄ１が電話機能を具備しないタブレット等でも一般に、音の出力および発光の出力といった機能は具備しており、機種によっては振動の出力機能も具備する。そのため音、振動、発光に関する各出力機能を、上述した表示と合わせて作動させれば、サーバ装置３０からの見守り通知を見守る人が更に気付きやすくなり、見守る人がサーバ装置３０からの見守り通知を見落とすという事態が生じるおそれを回避できる。なお、スマートフォン２００（携帯通信端末Ｄ１等）では、電話の着呼、電子メールの受信等の本来の機能を作動させる場合にも、上述した音、振動、発光に関する各出力機能を作動させるので、見守り通知における音、振動、発光に関する各出力は、上述した本来の機能に基づく出力パターンと相違させて、本来の機能に基づく場合の出力と区別できるようにすることが重要となる。
【０２７２】
このような表示以外の音、振動、発光等の出力をスマートフォン２００（携帯通信端末Ｄ１等）で行わせるには、サーバ装置３０から送信されてくる見守り通知情報に、上述した表示出力に関する画面データ等に加えて、音、振動、発光等のいずれかの出力処理を行わせる旨を規定したデータ（コマンド等）を含ませることになり、サーバ装置３０は、そのような見守り通知情報を生成して、見守る人のスマートフォン２００（携帯通信端末Ｄ１等）へ送信することになる。この場合、上述したように音の出力のパターンとしては、携帯通信端末等Ｄ１が電話の着呼、電子メールの受信等に用いる音の出力パターンと異なるパターンで出力する旨を、サーバ装置３０からの見守り通知は規定している。同様に、振動、発光のパターンについても、携帯通信端末等Ｄ１が電話の着呼、電子メールの受信等に用いる振動、発光の出力パターンと異なるパターンで出力する旨を、サーバ装置３０からの見守り通知は規定している。
【０２７３】
さらに、上述した音、振動、発光の出力パターンの種類（出力パターンの中身の種類）は、サーバ装置３０で判定される見守られる人の危険度に応じて相違させてもよい。この場合、音、振動、発光に関する出力パターンの中身の種類を危険度に応じて相違させた内容の出力処理を規定した見守り通知情報をサーバ装置３０は生成して携帯通信端末等Ｄ１へ送信し、携帯通信端末Ｄ１等は、そのような見守り通知を受信すると、その受信した見守り通知が規定した種類の出力パターンで、音、振動、発光等のいずれかを出力することになり、それにより、出力パターンの中身の種類によっても、見守る人は見守られる人の危険度を素早く察知でき好適となる。出力パターンの中身の種類を相違させる例としては、音の場合は、音程、音の高さ、音自体の種類（電子音、アラーム音）等を変えること、又は、上述した各画面１１０等の記載のテキストの読み上げ音を出力にすること等が考えられ、振動の場合は、振動の拍子、振動によるリズム、振動の長さ等を変えることが考えられ、発光の場合は、発光の点滅の間隔、発光の点滅を不規則にすること、発光の色等を変えることが考えられる。
【０２７４】
さらにまた、出力パターンの種類を、サーバ装置３０で判定された危険度に応じて相違させることは、上述したように音、振動、発光の出力パターンの中身の種類を相違させること以外に、出力パターンの種類自体（出力の種類）を相違させることにも適用できる。すなわち、判定された危険度が、図１０に示す統合判定テーブル３６で示される（１）又は（２）に応じた段階の場合は音の出力を適用し、危険度が（３）又は（４）に応じた段階の場合は振動の出力を適用し、危険度が（５）又は（６）に応じた段階の場合は発光の出力を適用すること等が考えられる。
【０２７５】
この場合、サーバ装置３０は、見守られる人に係る危険度を（１）又は（２）の段階であると判定した場合、出力の種類として音の出力処理を規定した見守り通知情報を生成し、見守られる人に係る危険度を（３）又は（４）の段階であると判定した場合、出力の種類として振動の出力処理を規定した見守り通知情報を生成し、見守られる人に係る危険度を（５）又は（６）の段階であると判定した場合、出力の種類として発光の出力処理を規定した見守り通知情報を生成することになる。また、スマートフォン２００（携帯通信端末等Ｄ１）は、サーバ装置３０からの上記のような見守り通知情報を受信した場合、その見守り通知情報の規定した種類に応じた出力として、発光部２００ｊでの発光出力処理、振動発生部２００ｈでの振動出力処理、又はスピーカ２０５からの音出力処理のいずれかを行う。このように出力パターンの種類自体を、危険度に応じて相違させれば、見守る人は容易に出力自体の相違を区別でき、それにより、表示出力がなくても、簡易的に「注意」に相当する段階、「警告」に相当する段階、「緊急」に相当する段階といった危険度の各レベルを認識できる。
【０２７６】
さらにまた、このような音、振動、発光のいずれかに関する出力は、上述したサーバ装置で判定された危険度に応じて出力パターンの種類（出力パターンの中身の種類、出力パターンの種類自体の両方を含む意味）を相違させることも含めて、図１に示す見守りシステム１において、図１４、１５、１７、１８等に示す各種画面４１、４５、５１、５５等をオペレータ端末１００（ｔ１）で表示出力することに合わせて適用することも可能である。この場合、各種画面４１、４５、５１、５５等を表示させるために、サーバ装置３０から送られてくる情報（見守り対応情報等）の中に、音、振動、発光のいずれかに関する出力を規定する内容が含まれることになり、サーバ装置３０は見守り通知時に、このような情報を生成してオペレータ端末１００（ｔ１等）へ送信する。また、オペレータ端末１００（ｔ１等）にも音、振動、発光のいずれかを出力するための手段を設けることになる。
【０２７７】
それにより、オペレータ端末１００（ｔ１等）においても、上述した各種画面４１、４５、５１、５５等の表示と共に、音、振動、発光の出力が行われるので、見守られる人が危険な状態になった場合に対するオペレータへの注意喚起を高められる。なお、オペレータ端末１００（ｔ１等）が配置されてオペレータが勤務するオペレータセンター（コールセンター）の室内に、パトランプ（警告灯）を設け、発光の出力を含む見守りの情報（見守り対応情報等）をオペレータ端末１００（ｔ１等）が受信すると、そのオペレータ端末１００（ｔ１等）を経由してパトランプを発光させる制御を行うようにしてもよい。このようにパトランプを発光させることで、室内にいるオペレータ全員が、見守られる人の状況を共有して把握できるようになる。
【０２７８】
さらにまた、音、振動、発光のいずれかに関する出力は、各種画面の表示出力と組み合わせるのではなく、単独で行うようにすることも可能であり、このような音、振動、発光のいずれかに関する出力を行うことで、見守られる人が何らかの危険な状態であることを、オペレータ又は見守る人に応急的に伝えることができる。音、振動、発光のいずれかに関する出力を単独で行う場合に、上述した危険度に応じて出力パターンを相違させることも含ませるようにすれば、応急的な通知でも、見守られる人の危険度のレベルまで応急的に通知できるようになる。なお、音、振動、発光のいずれかに関する出力を単独で行う場合、サーバ装置３０は、見守り通知画面等の画面データを省略した見守り通知情報を生成して、見守り側（オペレータ又は見守る人の端末）へ送信している。
【０２７９】
また、見守る人への通知を行う上述した図３０の見守り通知画面１１０、図３１（ａ）の見守りウインドウ１１１、図３１（ｂ）の見守りバナー１１２等は、内容的に別パターンの画面が想定でき、例えば、見守られる人に係る検知状態、判定結果、連絡手段等を含ませるパターンも考えられる。
【０２８０】
図３２は、見守り通知画面１１０の別パターンの見守り通知画面１１４を示し、見守られる人に係る検知状態（図３２では、テレビジョン装置の操作状態、室温、湿度）を記したものになっている。この場合、サーバ装置３０は回答ＤＢ３７（日別回答ＤＢ３７ａ）から、対象となるユーザの情報として見守られる人の検知状態（電源オン/オフ状態又は送信内容の項目、環境の項目のそれぞれに格納された内容）を抽出して含ませた見守り通知（見守り通知情報）を生成して、見守る人の携帯通信端末等Ｄ１等へ送信する。それにより、携帯通信端末等Ｄ１等では、図３２に示す見守り通知画面１１４が割り込み処理で表示されるようになり、見守る人自身が見守られる人の状態を容易に確認できる。なお、見守り通知画面１１４に含まれる確認ボタン１１４ａは、図３０の見守り通知画面１１０に含まれるものと同じ機能を有するボタンである。
【０２８１】
また、図３３は、見守り通知画面１１０の他の別パターンの見守り通知画面１１５を示し、見守られる人に係る判定結果（図３３では、テレビジョン装置に係る判定結果が「問題なし」、環境に係る判定結果が「警告」）を記したものになっている。この場合、サーバ装置３０は回答ＤＢ３７（日別回答ＤＢ３７ａ）から、見守られる人の検知状態（操作判定の項目、環境判定の項目のそれぞれに格納された内容）を抽出して含ませた見守り通知（見守り通知情報）を生成して、見守る人の携帯通信端末等Ｄ１等へ送信する。それにより、携帯通信端末等Ｄ１等では、図３３に示す見守り通知画面１１５が割り込み処理で表示されるようになり、見守る人はサーバ装置３０による判定結果を確認でき、見守る人自身が危険度を判定することから解放されるので、その後、見守られる人への連絡、駆けつけ等の見守り対応へスムーズに移行できる。なお、見守り通知画面１１５に含まれる確認ボタン１１５ａも、図３０の見守り通知画面１１０に含まれるものと同じ機能を有するボタンである。
【０２８２】
図３４は、見守り通知画面１１０のさらに他の別パターンの見守り通知画面１１６を示し、見守られる人に係る連絡手段（図３４では、警備会社への「依頼する」ボタン１１６ａ、及び見守られる人への「電話する」ボタン１１６ｂ）を含んだものになっている。この場合、サーバ装置３０はユーザＤＢ３２から、対象となる見守られる人の非常時の指定連絡先を抽出し、その抽出した指定連絡先の情報（電話番号又は電子メールアドレス等）を埋め込んだボタンの表示パーツデータを含む見守り通知（見守り通知情報）を生成して、見守る人の携帯通信端末等Ｄ１等へ送信する。
【０２８３】
それにより、携帯通信端末等Ｄ１等では、サーバ装置３０からの見守り通知を受信すると、図３４に示す見守り通知画面１１６が割り込み処理で表示されることになり、この見守り通知画面１１６で「依頼する」ボタン１１６ａを選択する操作を見守る人が行えば、そのまま警備会社へ電話をかけることができ、警備会社へ駆けつけの依頼をスムーズに行うことができる。また、見守り通知画面１１６の「電話する」ボタン１１６ｂを選択する操作を見守る人が行えば、そのまま見守られる人へ電話をかけることができ、見守られる人の状況を直ちに電話で確認することに繋げられる。このように図３４の見守り通知画面１１６は、連絡手段を配置しただけなので、見守る人は何ら迷うことなく、直ちに所定の連絡先へ連絡するという対応を迅速に行えるメリットがある。
【０２８４】
また、これら各見守り通知画面１１０、１１４、１１５、１１６も、上述した見守り通知画面１１０、見守りウインドウ１１１、見守りバナー１１２、見守りアイコン１１３の場合等と同様に、サーバ装置３０で判定される危険度に応じて、表示出力する画面を相違させるようにしてもよい。
【０２８５】
例えば、判定された危険度が、図１０に示す統合判定テーブル３６で示される（１）又は（２）に応じた段階の場合、連絡手段を有する見守り通知画面１１６を表示し、危険度が（３）に応じた段階の場合、判定結果を示す見守り通知画面１１５を表示し、危険度が（４）又は（５）に応じた段階の場合、ユーザの検知状況を示す見守り通知画面１１４を表示し、危険度が（６）に応じた段階の場合、見守り通知画面１１０を表示するということが考えられる。
【０２８６】
このような場合、サーバ装置３０は、判定した危険度が（１）又は（２）に応じた段階であれば、見守り通知画面１１６の表示に係る内容を規定した見守り通知情報を生成してスマートフォン２００（携帯通信端末Ｄ１等）へ送信し、スマートフォン２００では、受信した見守り通知情報に基づき、見守り通知画面１１６の表示出力をディスプレイ部２０３で行うことになる。以下、同様に、サーバ装置３０は、判定した危険度が（３）に応じた段階であれば、見守り通知画面１１５の表示に係る内容を規定した見守り通知情報を生成してスマートフォン２００（携帯通信端末Ｄ１等）へ送信し、判定した危険度が（４）又は（５）に応じた段階であれば、見守り通知画面１１４の表示に係る内容を規定した見守り通知情報を生成してスマートフォン２００（携帯通信端末Ｄ１等）へ送信し、判定した危険度が（６）に応じた段階であれば、見守り通知画面１１０の表示に係る内容を規定した見守り通知情報を生成してスマートフォン２００（携帯通信端末Ｄ１等）へ送信することになり、スマートフォン２００では、受信した見守り通知情報に応じて、見守り通知画面１１０、１１４、１１５のいずれかの表示出力を行うことになる。
【０２８７】
このように、判定された危険度に応じて相違する表示に係る内容の見守り通知画面１１０、１１４、１１５、１１６のいずれかを見守る側で表示出力すれば、見守り通知の表示出力を行うだけで、見守られる人の危険度も、その相違する内容により即座に見守る側が確認でき、好適となる。さらに、このような危険度に応じて見守り通知画面１１０、１１４、１１５、１１６のいずれかを表示出力することは、上述した背景部分等の内容（色、模様等）も危険度に応じて相違させることと組み合わせてもよい。
【０２８８】
例えば、サーバ装置３０は、判定した危険度が（１）又は（２）に応じた段階であれば、背景を赤色にした見守り通知画面１１６の表示に係る内容を規定した見守り通知情報を生成してスマートフォン２００（携帯通信端末Ｄ１等）へ送信し、スマートフォン２００では、受信した見守り通知情報に基づき、背景が赤色の見守り通知画面１１６の表示出力をディスプレイ部２０３で行うことになる。以下、同様に、サーバ装置３０は、判定した危険度が（３）に応じた段階であれば、背景を黄色にした見守り通知画面１１５の表示に係る内容を規定した見守り通知情報を生成してスマートフォン２００（携帯通信端末Ｄ１等）へ送信し、判定した危険度が（４）又は（５）に応じた段階であれば、背景を紫色にした見守り通知画面１１４の表示に係る内容を規定した見守り通知情報を生成してスマートフォン２００（携帯通信端末Ｄ１等）へ送信し、判定した危険度が（６）に応じた段階であれば、背景を青色にした見守り通知画面１１０の表示に係る内容を規定した見守り通知情報を生成してスマートフォン２００（携帯通信端末Ｄ１等）へ送信することになり、スマートフォン２００では、受信した見守り通知情報に応じて、背景が黄色の見守り通知画面１１５、背景が紫色の見守り通知画面１１４、又は背景が青色の１１０のいずれかの表示出力を行うことになる。このようにすることで、表示出力の相違の程度が更に大きくなり、見守られる人に係る危険度の区別を一段と行いやすくなる。
【０２８９】
また、上述した各見守り通知画面１１０、１１４、１１５、１１６は、見守り通知画面のパターン例として説明したが、これらの各画面が段階的に遷移するように順次表示される仕様にしてもよい。例えば、まず、図３０の見守り通知画面１１０が、見守る人の携帯通信端末Ｄ１等へ表示されるように、サーバ装置３０は、図３０の見守り通知画面１１０用の見守り通知（見守り通知情報）を送信する。ただし、見守り通知画面１１０に配置される確認ボタン１１０ａの機能としては、選択されると、詳細要求情報がサーバ装置３０に送信されるようになっているものとする。そしてサーバ装置３０は、携帯通信端末Ｄ１等から詳細要求情報を受信すると、次に図３２〜３３に示す見守り通知画面１１４〜１１６のいずれかに応じた見守り通知（見守り通知情報）を生成して、見守る人の携帯通信端末Ｄ１等へ送信することになる。
【０２９０】
それにより、見守る人の携帯通信端末Ｄ１等では、最初に図３０の見守り通知画面１１０が表示されることで、見守られる人が何らかの危険な状態になったことを見守る人が把握でき、次に、確認ボタン１１０ａの操作に伴って、図３２〜３３に示す見守り通知画面１１４〜１１６のいずれかが携帯通信端末Ｄ１等に表示されるので、見守られる人に関する詳細を確認できるか、又は連絡手段が提示されることになる。このように段階的に見守りに係る画面が表示されることで、見守るに係る情報が小出しに提示されることになり、見守る人が慌てることなく、落ち着いて見守り対応を行えるようにするのに貢献できる。
【０２９１】
なお、図３０の最初の見守り通知画面１１０の次に表示する画面をいずれにするかは、見守る人等による設定で定めるようにすることが可能であり、また、見守られる人の危険度に応じて、次に表示する画面をサーバ装置３０側で特定するようにしてもよい。例えば、見守られる人の危険度が最も低い「注意」の判定レベル（例えば、図１０に示す（５）又は（６）の段階）であれば、見守られる人に係る検知状態が一目で分かる図３２の見守り通知画面１１４を携帯通信端末Ｄ１等で提示するようにし、判定レベルが「警告」であれば（例えば、図１０に示す（３）又は（４）の段階）、見守られる人に係る判定結果が一目で分かる図３３の見守り通知画面１１５を携帯通信端末Ｄ１等で提示するようにし、判定レベルが最も危険度の高い「緊急」であれば（例えば、図１０に示す（１）又は（２）の段階）、必要な連絡手段が提供される図３４の見守り通知画面１１６を携帯通信端末Ｄ１等で提示するようにする。これにより見守られる人の危険度に応じた見守り対応を見守る人が行いやすくなる。
【０２９２】
また、上述した各表示用画面以外の変形例として、図１等で示した各センサ２７、２８は、テレビジョン装置１０とは別体としたが、テレビジョン装置１０等のユーザ機器に温度、湿度等のユーザの周囲環境を検知する各センサを内蔵し、テレビジョン装置１０の内部接続線Ｌ（図２参照）に、各センサの出力線を接続して、各センサの検知結果を外部接続部１７から出力する仕様にしてもよい。このようにすると、別途、各センサを配置する手間を省くことができ、また、操作を行うユーザの周囲に近い箇所に各センサを自ずと配置でき、環境検知の精度も向上できる。特に、ユーザ機器がエアコン、空気清浄機等では、温度センサ、湿度センサ等を元から具備していることが多いので、このように元から具備している温度センサ、湿度センサ等を見守りシステムに流用できる点で好適となる。
【実施例２】
【０２９３】
図３５は、本発明の第２実施形態に係る見守りシステムの見守られる人側のシステム構成を示し、第２実施形態では、見守られる人側の家屋に設置されるユーザ機器（テレビジョン装置１０）、見守り装置５、温度センサ１２７、湿度センサ１２８、及び通信接続装置２（例えば、ルータ）の接続形態が、上述した第１実施形態と異なっている。すなわち、第２実施形態では、温度センサ１２７及び湿度センサ１２８が自ら通信機能（通信手段）を具備しており、それにより、各センサ１２７、１２８を直接的に通信接続装置２へ接続し、各センサ１２７、１２８から出力される検知結果を、通信接続装置２及び広域ネットワークを介してサーバ装置３０へ送信するようになっている。なお、各センサ１２７、１２８が有する通信手段は、見守り装置５の通信部５と同等の通信規格に応じたものになっている。また、各センサ１２７、１２８はそれぞれセンサＩＤを有すると共に、出力する検知結果にはセンサＩＤを付帯させていると共に、サーバ装置３０も、回答ＤＢ３７等に、各センサＩＤを見守られる人のユーザＩＤに対応付けて予め格納している。
【０２９４】
第２実施形態において、ユーザ機器（テレビジョン装置１０）及び見守り装置５は、第１実施形態と同様であると共に、その他の点も第１実施形態と同様である。以上のように第２実施形態の見守りシステムでは、各センサ１２７、１２８が通信機能を具備することから、各センサ１２７、１２８を見守り装置５に接続しなければならない制約から解放されるので、より、センサ設置の自由度を高められる利点がある。なお、第２実施形態においても第１実施形態で説明した各変形例の適用が可能であるが、センサを増設する場合には、増設するセンサについては通信機能を有するものを用いる必要がある。
【実施例３】
【０２９５】
図３６は、本発明の第３実施形態に係る見守りシステムの見守られる人側のシステム構成を示し、第３実施形態でも、見守られる人側の家屋に設置されるユーザ機器（テレビジョン装置１５０）温度センサ２７、湿度センサ２８、及び通信接続装置２（例えば、ルータ）の接続形態が、上述した第１実施形態と異なるものになっている。第３実施形態では、ユーザ機器の一例であるテレビジョン装置１５０が、第１実施形態で用いていた見守り装置５に係る構成・処理等を内蔵したものになっており、それゆえ、各センサ２７、２８も、見守り機能を具備したテレビジョン装置１５０に接続されて、テレビジョン装置１５０を経由して通信接続装置２に接続されている。
【０２９６】
第３実施形態のテレビジョン装置１５０は、見守り装置５に係る構成等を備えるため、ハードウェア的には、図２に示す構成において、ネットワークを介して通信を行う通信部（図３に示す見守り装置５の通信部５ｂに応じたもの）、及び各センサの接続部（図３に示す見守り装置５のセンサ接続部５ｆに応じたもの）を新たに追加して、内部接続線Ｌに接続したものになっている。また、第３実施形態のテレビジョン装置１５０は、ソフトウエア等に関して、見守り装置５の記憶部５に記憶されていた見守りプログラムＰ１１（テレビジョン装置１５０向けにしたもの）、見守りサービス用表示テーブルＴｂ１０、ユーザ情報６、閾値時間７等を新たにメモリ１５に記憶している。
【０２９７】
各センサ２７、２８は、テレビジョン装置１５０に設けられたセンサの接続部に接続されることになる。また、テレビジョン装置１５０は、メモリ１５に記憶された見守りプログラムＰ１１の規定により、制御部１４が見守りに関する各種手段として機能するようになって、第１実施形態で説明した各画面の表示、操作通知及び検知結果等をサーバ装置３０へ送信する。なお、サーバ装置３０は、回答ＤＢ３７のユーザＩＤに、テレビジョン装置１５０の装置識別情報Ｉ１を対応付けて予め格納しているものとし、テレビジョン装置１５０は、サーバ装置３０へ送信する情報（操作通知及び検知結果等）に装置識別情報Ｉ１を付帯させて、サーバ装置３０側で通信元を識別できるようにしている。
【０２９８】
第３実施形態の見守りシステムは、上述した箇所以外については第１実施形態と同様であり、第１実施形態で説明した各変形例も適用できる。このように第３実施形態の見守りシステムでは、見守り装置５を単体で設けなくても良いので、見守られる人側のシステム構成を簡易化できる利点がある。
【実施例４】
【０２９９】
図３７は、本発明の第４実施形態に係る見守りシステムの見守られる人側のシステム構成を示し、第４実施形態は、上述した第２実施形態と第３実施形態とを組み合わせたようなものになっており、ユーザ機器（テレビジョン装置１５０）は、第３実施形態と同様に見守り装置５に係る構成・処理等を内蔵し、また、温度センサ１２７及び湿度センサ１２８は、第２実施形態と同様に通信機能を具備している。これらテレビジョン装置１５０、温度センサ１２７、湿度センサ１２８は、それぞれ独自に通信接続装置２（例えば、ルータ）と接続されており、それぞれが出力する情報（操作通知、検知結果）を通信接続装置２及びネットワークを介してサーバ装置３０へ送信する。
【０３００】
第４実施形態の見守りシステムは、第２実施形態及び第３実施形態に関連する箇所以外については第１実施形態と同様であり、第１実施形態で説明した各変形例も適用できる。このような第４実施形態の見守りシステムでは、第２実施形態と第３実施形態とを組み合わせたような内容になっていることから、上述した第２実施形態と第３実施形態の利点も併せ持ったものとなる。
【産業上の利用可能性】
【０３０１】
本発明は、見守られる人の状況を複数の要因に基づき総合的に判定できると共に、複数の容易に基づき判定した見守られる人の状況を危険度の高い順に見守る人へ提示できるということ対して好適に利用可能である。
【符号の説明】
【０３０２】
１  見守りシステム
２  通信接続装置
５  見守り装置
１０  テレビジョン装置
２１  アンケート画面
２７  温度センサ
２８  湿度センサ
３０  サーバ装置
３１  見守りシステムプログラム
３４  操作判定テーブル
３５  環境判定テーブル
３６  統合判定テーブル
３７  回答ＤＢ
４１、５１  見守り通知画面
４５、５５  ユーザ画面
１００  オペレータ端末（通信端末）
２００  スマートフォン（通信端末）
Ｈ１、Ｈ２、Ｈｎ  家屋
Ｍ１、Ｍ２、Ｍｎ  見守られる人（ユーザ）
ＯＰ１、ＯＰ２、ＯＰｎ  オペレータ
Ｋ１、Ｋ２、Ｋｎ  監視者
【図１】
2016085645.tif 000003
【図２】
2016085645.tif 000004
【図３】
2016085645.tif 000005
【図４】
2016085645.tif 000006
【図５】
2016085645.tif 000007
【図６】
2016085645.tif 000008
【図７】
2016085645.tif 000009
【図８】
2016085645.tif 000010
【図９】
2016085645.tif 000011
【図１０】
2016085645.tif 000012
【図１１】
2016085645.tif 000013
【図１２】
2016085645.tif 000014
【図１３】
2016085645.tif 000015
【図１４】
2016085645.tif 000016
【図１５】
2016085645.tif 000017
【図１６】
2016085645.tif 000018
【図１７】
2016085645.tif 000019
【図１８】
2016085645.tif 000020
【図１９】
2016085645.tif 000021
【図２０】
2016085645.tif 000022
【図２１】
2016085645.tif 000023
【図２２】
2016085645.tif 000024
【図２３】
2016085645.tif 000025
【図２４】
2016085645.tif 000026
【図２５】
2016085645.tif 000027
【図２６】
2016085645.tif 000028
【図２７】
2016085645.tif 000029
【図２８】
2016085645.tif 000030
【図２９】
2016085645.tif 000031
【図３０】
2016085645.tif 000032
【図３１】
2016085645.tif 000033
【図３２】
2016085645.tif 000034
【図３３】
2016085645.tif 000035
【図３４】
2016085645.tif 000036
【図３５】
2016085645.tif 000037
【図３６】
2016085645.tif 000038
【図３７】
2016085645.tif 000039